(57)【特許請求の範囲】
【請求項１】
少なくとも、記録すべき１または複数の被記録対象のタイトルを各々示すカット名を含む撮影リストの入力を受け付ける撮影リスト入力手段と、
前記撮影リスト入力手段で入力された１または複数の撮影リストを記憶する記憶手段と、
表示画面に情報を表示するための表示デバイスと、
前記記憶手段に記憶されている前記１または複数の撮影リストの一覧を前記表示デバイスの表示画面に表示する撮影リスト表示手段と、
前記表示画面に表示された撮影リストの一覧の中から１の撮影リストの選択を受け付ける撮影リスト選択手段と、
前記記憶手段に記憶された前記１または複数の撮影リストのうち、前記撮影リスト選択手段で選択された撮影リストに含まれるカット名を前記表示デバイスの表示画面に表示させるカット名表示手段と、を備えること、
を特徴とする画像入力装置。
【請求項２】
前記撮影リスト入力手段は、接続される情報処理装置から転送される前記撮影リストを受信するための通信手段を含むことを特徴とする請求項１に記載の画像入力装置。
【請求項３】
前記撮影リスト入力手段は、
接続されるＷｅｂサーバーのホームページをブラウジングして、前記ホームページ上の前記撮影リストをダウンロードするＷｅｂブラウジング手段を含むことを特徴とする請求項１に記載の画像入力装置。
【請求項４】
さらに、前記表示画面に表示されたカット名の中から１のカット名を選択するカット名選択手段を備え、
前記カット名選択手段により１のカット名が選択された場合に、記録モードに移行することを特徴とする請求項１に記載の画像入力装置。
【請求項５】
前記記録モードでは、前記被記録対象の静止画像、二値画像、および動画像、ならびに音声のうちのいずれかの記録データが記録されることを特徴とする請求項４に記載の画像入力装置。
【請求項６】
さらに、前記記録モードで記録した記録データをＨＴＭＬファイルに変換するＨＴＭＬ変換手段を備えたことを特徴とする請求項５に記載の画像入力装置。
【請求項７】
さらに、前記ＨＴＭＬファイル変換手段で変換されたＨＴＭＬファイルをＷｅｂサーバーのホームページにアップロードするアップロード手段を備えたことを特徴とする請求項６に記載の画像入力装置。
【請求項８】
前記記録モードで記録した記録データの記録ファイルのパラメータ内に前記カット名選択手段で選択されたカット名を付加することを特徴とする請求項５に記載の画像入力装置。
【請求項９】
前記記録モードで記録した記録データの記録ファイルを、前記カット名選択手段で選択されたカット名に関連づけて記憶することを特徴とする請求項５に記載の画像入力装置。
【請求項１０】
前記記録モードで記録した記録データの記録ファイルのファイル名は、少なくとも一部に前記選択手段で選択されたカット名を含むことを特徴とする請求項５に記載の画像入力装置。
【請求項１１】
前記記録モードで記録した画像データに前記カット名選択手段で選択されたカット名を合成することを特徴とする請求項５に記載の画像入力装置。
【請求項１２】
前記カット名表示手段は、前記カット名選択手段で撮影リストのカット名が選択された後に、記録データの記録が行われた場合には、当該カット名に対応した記録が行われた旨を表示することを特徴とする請求項５に記載の画像入力装置。
【請求項１３】
前記カット名表示手段は、前記カット名毎に、撮影済み枚数を前記表示デバイスの表示画面に表示することを特徴とする請求項５に記載の画像入力装置。
【請求項１４】
前記撮影リスト内のカット名の全ての撮影が終了した場合に、撮影リストの撮影が終了した旨を、指定される送信先に送信することを特徴とする請求項１に記載の画像入力装置。
【請求項１５】
前記カット名選択手段により１のカット名が選択された場合に、記録モードに移行し、被写体のモニタリング画像と共に前記選択手段で選択されたカット名を前記表示デバイスの表示画面に表示することを特徴とする請求項１に記載の画像入力装置。
【請求項１６】
前記カット名選択手段によりカット名が選択された場合に、記録モードに移行して、所定キーの操作に応じて、被写体の静止画像、二値画像、および動画像、ならびに音声のうちのいずれかの記録データの記録を行い、記録ファイルとして前記記憶手段に記録する記録制御手段と、
前記撮影リスト毎に、前記記録ファイルをグループ化するグループ化手段と、
を備えたことを特徴とする請求項１に記載の画像入力装置。
【請求項１７】
前記グループ化手段は、撮影リスト毎に前記記録ファイルをフォルダに登録してグループ化することを特徴とする請求項１６に記載の画像入力装置。
【請求項１８】
前記撮影リストは、さらに、各カット名に各々対応し、かつ使用者に指示を与えるための撮影指示情報を含み、
前記カット名選択手段により１のカット名が選択された場合に、前記選択された撮影リストの対応する撮影指示情報の内容を報知することを特徴とする請求項１に記載の画像入力装置。
【請求項１９】
前記撮影指示情報の内容は、撮影の手順または撮影後の作業の指示であることを特徴とする請求項１８に記載の画像入力装置。
【請求項２０】
前記撮影指示情報の属性は、テキスト文書、図面、音声、および動画のいずれか１つで構成されることを特徴とする請求項１８に記載の画像入力装置。
【請求項２１】
前記撮影リストは、さらに、各カット名に各々対応し、かつ被記録対象を記録する際の設定条件の自動設定および／または記録後に実行すべき自動処理の指示を与えるための自動処理指示情報を含み、
前記カット名選択手段によりカット名が選択された場合に、記録モードに移行して、前記カット名選択手段で選択されたカット名に対応する自動処理指示情報の内容に従って、被記録対象を記録する際の設定条件の自動設定および／または記録データの記録後に実行すべき自動処理を実行することを特徴とする請求項１に記載の画像入力装置。
【請求項２２】
さらに、外部とデータ通信するための通信手段を備え、
前記カット名選択手段で選択されたカット名に対応する自動処理指示情報の内容が、データ記録後のメール添付送信の指示である場合には、前記記録モードで記録した記録データをメールに添付して、前記通信手段を介して指定される送信先に送信することを特徴とする請求項２１に記載の画像入力装置。
【請求項２３】
さらに、外部とデータ通信するための通信手段を備え、
前記カット名選択手段で選択されたカット名に対応する自動処理指示情報の内容が、データ記録後のサムネール添付送信の指示である場合には、前記記録モードで記録した画像データに対応するサムネール画像をメールに添付して、前記通信手段を介して指定される送信先に送信することを特徴とする請求項２１に記載の画像入力装置。
【請求項２４】
さらに、外部とデータ通信するための通信手段を備え、
前記カット名選択手段で選択されたカット名に対応する自動処理指示情報の内容がデータ記録後の画像データの変倍メール添付送信の指示である場合には、前記記録モードで記録した画像データを指定される大きさに変倍してメールに添付して、前記通信手段を介して指定される送信先に送信することを特徴とする請求項２１に記載の画像入力装置。
【請求項２５】
さらに、外部とデータ通信するための通信手段を備え、
前記カット名選択手段で選択されたカット名に対応する自動処理指示情報の内容が、データ記録後のホームページへのアップロードの指示である場合には、前記記録モードで記録した画像データをＨＴＭＬファイルに変換して、前記通信手段を介して指定されるホームページにアップロードすることを特徴とする請求項２１に記載の画像入力装置。
【請求項２６】
さらに、外部とデータ通信するための通信手段を備え、
前記カット名選択手段で選択されたカット名に対応する自動処理指示情報の内容が、データ記録後のホームページへのアップロードおよび当該ホームページのＵＲＬアドレスの通知の指示である場合には、前記録モードで記録した画像データをＨＴＭＬファイルに変換し、前記通信手段を介して指定されるホームページにアップロードするとともに、アップロード先のホームページのＵＲＬアドレスを前記通信手段を介して指定される送信先に送信することを特徴とする請求項２１に記載の画像入力装置。
【請求項２７】
さらに、メモ情報を入力するためのメモ入力手段を備え、
前記カット名選択手段で選択されたカット名に対応する自動処理指示情報の内容が、データ記録後のメモ情報の入力指示である場合には、前記記録モードでの記録後に、メモ入力モードに移行し、前記メモ入力手段から入力されるメモ情報のファイルを前記記録モードで記録した記録データの記録ファイルと関連づけて格納することを特徴とする請求項２１に記載の画像入力装置。
【請求項２８】
さらに、メモ情報を入力するためのメモ入力手段を備え、
前記カット名選択手段で選択されたカット名に対応する自動処理指示情報の内容が、記録後のメモ情報の入力指示である場合には、前記記録モードでの記録後に、メモ入力モードに移行し、前記メモ入力手段から入力されるメモ情報を、前記記録モードで記録した画像データと合成することを特徴とする請求項２１に記載の画像入力装置。
【請求項２９】
前記メモ情報は、テキスト文字または手書き文字であることを特徴とする請求項２８に記載の画像入力装置。
【請求項３０】
前記メモ情報の前記撮影された画像に対する合成位置は任意に設定可能であることを特徴とする請求項２８に記載の画像入力装置。
【請求項３１】
さらに、音声を入力する音声入力手段を備え、
前記カット名選択手段で選択されたカット名に対応する自動処理指示情報の内容が、記録後の音声入力の指示である場合には、前記記録モードでの記録後に、音声入力モードに移行し、前記音声入力手段から入力される音声のファイルを前記記録モードで記録した画像データの記録ファイルと関連づけて格納することを特徴とする請求項２１に記載の画像入力装置。
【請求項３２】
前記カット名選択手段で選択されたカット名に対応する自動処理指示情報の内容が、撮影画像に対する日付の合成の指示である場合には、前記記録モードで画像データを記録した後、当該画像データに日付を合成することを特徴とする請求項２１に記載の画像入力装置。
【請求項３３】
前記カット名選択手段で選択されたカット名に対応する自動処理指示情報の内容が、撮影画像の解像度の設定指示である場合には、撮影する際の解像度を設定指示に応じて設定することを特徴とする請求項２１に記載の画像入力装置。
【請求項３４】
前記撮影リストは、記録すべき被記録対象の１または複数のカット名と、当該カット名に対応する被合成情報とを含み、
前記選択手段により１のカット名が選択された場合に、記録モードに移行し、当該記録モードで撮影した画像に、前記撮影リストの前記選択手段で選択されたカット名に対応する被合成情報を合成することを特徴とする請求項２１に記載の画像入力装置。
【請求項３５】
前記被合成情報の前記撮影した画像に対する合成位置は任意に設定可能であることを特徴とする請求項３４に記載の画像入力装置。
【請求項３６】
前記撮影リストは、記録後に実行すべき自動処理の指示を与えるための自動処理指示情報を含み、
前記カット名選択手段によりカット名が選択された場合に、記録モードに移行して、所定キーの操作に応じて、カット名毎に撮影を行い、撮影した画像データを前記撮影リストの自動処理指示情報に従って処理することを特徴とする請求項１に記載の画像入力装置。
【請求項３７】
前記自動処理指示情報が、複数画像の合成の指示である場合には、前記カット名毎に撮影した複数の画像を合成することを特徴とする請求項３６に記載の画像入力装置。
【請求項３８】
前記自動処理指示情報が、複数画像の補正指示である場合には、
前記カット名毎に撮影した複数の画像を補正することを特徴とする請求項３６に記載の画像入力装置。
【請求項３９】
前記撮影リストは、さらに、機種名情報を含み、前記自動処理指示情報は前記機種に応じた内容であり、
前記入力手段により入力される前記撮影リストの機種名情報を読み出して、自機の機種名と前記撮影リストの機種名とが一致するか否かを判断する判断手段を備え、
前記判断手段により自機の機種名と前記撮影リストの機種名とが一致すると判断された場合に、前記撮影リストに基づいて撮影を行うことを特徴とする請求項２１に記載の画像入力装置。
【発明の詳細な説明】
【０００１】
【発明の属する技術分野】
本発明は、画像入力装置に関し、詳細には、撮影リストを使用した画像入力装置に関する。
【０００２】
【従来の技術】
デジタルカメラの原型は、電子スチルカメラであり、実用的には１９８１年頃発売されたソニーのマビカから始まっている。その後、撮像デバイスＣＣＤの高詳細化・低価格化、記録媒体カードメモリの大容量化・小型化、および静止画像圧縮符号方式であるＪＰＥＧの半導体チップの出現などに伴い、現在のデジタルカメラは、小型化・低価格・高性能化が進んできている。
【０００３】
また、携帯電話の急激な普及やノートパーソナルコンピュータの小型化、シャープのザウルスに代表されるＰＤＡの普及によって、移動中に機器を使用する環境が整ってきた中で、画像入力手段として普及してきたデジタルカメラが、パソコンやネットワークに結合し、画像だけでなく、音声・動画などのあらゆるイメージ情報のキャプチャとして、マルチメディアシステムの重要な要素になってきている。
【０００４】
また、デジタルカメラは、上述のキャプチャのみならず、近時研究が活発化してきている身につけるコンピュータ（ウエアラブル・コンピュータ）の候補としても、携帯電話・ＰＤＡ・パットフォームパーソナルコンピュータとともに期待されている。さらに、デジタルカメラは、インターネットとの接続機能、個人情報の管理機能や、プレゼン機能等のより高機能なものへの対応が望まれている。とりわけ、デジタルカメラを使用して画像付きの文書を作成する簡易な方法が所望されている。また、インターネットとの接続機能を備えたデジタルカメラでは、ブラウジングしたホームページ等のＷｅｂ情報を撮像データと同様に扱って、Ｗｅｂ情報のデータ処理やデータ管理を簡易化したいという要望もある。
【０００５】
例えば、特開平１０−３４１３９６号公報の「デジタルカメラの機能的付加方法」では、外部記録媒体に記録されているプログラムを受け取りデジタルカメラの記憶媒体に記録する第１のプロセスと、所望の時期に前記プログラムを前記カメラの記録媒体から読み出して実行する第２のプロセスとを有することにより、所望する機能を追加するために、外部からプログラムを導入可能とした技術が開示されている。
【０００６】
【発明が解決しようとする課題】
しかしながら，特開平１０−３４１３９６号公報の「デジタルカメラの機能的付加方法」では、必要な被写体の取り忘れや作業漏れを防止できないという問題がある。
【０００７】
本発明は、上記に鑑みてなされたものであり、必要な被写体の取り忘れや作業漏れを防止可能な画像入力装置を提供することを目的とする。
【０００８】
また、本発明は、上記に鑑みてなされたものであり、ブラウジングしたホームページ等のＷｅｂ情報を撮像データと同様に扱って、Ｗｅｂ情報のデータ処理やデータ管理を簡易化することが可能な画像入力装置を提供することを目的とする。
【００１０】
【課題を解決するための手段】
上記課題を解決するために、請求項１にかかる発明は、少なくとも、記録すべき１または複数の被記録対象のタイトルを各々示すカット名を含む撮影リストの入力を受け付ける撮影リスト入力手段と、前記撮影リスト入力手段で入力された１または複数の撮影リストを記憶する記憶手段と、表示画面に情報を表示するための表示デバイスと、前記記憶手段に記憶されている前記１または複数の撮影リストの一覧を前記表示デバイスの表示画面に表示する撮影リスト表示手段と、前記表示画面に表示された撮影リストの一覧の中から１の撮影リストの選択を受け付ける撮影リスト選択手段と、前記記憶手段に記憶された前記１または複数の撮影リストのうち、前記撮影リスト選択手段で選択された撮影リストに含まれるカット名を前記表示デバイスの表示画面に表示させるカット名表示手段と、を備えたものである。
【００１１】
上記発明によれば、撮影リスト入力手段は、少なくとも、記録すべき１または複数の被記録対象のタイトルを各々示すカット名を含む撮影リストの入力を受け付け、記憶手段は撮影リスト入力手段で入力された１または複数の撮影リストを記憶し、撮影リスト表示手段は、前記記憶手段に記憶されている前記１または複数の撮影リストの一覧を前記表示デバイスの表示画面に表示し、撮影リスト選択手段は、前記表示画面に表示された撮影リストの一覧の中から１の撮影リストの選択を受け付け、カット名表示手段は、記憶手段に記憶された１または複数の撮影リストのうち、前記撮影リスト選択手段で選択された撮影リストに含まれるカット名を前記表示デバイスの表示画面に表示させる。
【００１４】
また、請求項２にかかる発明は、請求項１にかかる発明において、前記撮影リスト入力手段は、接続される情報処理装置から転送される前記撮影リストを受信するための通信手段を含むものである。上記発明によれば、撮影リストを情報処理装置から入力する。
【００１５】
また、請求項３にかかる発明は、請求項１にかかる発明において、前記撮影リスト入力手段は、接続されるＷｅｂサーバーのホームページをブラウジングして、前記ホームページ上の前記撮影リストをダウンロードするＷｅｂブラウジング手段を含むものである。上記発明によれば、Ｗｅｂサーバーのホームページから撮影リストを入力する。
【００１６】
また、請求項４にかかる発明は、請求項１にかかる発明において、さらに、前記表示画面に表示されたカット名の中から１のカット名を選択するカット名選択手段を備え、前記カット名選択手段により１のカット名が選択された場合に、記録モードに移行するものである。上記発明によれば、カット名選択手段は表示画面に表示されたカット名の中から１のカット名を選択し、カット名選択手段により１のカット名が選択された場合に、記録モードに移行する。
【００１７】
また、請求項５にかかる発明は、請求項４にかかる発明において、前記記録モードでは、前記被記録対象の静止画像、二値画像、および動画像、ならびに音声のうちのいずれかの記録データが記録されるものである。上記発明によれば、被記録対象の静止画像、二値画像、および動画像、ならびに音声が記録可能である。
【００１８】
また、請求項６にかかる発明は、請求項５にかかる発明において、さらに、前記記録モードで記録した記録データをＨＴＭＬファイルに変換するＨＴＭＬ変換手段を備えたものである。上記発明によれば、ＨＴＭＬファイル変換手段は、記録モードで記録した記録データをＨＴＭＬファイルに変換する。
【００１９】
また、請求項７にかかる発明は、請求項６にかかる発明において、さらに、前記ＨＴＭＬファイル変換手段で変換されたＨＴＭＬファイルをＷｅｂサーバーのホームページにアップロードするアップロード手段を備えたものである。上記発明によれば、アップロード手段は、ＨＴＭＬファイル変換手段で変換されたＨＴＭＬファイルをＷｅｂサーバーのホームページにアップロードする。
【００２０】
また、請求項８にかかる発明は、請求項５にかかる発明において、前記記録モードで記録した記録データの記録ファイルのパラメータ内に前記カット名選択手段で選択されたカット名を付加するものである。上記発明によれば、記録モードで記録した記録データの記録ファイルのパラメータ内にカット名選択手段で選択されたカット名を付加する。
【００２１】
また、請求項９にかかる発明は、請求項５にかかる発明において、前記記録モードで記録した記録データの記録ファイルを、前記カット名選択手段で選択されたカット名に関連づけて記憶するものである。上記発明によれば、記録モードで記録した記録データの記録ファイルを、カット名選択手段で選択されたカット名に関連づけて記憶する。
【００２２】
また、請求項１０にかかる発明は、請求項５にかかる発明において、前記記録モードで記録した記録データの記録ファイルのファイル名は、少なくとも一部に前記カット名選択手段で選択されたカット名を含むものである。記録ファイルのファイル名にカット名選択手段で選択されたカット名を含むようにした。
【００２３】
また、請求項１１にかかる発明は、請求項５にかかる発明において、前記記録モードで記録した画像データに前記カット名選択手段で選択されたカット名を合成するものである。上記発明によれば、記録モードで記録した画像データにカット名選択手段で選択されたカット名を合成する。
【００２４】
また、請求項１２にかかる発明は、請求項５にかかる発明において、前記カット名表示手段は、前記カット名選択手段で撮影リストのカット名が選択された後に、記録データの記録が行われた場合には、当該カット名に対応した記録が行われた旨を表示するものである。上記発明によれば、カット名表示手段は、カット名選択手段で撮影リストのカット名が選択された後に、記録データの記録が行われた場合には、当該カット名に対応した記録が行われた旨を表示する。
【００２５】
また、請求項１３にかかる発明は、請求項５にかかる発明において、前記カット名表示手段は、前記カット名毎に撮影済み枚数を前記表示デバイスの表示画面に表示するものである。上記発明によれば、カット名表示手段は、カット名毎に撮影済み枚数を表示デバイスの表示画面に表示する。
【００２６】
また、請求項１４にかかる発明は、請求項１にかかる発明において、前記撮影リスト内のカット名の全ての撮影が終了した場合に、撮影リストの撮影が終了した旨を、指定される送信先に送信するものである。上記発明によれば、撮影リスト内のカット名の全ての撮影が終了した場合に、撮影リストの撮影が終了した旨を、指定される送信先に送信するものである。
【００２７】
また、請求項１５にかかる発明は、請求項１にかかる発明において、前記カット名選択手段により１のカット名が選択された場合に、記録モードに移行し、被写体のモニタリング画像と共に前記選択手段で選択されたカット名を前記表示デバイスの表示画面に表示するものである。上記発明によれば、カット名選択手段により１のカット名が選択された場合に、記録モードに移行し、被写体のモニタリング画像と共にカット名選択手段で選択されたカット名を表示デバイスの表示画面に表示する。
【００２８】
また、請求項１６にかかる発明は、請求項１にかかる発明において、前記カット名選択手段によりカット名が選択された場合に、記録モードに移行して、所定キーの操作に応じて、被写体の静止画像、二値画像、および動画像、ならびに音声のうちのいずれかの記録データの記録を行い、記録ファイルとして前記記憶手段に記録する記録制御手段と、前記撮影リスト毎に、前記記録ファイルをグループ化するグループ化手段と、を備えたものである。上記発明によれば、記憶制御手段は、カット名選択手段によりカット名が選択された場合に、記録モードに移行して、所定キーの操作に応じて、被写体の静止画像、二値画像、および動画像、ならびに音声のうちのいずれかの記録データの記録を行い、記録ファイルとして記憶手段に記録し、グループ化手段は、撮影リスト毎に記録ファイルをグループ化する。
【００２９】
また、請求項１７にかかる発明は、請求項１６にかかる発明において、前記グループ化手段は、撮影リスト毎に前記記録ファイルをフォルダに登録してグループ化するものである。上記発明によれば、グループ化手段は、撮影リスト毎に前記記録ファイルをフォルダに登録してグループ化する。
【００３０】
また、請求項１８にかかる発明は、請求項１にかかる発明において、前記撮影リストは、さらに、各カット名に各々対応し、かつ使用者に指示を与えるための撮影指示情報を含み、前記カット名選択手段により１のカット名が選択された場合に、前記選択された撮影リストの対応する撮影指示情報の内容を報知するものである。上記発明によれば、撮影リストは、さらに、各カット名に各々対応し、かつ使用者に指示を与えるための撮影指示情報を含み、カット名選択手段により１のカット名が選択された場合に、選択された撮影リストの対応する撮影指示情報の内容を報知する。
【００３１】
また、請求項１９にかかる発明は、請求項１８にかかる発明において、前記撮影指示情報の内容は、撮影の手順または撮影後の作業の指示であることとした。上記発明によれば、撮影指示情報の内容は、撮影の手順または撮影後の作業の指示とする。
【００３２】
また、請求項２０にかかる発明は、請求項１８にかかる発明において、前記撮影指示情報の属性は、テキスト文書、図面、音声、および動画のいずれか１つで構成されることとした。上記発明によれば、撮影指示情報の属性は、テキスト文書、図面、音声、および動画のいずれかとする。
【００３３】
また、請求項２１にかかる発明は、請求項１にかかる発明において、前記撮影リストは、さらに、各カット名に各々対応し、かつ被記録対象を記録する際の設定条件の自動設定および／または記録後に実行すべき自動処理の指示を与えるための自動処理指示情報を含み、前記カット名選択手段によりカット名が選択された場合に、記録モードに移行して、前記カット名選択手段で選択されたカット名に対応する自動処理指示情報の内容に従って、被記録対象を記録する際の設定条件の自動設定および／または記録データの記録後に実行すべき自動処理を実行するものである。
【００３４】
上記発明によれば、撮影リストは、さらに、各カット名に各々対応し、かつ被記録対象を記録する際の設定条件の自動設定および／または記録後に実行すべき自動処理の指示を与えるための自動処理指示情報を含み、カット名選択手段によりカット名が選択された場合に、記録モードに移行して、カット名選択手段で選択されたカット名に対応する自動処理指示情報の内容に従って、被記録対象を記録する際の設定条件の自動設定および／または記録データの記録後に実行すべき自動処理を実行する。
【００３５】
また、請求項２２にかかる発明は、請求項２１にかかる発明において、さらに、外部とデータ通信するための通信手段を備え、前記カット名選択手段で選択されたカット名に対応する自動処理指示情報の内容が、データ記録後のメール添付送信の指示である場合には、前記記録モードで記録した記録データをメールに添付して、前記通信手段を介して指定される送信先に送信するものである。上記発明によれば、カット名選択手段で選択されたカット名に対応する自動処理指示情報の内容が、データ記録後のメール添付送信の指示である場合には、記録モードで記録した記録データをメールに添付して、通信手段を介して指定される送信先に送信する。
【００３６】
また、請求項２３にかかる発明は、請求項２１にかかる発明において、さらに、外部とデータ通信するための通信手段を備え、前記カット名選択手段で選択されたカット名に対応する自動処理指示情報の内容が、データ記録後のサムネール添付送信の指示である場合には、前記記録モードで記録した画像データに対応するサムネール画像をメールに添付して、前記通信手段を介して指定される送信先に送信するものである。上記発明によれば、カット名選択手段で選択されたカット名に対応する自動処理指示情報の内容が、データ記録後のサムネール添付送信の指示である場合には、記録モードで記録した画像データに対応するサムネール画像をメールに添付して、通信手段を介して指定される送信先に送信する。
【００３７】
また、請求項２４にかかる発明は、請求項２１にかかる発明において、さらに、外部とデータ通信するための通信手段を備え、前記カット名選択手段で選択されたカット名に対応する自動処理指示情報の内容がデータ記録後の画像データの変倍メール添付送信の指示である場合には、前記記録モードで記録した画像データを指定される大きさに変倍してメールに添付して、前記通信手段を介して指定される送信先に送信するものである。上記発明によれば、カット名選択手段で選択されたカット名に対応する自動処理指示情報の内容がデータ記録後の画像データの変倍メール添付送信の指示である場合には、記録モードで記録した画像データを指定される大きさに変倍してメールに添付して、通信手段を介して指定される送信先に送信する。
【００３８】
また、請求項２５にかかる発明は、請求項２１にかかる発明において、さらに、外部とデータ通信するための通信手段を備え、前記カット名選択手段で選択されたカット名に対応する自動処理指示情報の内容が、データ記録後のホームページへのアップロードの指示である場合には、前記記録モードで記録した画像データをＨＴＭＬファイルに変換して、前記通信手段を介して指定されるホームページにアップロードするものである。上記発明によれば、カット名選択手段で選択されたカット名に対応する自動処理指示情報の内容が、データ記録後のホームページへのアップロードの指示である場合には、記録モードで記録した画像データをＨＴＭＬファイルに変換して、通信手段を介して指定されるホームページにアップロードする。
【００３９】
また、請求項２６にかかる発明は、請求項２１にかかる発明において、さらに、外部とデータ通信するための通信手段を備え、前記カット名選択手段で選択されたカット名に対応する自動処理指示情報の内容が、データ記録後のホームページへのアップロードおよび当該ホームページのＵＲＬアドレスの通知の指示である場合には、前記録モードで記録した画像データをＨＴＭＬファイルに変換し、前記通信手段を介して指定されるホームページにアップロードするとともに、アップロード先のホームページのＵＲＬアドレスを前記通信手段を介して指定される送信先に送信するものである。上記発明によれば、カット名選択手段で選択されたカット名に対応する自動処理指示情報の内容が、データ記録後のホームページへのアップロードおよび当該ホームページのＵＲＬアドレスの通知の指示である場合には、記録モードで記録した画像データをＨＴＭＬファイルに変換し、通信手段を介して指定されるホームページにアップロードするとともに、アップロード先のホームページのＵＲＬアドレスを通信手段を介して指定される送信先に送信する。
【００４０】
また、請求項２７にかかる発明は、請求項２１にかかる発明において、さらに、メモ情報を入力するためのメモ入力手段を備え、前記カット名選択手段で選択されたカット名に対応する自動処理指示情報の内容が、データ記録後のメモ情報の入力指示である場合には、前記記録モードでの記録後に、メモ入力モードに移行し、前記メモ入力手段から入力されるメモ情報のファイルを前記記録モードで記録した記録データの記録ファイルと関連づけて格納するものである。上記発明によれば、カット名選択手段で選択されたカット名に対応する自動処理指示情報の内容が、データ記録後のメモ情報の入力指示である場合には、記録モードでの記録後に、メモ入力モードに移行し、前記メモ入力手段から入力されるメモ情報のファイルを前記記録モードで記録した記録データの記録ファイルと関連づけて格納する。
【００４１】
また、請求項２８にかかる発明は、請求項２１にかかる発明において、さらに、メモ情報を入力するためのメモ入力手段を備え、前記カット名選択手段で選択されたカット名に対応する自動処理指示情報の内容が、記録後のメモ情報の入力指示である場合には、前記記録モードでの記録後に、メモ入力モードに移行し、前記メモ入力手段から入力されるメモ情報を、前記記録モードで記録した画像データと合成するものである。上記発明によれば、カット名選択手段で選択されたカット名に対応する自動処理指示情報の内容が、記録後のメモ情報の入力指示である場合には、記録モードでの記録後に、メモ入力モードに移行し、前記メモ入力手段から入力されるメモ情報を、記録モードで記録した画像データと合成する。
【００４２】
また、請求項２９にかかる発明は、請求項２８にかかる発明において、前記メモ情報は、テキスト文字または手書き文字であることとした。上記発明によれば、メモ情報をテキスト文字または手書き文字とする。
【００４３】
また、請求項３０にかかる発明は、請求項２８にかかる発明において、前記メモ情報の前記撮影された画像に対する合成位置は任意に設定可能であることとした。上記発明によれば、メモ情報の前記撮影された画像に対する合成位置を任意に設定可能とする。
【００４４】
また、請求項３１にかかる発明は、請求項２１にかかる発明において、さらに、音声を入力する音声入力手段を備え、前記カット名選択手段で選択されたカット名に対応する自動処理指示情報の内容が、記録後の音声入力の指示である場合には、前記記録モードでの記録後に、音声入力モードに移行し、前記音声入力手段から入力される音声のファイルを前記記録モードで記録した画像データの記録ファイルと関連づけて格納するものである。上記発明によれば、カット名選択手段で選択されたカット名に対応する自動処理指示情報の内容が、記録後の音声入力の指示である場合には、記録モードでの記録後に、音声入力モードに移行し、前記音声入力手段から入力される音声のファイルを記録モードで記録した画像データの記録ファイルと関連づけて格納する。
【００４５】
また、請求項３２にかかる発明は、請求項２１にかかる発明において、前記カット名選択手段で選択されたカット名に対応する自動処理指示情報の内容が、撮影画像に対する日付の合成の指示である場合には、前記記録モードで画像データを記録した後、当該画像データに日付を合成するものである。上記発明によれば、カット名選択手段で選択されたカット名に対応する自動処理指示情報の内容が、撮影画像に対する日付の合成の指示である場合には、記録モードで画像データを記録した後、当該画像データに日付を合成する。
【００４６】
また、請求項３３にかかる発明は、請求項２１にかかる発明において、前記カット名選択手段で選択されたカット名に対応する自動処理指示情報の内容が、撮影画像の解像度の設定指示である場合には、撮影する際の解像度を設定指示に応じて設定するものである。上記発明によれば、カット名選択手段で選択されたカット名に対応する自動処理指示情報の内容が、撮影画像の解像度の設定指示である場合には、撮影する際の解像度を設定指示に応じて設定する。
【００４７】
また、請求項３４にかかる発明は、請求項２１にかかる発明において、前記撮影リストは、記録すべき被記録対象の１または複数のカット名と、当該カット名に対応する被合成情報とを含み、前記選択手段により１のカット名が選択された場合に、記録モードに移行し、当該記録モードで撮影した画像に、前記撮影リストの前記選択手段で選択されたカット名に対応する被合成情報を合成するものである。上記発明によれば、撮影リストは、記録すべき被記録対象の１または複数のカット名と、当該カット名に対応する被合成情報とを含み、選択手段により１のカット名が選択された場合に、記録モードに移行し、当該記録モードで撮影した画像に、撮影リストのカット名選択手段で選択されたカット名に対応する被合成情報を合成する。
【００４８】
また、請求項３５にかかる発明において、請求項３４にかかる発明において、前記被合成情報の前記撮影した画像に対する合成位置は任意に設定可能であることとした。上記発明によれば、被合成情報の撮影した画像に対する合成位置を任意に設定可能とする。
【００４９】
また、請求項３６にかかる発明は、請求項１にかかる発明において、前記撮影リストは、記録後に実行すべき自動処理の指示を与えるための自動処理指示情報を含み、前記カット名選択手段によりカット名が選択された場合に、記録モードに移行して、所定キーの操作に応じて、カット名毎に撮影を行い、撮影した画像データを前記撮影リストの自動処理指示情報に従って処理するものである。上記発明によれば、撮影リストは、記録後に実行すべき自動処理の指示を与えるための自動処理指示情報を含み、カット名選択手段によりカット名が選択された場合に、記録モードに移行して、所定キーの操作に応じて、カット名毎に撮影を行い、撮影した画像データを撮影リストの自動処理指示情報に従って処理する。
【００５０】
また、請求項３７にかかる発明は、請求項３６にかかる発明において、前記自動処理指示情報が、複数画像の合成の指示である場合には、前記カット名毎に撮影した複数の画像を合成するものである。上記発明によれば、自動処理指示情報が、複数画像の合成の指示である場合には、カット名毎に撮影した複数の画像を合成する。
【００５１】
また、請求項３８にかかる発明は、請求項３６にかかる発明において、前記自動処理指示情報が、複数画像の補正指示である場合には、前記カット名毎に撮影した複数の画像を補正するものである。上記発明によれば、自動処理指示情報が、複数画像の補正指示である場合には、カット名毎に撮影した複数の画像を補正する。
【００５２】
また、請求項３９にかかる発明は、請求項２１にかかる発明において、前記撮影リストは、さらに、機種名情報を含み、前記自動処理指示情報は前記機種に応じた内容であり、前記入力手段により入力される前記撮影リストの機種名情報を読み出して、自機の機種名と前記撮影リストの機種名とが一致するか否かを判断する判断手段を備え、前記判断手段により自機の機種名と前記撮影リストの機種名とが一致すると判断された場合に、前記撮影リストに基づいて撮影を行うものである。上記発明によれば、撮影リストは、さらに、機種名情報を含み、前記自動処理指示情報は前記機種に応じた内容であり、判断手段は、撮影リ入力手段により入力される前記撮影リストの機種名情報を読み出して、自機の機種名と前記撮影リストの機種名とが一致するか否かを判断し、判断手段により自機の機種名と前記撮影リストの機種名とが一致すると判断された場合に、撮影リストに基づいて撮影を行う。
【００７８】
【発明の実施の形態】
以下、本発明にかかる画像入力装置の好適な実施の形態を、［本実施の形態にかかるデジタルカメラシステムの構成］、［本実施の形態にかかるデジタルカメラの構成］、［本実施の形態にかかるパーソナルコンピュータの構成］、［本実施の形態にかかるデジタルカメラの記録動作の実施例］、「本実施の形態にかかるデジタルカメラの撮影リストの実施例」、「本実施の形態にかかるデジタルカメラのブラウザ機能の実施例」、および「本実施の形態にかかるパーソナルコンピュータの実施例」の順に詳細に説明する。
【００７９】
［本実施の形態にかかるデジタルカメラシステムの構成］
図１は、本実施の形態にかかるデジタルカメラシステムの概略構成例を示している。同図において、１００はデジタルカメラ（画像入力装置）を示し、２００はパーソナルコンピュータ、３００はＷｅｂサーバーを示す。デジタルカメラ１００はパーソナルコンピュータ２００に直接またはネットワーク４００を介して接続される。また、デジタルカメラ１００は、ネットワーク（例えば、インターネット）４００を介してＷｅｂサーバー３００に接続されている。
【００８０】
パーソナルコンピュータ２００では、撮影リストを作成し撮影リストファイルとしてデジタルカメラ１００に転送する。デジタルカメラ１００では、撮影リストファイルを使用して撮影を行う。そして、デジタルカメラ１００は、撮影した画像をパーソナルコンピュータ２００に転送したり、Ｗｅｂサーバー３００にアップロードする。また、デジタルカメラ１００は、Ｗｅｂサーバー３００のホームページ上の撮影リストファイルをダウンロードして、撮影リストファイルを使用して撮影を行う。
【００８１】
上記デジタルカメラシステムの基本動作の概略を図２〜図３を参照して説明する。図２は、デジタルカメラシステムの基本動作の概略を説明するためのフローチャート、図３は項目リストの具体例を示している。図２において、まず、パーソナルコンピュータ２００では、ユーザーが、撮影したい写真の項目リストを作成する（ステップＳ１）。図３（Ａ）は、項目リストの具体例を示している。同図に示す項目リストは、商品名、価格、および写真の項目から構成されている。項目リストの中で撮影リストのカット名として書き出す範囲を選択し、さらに、撮影リストのタイトル名および撮影リストのファイル名を設定して撮影リストファイルを作成する（ステップＳ２）。例えば、図３（Ａ）の項目リストの中で、ユーザーが、撮影リストのカット名（デジタルカメラにおける被記録対象のタイトル）として書き出す範囲として、例えば、商品名のＢ３〜Ｂ１５のセル（”バック”〜”システム手帳”）を選択する。そして、ユーザーにより、撮影リストのタイトル名として、例えば、”商品カタログ”が入力され、さらに、撮影リストのファイル名として、例えば、”Ｅｘｌｉｓｔ”が入力されると、撮影リストファイル名を”Ｅｘｌｉｓｔ”とし、撮影リストのタイトル名（撮影リスト名）を”商品カタログ”、カット名を”バック”〜”システム手帳”とする撮影リストファイルが作成される。この後、パーソナルコンピュータ２００は、この撮影リストファイルをデジタルカメラ１００に転送する（ステップＳ３）。
【００８２】
デジタルカメラ１００では、パーソナルコンピュータ２００から撮影リストファイルを受信する（ステップＳ４）。デジタルカメラ１００は、表示部の液晶モニターで撮影リストのカット名を見ながらカット名毎に撮影を行う（ステップＳ５）。そして、デジタルカメラ１００は、撮影した写真を撮影リストファイルに登録して、撮影した写真の撮影リストファイルをパーソナルコンピュータ２００に転送する（ステップＳ６）。パーソナルコンピュータ１００では、撮影した写真の撮影リストファイルを受信する（ステップＳ７）。そして、パーソナルコンピュータ２００では、項目リストの中で写真を貼り付ける範囲を選択し、選択された範囲に写真を自動的に貼り付ける（ステップＳ８）。例えば、図３（Ａ）の項目リストで、ユーザーにより、写真を貼り付ける範囲として、Ｄ２〜Ｄ１５が選択された場合には、図３（Ｂ）に示すように、Ｄ２〜Ｄ１５に写真が自動的に貼り付けられる。
【００８３】
なお、パーソナルコンピュータ２００では、撮影リストファイルをカードスロット部に挿入されたメモリカードに記憶し、他方、デジタルカメラ１００では、この撮影リストファイルが記録されたメモリカードを自機のカードスロット部に挿入して、撮影リストファイルを読み出すことも可能となっている。
【００８４】
また、パーソナルコンピュータ２００では、デジタルカメラ１００の発信するホームページ上で撮影リストファイルを作成して、デジタルカメラ１００に撮影リストファイルを登録することが可能となっている。また、パーソナルコンピュータ２００では、撮影した写真が登録された撮影リストファイルを、デジタルカメラが発信するホームページからダウンロードすることが可能となっている。図４は、デジタルカメラ１００が発するホームページのフロント画面の一例を示している。
【００８５】
また、デジタルカメラ１００では、撮影リストファイルをＷｅｂサーバーのホームページからダウンロードして入力したり、直接またはネットワーク４００を介して接続される機器からＥメールに添付された撮影リストファイルを受信して撮影リストファイルを入力することが可能となっている。
【００８６】
［本実施の形態にかかるデジタルカメラの構成］
図５は、デジタルカメラの外観構成を示す図である。同図に示すデジタルカメラは、開閉可能な表示部１０４を備えており、この表示部１０４は３６０°回転可能に構成されている。同図において、１０はファインダー、１１はタッチペン、１２はスピーカー、１１０はカードスロット部、２０は電源キー、２１は撮影（記録）指示を与えるためのレリーズキー、２２はズームレンズの倍率を設定するためのズームレバー、２３は各モードを選択するためのモードダイヤル、２４は撮影リストモードを選択するためのＪＯＢＮＡＢＩボタン、２５はＤＩＳＰＬＡＹキー、２６はＭＥＮＵキー、２７はスクロールキー、２８はＳＥＬＥＣＴキー、２９はＥＮＴＥＲキー、３０はＣＡＮＣＥＬキー、３１はストロボキー、３２は撮影画質を設定するためのＰＩＣキーを示す。また、同図の背面側には、不図示のレンズやマイクが設けられている。
【００８７】
モードダイヤル２３は、▲１▼カメラの設定を変更したり、確認するためのＳＥＴＵＰモード、▲２▼動画を記録するための動画モード、▲３▼レリーズキー２１を押している間、連続した撮影を行う連写モード、▲４▼文字を撮影するためのモードであり、階調を無くして２値データとして記録する文字モード、▲５▼音声を録音するための音声モード、▲６▼記録したファイルを再生するための再生モード、▲７▼パソコンと接続して、パソコンにファイルを送ったり、パソコンからカメラ操作するためのＰＣモード、および▲８▼撮影した画像の送信やインターネット機能を利用するための通信モードを選択するためのものである。
【００８８】
図６は、図１のデジタルカメラ１００の構成を示すブロック図である。同図において、１００は、デジタルカメラを示している。デジタルカメラ１００は、同図に示す如く、デジタルカメラの全体の制御を行うシステム制御部１０１と、被写体を撮像して画像データを出力するカメラ部１０２と、カメラ部１０２から出力される画像データに対して画像処理等を行う画像データ記録・再生部１０３と、画像データ等の表示を行う表示部１０４と、音声データの記録・再生を行うための音声データ記録・再生部１０５と、ユーザがデジタルカメラに動作指示を与えるための操作部１０６およびタッチパネル操作部１０７と、画像データ等の各種データが格納される記録部１０８と、ＰＣ／ＩＦ部１０９と、カードスロット部１１０と、並びに電源部１１１とを備えている。
【００８９】
上記カメラ部１０２は、上述したように被写体を撮像して画像データを出力するためのものであり、被写体像を結像するためのレンズ（ズームレンズ、フォーカスレンズ）、シャッター、およびアイリスや、レンズ（ズームレンズ、フォーカスレンズ）、シャッター、およびアイリス等を駆動するためのモータと、モータを駆動するためのモータドライバ、結像された被写体像を電気信号（アナログの画像データ）に変換するＣＣＤ、該ＣＣＤを駆動するためのＣＣＤ駆動回路、ＣＣＤから出力される画像データの低雑音化のためのＣＤＳ回路、ＣＣＤから出力されるアナログの画像データをデジタル信号（デジタル画像データ）に変換するＡ／Ｄ変換器等を備える。
【００９０】
画像データ記録・再生部１０３は、ＩＰＰ１１５とフレームメモリ１１６からなり、カメラ部１０２のＣＣＤ駆動回路を制御してＣＣＤ駆動タイミングやレンズ駆動モータを制御してフォーカシングや露出調整、画像信号の圧縮伸長、画像信号を表示部１０４のＬＣＤに表示するための信号処理を行い、また、ユーザーインターフェースのための種々のグラフィック画像を生成し、表示部１０４のＬＣＤに表示するためのものである。表示部１０４は、ＬＣＤを備え、画像を表示し、また、ユーザインターフェースのためのグラフィックを表示するためのものである。
【００９１】
上記記録部１０８には、画像データ、サムネール画像データ、メールデータ、手書きデータ、音声データや、その他のデータが記録される。ＰＣ／ＩＦ部１０９は、ＲＳ２３２ＣやＵＳＢ等で外部装置（例えば、パソコン）とデータ通信するためのインターフェースである。カードスロット部１１０は、ＰＣＭＣＩＡ規格に準拠したＰＣカードを差し込むためのアダプターである。ＰＣカードとしては、無線若しくは有線でデータ通信を行うための通信カードやメモリカード等がカードスロット部１１０に差し込まれる。
【００９２】
操作部１０６は、ユーザがデジタルカメラに動作指示を与えるためのものであり、上記図５に示した操作ボタン（電源キー２０、レリーズキー２１、ズームレバー２２、ＪＯＢＮＡＢＩボタン２４、ＤＩＳＰＬＡＹキー２５、ＭＥＮＵキー２６、スクロールキー２７、ＳＥＬＥＣＴキー２８、ＥＮＴＥＲキー２９、ＣＡＮＣＥＬキー３０、ストロボキー３１、ＰＩＣキー３２）やモードダイヤル２１、および、操作ボタンやモードダイヤル２１の状態を検出してシステム制御部１０１に通知するキー制御部等を備えている。
【００９３】
タッチパネル操作部１０７は、表示部１０４のＬＣＤに貼り付けられたタッチパネル部と、タッチパネル部からの入力をＣＰＵ１１２に通知するパネル制御部とを備えている。
【００９４】
音声データ記録・再生部１０５は、マイク、アンプ、Ａ／Ｄ変換器、Ｄ／Ａ変換器等を備えており、マイクを介して入力される音声をＡ／Ｄ変換して音声データとしてシステム制御部１０１に出力し、また、システム制御部１０１から入力される音声データをＤ／Ａ変換して、スピーカーから出力する。
【００９５】
上記システム制御部１０１は、上述したように、デジタルカメラの全体を制御するユニットであり、ＦＬＡＳＨ＿ＲＯＭ１１４に格納されたプログラムに従って、ＳＤ−ＲＡＭ１１３をワークエリアとして使用してデジタルカメラの各種の制御を行うＣＰＵ１１２と、制御プログラムやフォント、アイコン等が記録されたＦＬＡＳＨ＿ＲＯＭ１１４と、ＣＰＵ１１２のワークエリアとして使用されるＳＤ−ＲＡＭ１１３とを備えている。また、システム制御部１０１は、ＡＥ・ＡＦ・ＡＷＢ処理、画像編集／合成処理（レタッチ・上書き文字等の処理）、撮影リスト処理（リスト作成／フォルダ管理）、暗号化／電子すかし処理、および表示部１０４の表示の制御等、メモリ制御、並びにデータ通信の制御を実行する。また、システム制御部１０１は、各モード（ＳＥＴＵＰモード、静止画撮影モード、動画モード、連写モード、文字モード、撮影リストモード、撮影リスト撮影モード、音声モード、再生モード、ＰＣモード、通信モード）を備えており、各モードの実行を制御する。
【００９６】
上述のデジタルカメラ１００は、静止画撮影、動画撮影、音声記録、二値画像記録が可能となっており、さらに、Ｅメールの送受信機能、Ｗｅｂブラウジング機能、自動ＨＴＭＬ作成機能、ホームページサーバー機能を備えている。これら各機能は、ＣＰＵ１１２が、ＦＬＡＳＨ−ＲＯＭ１１４に格納されたプログラムを実行することにより実現される。また、上述のシステム制御部１０１は、撮影リストを使用して撮影を行う撮影リストモードを備えており、この撮影リストモードでは、モード保持機能を有しており、モード情報をＳＤ−ＲＡＭ１１３に格納しておき、撮影リストモードの実行中に、他のモードに切り替えられた場合や電源がＯＦＦされた場合に、前回の撮影リストモードを引継ぎ、中断したところから作業を行うことが可能となっている。また、デジタルカメラ１００では、自機で撮影リストファイルの作成が可能となっており、この撮影リストファイルは記憶部１０８に記憶される。
【００９７】
つぎに、上述の▲１▼撮影リストモード、▲２▼通信モード、▲３▼メモ入力モードの表示部１０４の表示画面について説明する。
【００９８】
▲１▼撮影リストモード
撮影リストモードの表示部１０４の表示画面例を図７を参照して説明する。操作部１０６のＪＯＢＮＡＶＩボタン２４が押下されると、撮影リストモードとなり、記録部１０８に記録されている撮影リストファイルの撮影リスト名（タイトル名）の一覧が表示部１０４に表示される。図７（Ａ）は、表示部１０４に表示される撮影リスト名の一覧の表示例を示している。ここで、操作者による操作部１０６の操作（スクロールキー、ＳＥＬＥＣＴキー）やタッチパネル操作部１０７の操作（タッチペン）で撮影リスト名の一覧の中から撮影リスト名が選択される。そして、撮影リスト名が選択されると、選択された撮影リストのカット名の一覧が表示部１０４に表示される。図７（Ｂ）は、図７（Ａ）で、撮影リスト”ビジネスショー９８”が選択された場合の撮影リスト”ビジネスショー９８”のカット名の一覧の表示例を示している。さらに、操作者の操作部１０７やタッチパネル操作部１０７の操作でカット名の一覧の中からカット名が選択されると、撮影リスト撮影モード（記録モード）となり撮影可能状態となる。なお、撮影リストモードで撮影可能となる状態を撮影リスト撮影モードと称する。デジタルカメラ１００では、撮影リスト毎にフォルダが作成され、同一の撮影リストで撮影された画像ファイルは同一のフォルダに登録される（図５５参照）。
【００９９】
▲２▼通信モード
通信モードの表示部１０４の表示画面例を図８および図９を参照して説明する。操作部１０６のモードダイヤルで通信モードが選択されると、通信モードとなり、図８に示す通信モードの初期選択画面が表示される。この初期選択画面では、メールモード、ダイレクト送信モード、ＦＡＸモード、Ｗｅｂモード、ＦＴＰアップロードモードの選択が行われる。ここで、Ｗｅｂモードが選択されると、Ｗｅｂモードとなり、図９に示す接続情報の設定・確認画面が表示される。この接続情報の設定・確認画面で接続情報の設定・確認が行われ、「接続」が選択されると、インターネットへの接続が開始され、ブラウザ画面が表示される。
【０１００】
▲３▼メモ入力モード
メモ入力モードの表示部１０４の表示画面例を図１０〜図１８を参照して説明する。メモ情報としては、文字情報（テキスト文字、手書き文字）および音声情報が入力可能となっている。再生モードの画像再生画面で、タッチパネル操作部１０７の操作（タッチペン）でメモ入力モードが選択されると、例えば、図１０に示すメモ入力選択画面を表示する。図１０に示すメモ入力選択画面では、メモの入力モードの選択を促すメッセージ”編集作業を選択して下さい”とともに、メモ入力モードとして、”テキストメモ編集Ａ１”、”アフレコＡ２”、”手書きメモ単独編集Ａ３”、”手書きメモ合成編集Ａ４”、”手書きメモ関連編集Ａ５”が表示されている。そして、図１０で”テキストメモ編集Ａ１”が選択されると、図１１に示すテキストメモの画面が表示される。そして、テキストメモの画面でタップＡ１０が選択されると、図１２に示すソフトウエアキーボードの画面が表示される。ユーザは、このソフトウエアキーボードの画面でテキスト文字を入力する。システム制御部１０１は、この入力されたテキスト文字をメモファイルとして記録部１０８に記録する。
【０１０１】
また、図１０に示すメモ入力選択画面で”アフレコＡ２”が選択されると、図１３に示すアフレコの入力画面が表示される。そして、アフレコの画面で”ＯＫＢ１”が選択されると、図１４に示すアフレコの入力を促すメッセージの画面が表示される。そして、レリーズキー２１が押下されると、図１５に示す録音中の画面が表示される。ユーザはレリーズキー２１が押下されている間にアフレコを音声で入力する。そして、図１５の画面で”終了Ｂ２”が選択されると、アフレコを終了して、図１６に示す画面が表示され、システム制御部１０１は、この画面が表示されている間に、入力されたアフレコを音声ファイルとして記録部１０８に記録する。
【０１０２】
また、図１０に示すメモ入力選択画面で”手書きメモ単独編集Ａ３”が選択されると、図１７に示す手書きメモ単独編集画面が表示される。ユーザはこの単独編集画面で、タップ選択領域Ｓ２でタップを選択し、選択したタップを使用して描画領域Ｓ１で手書き文字を入力する。また、図１７のタップ選択領域Ｓ２でパレットタップが選択されると、図１８に示す色パレットの画面が表示され、ユーザは所望のパレットを選択する。これにより、手書き文字の色を選択することが可能となる。図１７または図１８の画面で”保存Ｐ１”が選択されると、システム制御部１０１は、この入力された手書き文字をメモファイルとして記録部１０８に記録する。
【０１０３】
つぎに、上記構成のデジタルカメラ１００の撮影の基本動作の概略を説明する。カメラ部１０２において、レンズを介してＣＣＤ上に結像された被写体像が画像データ（電気信号）に変換された後、ＣＤＳ回路でノイズが除去され、Ａ／Ｄ変換器でデジタル画像データに変換される。このデジタル画像データは、ＩＰＰ１１５に入力され、フレームメモリ（ＳＤ−ＲＡＭ）１１６に保持された後、ＩＰＰ１１５により、ホワイトバランス調整、アパーチャー補正、階調補正等の画像処理およびデータ圧縮処理され、フレームメモリ（ＳＤ−ＲＡＭ）１１６に書き込まれる。フレームメモリ（ＳＤ−ＲＡＭ）１１６に書き込まれたデータは、ＣＰＵ１１２により、所定のファイル形式（例えば、ＥＸＩＦ等のフォーマット形式）で記録部１０８に記録される。
【０１０４】
つぎに、デジタルカメラ１００がＷｅｂサーバーのホームページをブラウジングする場合の動作の概略を説明する。まず、操作部１０２およびタッチパネル操作部１０７の操作でＷｅｂモードが選択されて所定の操作が行われると、ＣＰＵ１２１は、Ｗｅｂサーバーからネットワーク４００を経由して、カードスロット部１１０の通信カードを介して取り込んだＷｅｂ情報を、フレームメモリ１１６内に表示用データとして書き込む。フレームメモリ１１２に書き込まれた表示用データは、ＩＰＰ１１５により、表示部１０４に表示される。そして、操作部１０６のレリーズキー２１が押下されると、ＩＰＰ１１５でフレームメモリ１１６内の表示用データの圧縮処理が行われた後、ＣＰＵ１２１により、撮影データのファイル形式（例えば、ＥＸＩＦ等のフォーマット形式）で記録部１０８に書き込まれる。また、操作部１０６からズームレーバー２２の入力を検出すると、ＣＰＵ１１２は、フレームメモリ１１６内の表示データの拡大／縮小処理を行い、それに応じて表示部１０４の表示が変更（拡大／縮小）される（図６６〜図６８参照）。
【０１０５】
［本実施の形態にかかるパーソナルコンピュータの構成］
図１９は、図１のパーソナルコンピュータ２００を示しており、パーソナルコンピュータ２００は、操作指示を与える入力部２０１と、表示部２０２と、装置全体の制御を司るＣＰＵ２０３と、外部装置とデータ通信を行うためのデータ通信部２０４と、記録媒体２０６のデータのリード／ライトを行う記録媒体ドライブ装置２０５と、ＣＰＵ２０３を動作させるプログラム等を格納した記録媒体２０６と、およびＣＰＵ２０３のワークエリアとして使用されるＲＡＭ２０７と、を備えている。各部は、バスを介して互いに接続されている。
【０１０６】
上記入力部２０１は、カーソルキー、数字入力キーおよび各種機能キー等を備えたキーボード、マウス、並びに画像を読みとるスキャナ等からなる。この入力部２０１は、必ずしもパーソナルコンピュータ２００にローカルに接続される必要はなく、ＰＨＳ・リモートターミナル（例えば、Personal  Digital  Assistant）等のリモート装置や、当該パーソナルコンピュータ２００と双方向でデータ通信が可能な装置等を入力手段として使用しても良い。また、入力部２０１は、ＣＰＵ２０３に操作コマンドを与えて動作させるためのユーザーインターフェースである。なお、入力部２０１としては、上記したものに限られるものではなく、タッチパネル、トラックボールや音声認識機構等を用いても良い。
【０１０７】
上記表示部２０２は、ＣＲＴ（Cathod  Ray Tube）ＬＣＤ（Liquid  Crystal  Display）や、プラズマディスプレイ等により構成され、ＣＰＵ２０３から入力される表示データに応じた表示が行われる。
【０１０８】
上記ＣＰＵ２０３は、例えば、３２ビットマイクロプロセッサ、他のマイクロプロセッサ、ＤＳＰ（Digital  Signal  Prosessor）や、プログラマブルロジック等からなる。また、ＣＰＵ２０３は、必ずしもシングルプロセッサである必要はなく、分散処理をするタイプのものでも良い。このＣＰＵ２０３は、記録媒体２０６に格納されているプログラムに従って、装置全体を制御する中央制御ユニットであり、このＣＰＵ２０３は、入力部２０１、表示部２０２、データ通信部２０４、記録媒体ドライブ装置２０５、およびＲＡＭ２０７が接続されており、データ通信、メモリへのアクセスによるアプリケーションプログラムの読み出しや各種データのリード／ライト、データ／コマンド入力、カラー表示等を制御する。
【０１０９】
上記データ通信部２０４は、電話回線、ＩＳＤＮ（Integrated  Services  Digital  Network）、ＬＡＮ（Local Area  Network）や、ＷＡＮ（Wide  Area  Network）等のネットワークに接続され、内蔵したモデム（図示せず）を経て電話回線を介してデータ通信を行う。また、データ通信部２０４は、ＲＳ２３２ＣインターフェースやＩｒＤＡインターフェースを備えており、デジタルカメラ等の外部機器と前述のＲＳ２３２Ｃインターフェースを介してケーブル（有線）によるデータ通信や前述のＩｒＤＡインターフェースを介して赤外線（無線）によるデータ通信を行う。
【０１１０】
上記記録媒体２０６は、ＣＰＵ２０３が実行可能なＯＳプログラム（例えば、ＷＩＮＤＯＷＳ）やアプリケーションプログラム等の各種プログラムやデータを格納する。アプリケーションプログラムとしては、例えば、上述したデジタルカメラの撮影リスト等の作成を行うためのデジタルカメラ用プログラム等がある。また、記録媒体２０６には、デジタルカメラの機種毎の使用可能な機能が登録された機種テーブルが記憶されている。具体的には、この機種テーブルには、機種コードに対応させて各機種が使用可能な機能（機種能力情報）が登録されている。図７０は、機種テーブルの一例を示す。同図に示す如く、機種テーブルには、機種コード（ｉ７００、ｉ８００、ｉ９００）毎に各項目の機種能力情報が登録されている。上述の記録媒体２０６は、例えば、フロッピーディスク、ハードディスク、ＣＤ−ＲＯＭ、ＤＶＤ−ＲＯＭ、ＭＯやＰＣカード等の光学的・磁気的・電気的な記録媒体からなる。上記各種プログラムは、ＣＰＵ２０３が直接または間接に解釈可能なオブジェクトコードやソースコード等の形態で記録媒体２０６に格納されている。記録媒体２０６に格納されたプログラムはネットワークを介して配信可能である。
【０１１１】
上記ＲＡＭ２０７は、指定されたプログラム、入力指示、入力データおよび処理結果等を格納するワークメモリと、表示部２０２の表示画面に表示する表示データを一時的に格納する表示メモリとを備えている。カードスロット部２０８は、ＰＣＭＣＩＡ規格に準拠したＰＣカード等を差し込むためのアダプターである。ＰＣカードとしては、メモリカード等がカードスロット部１１０に差し込まれる。
【０１１２】
パーソナルコンピュータ２００では、記録媒体２０６に格納されているデジタルカメラ用プログラムを起動して、撮影リストファイルを作成し、作成した撮影リストファイルをデジタルカメラ１００に転送する。
【０１１３】
［本実施の形態にかかるデジタルカメラの記録動作の実施例］、
つぎに、上記デジタルカメラの記録動作の（実施例１）〜（実施例９）を説明する。
【０１１４】
（実施例１）
実施例１を図２０〜図２２を参照して説明する。図２０は実施例１におけるデジタルカメラ１００側の動作を説明するためのフローチャート、図２１は撮影リストファイルの一例、図２２は画像ファイルのフォーマットの一例を示している。実施例１では、撮影リストのカット名の一覧を表示し、表示されたカット名の一覧の中からカット名が選択されると撮影リスト撮影モード（記録モード）に移行し、ユーザーによりレリーズキー２１が押下されると、撮影を行って撮影した画像データの画像ファイルに選択されたカット名を付加させる場合の動作を説明する。
【０１１５】
図２０において、まず、デジタルカメラ１００では、パーソナルコンピュータ２００と接続して撮影リストを読み込み、記録部１０８に格納する（ステップＳ１０１）。図２１は、撮影リストの一例を示している。撮影リストには、タイトル名（撮影リスト名）と、記録すべき被記録対象のカット名が記載されている。つづいて、システム制御部１０１は、操作部１０６のＪＯＢＮＡＶＩボタン２４が押されたか否かを判断し（ステップＳ１０２）、操作部１０６のＪＯＢＮＡＶＩボタン２４が押された場合には、撮影リストモードに入り、記録部１０８に格納されている撮影リストの撮影リスト名の一覧を表示部１０４に表示する（ステップＳ１０３）。図７の（Ａ）は、表示部１０４に表示される撮影リスト名の一覧表示の表示例を示している。ここで、操作者のタッチパネル操作部１０７の操作で撮影リスト名の一覧の中から撮影リストが選択される。
【０１１６】
システム制御部１０１は、撮影リストの一覧の中から撮影リストが選択されたか否かを判断する（ステップＳ１０４）。そして、撮影リストが選択されると、選択された撮影リストのカット名の一覧を表示部１０４に表示する（ステップＳ１０５）。図７（Ｂ）は、図７（Ａ）で、撮影リスト”ビジネスショー９８”が選択された場合の撮影リスト”ビジネスショー９８”のカット名の表示例を示している。ここで、操作者のタッチパネル操作部１０７の操作でカット名の一覧の中からカット名が選択される。
【０１１７】
システム制御部１０１は、カット名の一覧の中からカット名が選択されたか否かを判断する（ステップＳ１０６）。システム制御部１０１は、カット名が選択されると撮影リスト撮影モード（記録モード）に移行し、撮影可能状態とする（ステップＳ１０７）。ここで、操作者はカット名に対応する被写体を選択し、撮影を行うことになる。
【０１１８】
つづいて、システム制御部１０１は、操作部１０６のレリーズキー２１が押下されると、被写体を撮影する（ステップＳ１０８）。撮影後、”カット名を撮影した画像のＥＸＩＦファイル（画像ファイル）内に記録するか否か”の選択を促すメッセージを表示部１０４に表示し、操作者のタッチパネル部１０７の操作で、”カット名を撮影した画像のＥＸＩＦファイル（画像ファイル）内に記録する”が選択されたか否かを判断する（ステップＳ１０９）。”カット名を撮影した画像のＥＸＩＦファイル（画像ファイル）内に記録する”が選択された場合には、システム制御部１０１は、カット名をＥＸＩＦファイル（画像ファイル）のヘッダー（パラメータ）内にカット名を付加し（ステップＳ１１０）、撮影した画像データを記録部１０８にＥＸＩＦファイル（画像ファイル）として格納する（ステップＳ１１１）。
【０１１９】
図２２は、ＥＸＩＦファイルのフォーマットの一例を示している。同図に示す如く、ＥＸＩＦファイルは、ヘッダー領域と、画像データ領域とからなり、ヘッダーにカット名を記録する。
【０１２０】
他方、ステップＳ１０９で、”カット名を撮影した画像のＥＸＩＦファイル内に記録しない”が選択された場合には、システム制御部１０１は、カット名をＥＸＩＦファイルのパラメータ（ヘッダー）内に付加しないで、記録部１０８に撮影した画像データをＥＸＩＦファイル（画像ファイル）として格納する（ステップＳ１１１）。
【０１２１】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０１２２】
以上説明したように、上記動作例１によれば、撮影リストのカット名の一覧を表示し、表示されたカット名の一覧の中からカット名が選択されると記録モード（撮影リスト撮影モード）に移行し、レリーズキー２１が押下されると撮影を行い、撮影した画像データの画像ファイルのパラメータ内に選択されたカット名を付加することとしたので、使用者は、撮影リストを使用して、撮影の段階では必要なカットの取り忘れを防止でき、また、撮影後の段階では、どの画像がどのカット名に対応するかを間違えることを防止でき、使用者の使い勝手が良くなる。
【０１２３】
（実施例２）
実施例２を図２３および図２４を参照して説明する。図２３は実施例２におけるデジタルカメラ１００側の動作を説明するためのフローチャート、図２４は撮影後の撮影リストを示している。実施例２では、撮影リストファイルのカット名の一覧を表示し、表示されたカット名の一覧の中からカット名が選択された後、記録（静止画撮影、動画撮影、音声記録、二値画像記録）されたデータ（静止画、動画、音声、二値画像）のファイルを、選択されたカット名に関連づけて記憶する場合の動作を説明する。
【０１２４】
図２３において、まず、デジタルカメラ１００では、パーソナルコンピュータ２００と接続して撮影リストを読み込み、記録部１０８に格納する（ステップＳ１２１）。上記図２１は撮影リストのフォーマットの一例である。撮影リストには、記録すべき被記録対象のカット名が記載されている。
【０１２５】
そして、システム制御部１０１は、操作部１０６のＪＯＢＮＡＶＩボタン２４が押されたか否かを判断し（ステップＳ１２２）、操作部１０６のＪＯＢＮＡＶＩボタン２４が押された場合には、撮影リストモードに移行し、記録部１０８に格納されている撮影リストの撮影リスト名の一覧を表示部１０４に表示する（ステップＳ１２３）。上記図７の（Ａ）は、撮影リスト名の一覧表示の表示例を示している。ここで、操作者のタッチパネル操作部１０７の操作で撮影リスト名の一覧の中から撮影リストが選択される。
【０１２６】
システム制御部１０１は、撮影リストの一覧の中から撮影リストが選択されたか否かを判断し（ステップＳ１２４）、撮影リストが選択されると、選択された撮影リストのカット名の一覧を表示部１０４に表示する（ステップＳ１２５）。上記図７（Ｂ）は、上記図７（Ａ）で、撮影リスト”ビジネスショー９８”が選択された場合の撮影リスト”ビジネスショー９８”のカット名の表示例を示している。ここで、操作者のタッチパネル操作部１０７の操作でカット名の一覧の中からカット名が選択される。
【０１２７】
システム制御部１０１は、カット名の一覧の中からカット名が選択されたか否かを判断する（ステップＳ１２６）。システム制御部１０１は、カット名が選択されると撮影リスト撮影モード（記録モード）に移行し、記録可能状態とする（ステップＳ１２７）。そして、操作者の操作部１０６の操作で記録が指示されると（ステップＳ１２８）、システム制御部１０１は、関連ファイルの作成を行うか否かの選択を促すメッセージを表示部１０４に表示する。
【０１２８】
そして、システム制御部１０１は、操作者のタッチパネル操作部１０７の操作で、”関連ファイルの作成を行う”が選択されたか否かを判断する（ステップＳ１２９）。”関連ファイルの作成を行う”が選択されたか場合には、システム制御部１０１は、記録指示が静止画の記録である場合には（ステップＳ１３０）、静止画撮影を行い（ステップＳ１３４）、動画の記録である場合には（ステップＳ１３１）、動画撮影を行い（ステップＳ１３５）、音声の記録である場合には（ステップＳ１３２）、音声記録処理を行い（ステップＳ１３６）、二値画である場合には（ステップＳ１３３）、二値画像を記録し（ステップ１３７）、ステップＳ１３８に移行する。
【０１２９】
さて、ステップＳ１３８では、関連ファイル保存処理を実行し、取り込んだ記録データをＥＸＩＦファイルとして記録部１０８に格納すると共に、取り込んだ記録データのファイルを撮影リストに、選択されたカット名に関連させて登録する。他方、ステップＳ１２９で、関連ファイルを作成しないが選択された場合には、記録指示に従って記録を行い取り込んだ記録データをＥＸＩＦファイルとして格納する（ステップＳ１３９）。
【０１３０】
図２４は、上記図２１の撮影リスト（未撮影）の撮影後のフォーマットの一例を示す。同図に示すように、カット名が選択された後に記録された記録データの記録ファイルのファイル名がカット名の下に登録される。
【０１３１】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０１３２】
以上説明したように、動作例２によれば、撮影リストのカット名が選択された後に、記録した記録データの記録ファイルを選択されたカット名に関連づけて撮影リストに登録することとしたので、使用者は、撮影の段階では、撮影リストを使用して、必要なカットの取り忘れを防止でき、また、撮影後の段階では、どの画像がどのカット名に対応するかを間違えることを防止でき、使用者の使い勝手が良くなる。
【０１３３】
（実施例３）
実施例３を図２５を参照して説明する。図２５は実施例３におけるデジタルカメラ１００側の動作を説明するためのフローチャートを示している。実施例３では、撮影リストのカット名が選択された後に、撮影した画像データの画像ファイルのファイル名を選択されたカット名を含むようにする場合の動作を説明する。
【０１３４】
図２５において、まず、デジタルカメラ１００では、パーソナルコンピュータ２００と接続して撮影リストを読み込み、記録部１０８に格納する（ステップＳ１４１）。上記図２１は撮影リストの一例を示している。撮影リストには、撮影リストのタイトル名（撮影リスト名）、記録すべき被記録対象のカット名が含まれている。つづいて、システム制御部１０１は、操作部１０６のＪＯＢＮＡＶＩボタン２４が押されたか否かを判断し（ステップＳ１４２）、操作部１０６のＪＯＢＮＡＶＩボタン２４が押された場合には、撮影リストモードに入り、記録部１０８に格納されている撮影リストの撮影リスト名の一覧を表示部１０４に表示する（ステップＳ１４３）。
【０１３５】
上記図７の（Ａ）は、撮影リスト名の一覧表示の表示例を示している。ここで、操作者のタッチパネル操作部１０７の操作で撮影リスト名の一覧の中から撮影リストが選択される。システム制御部１０１は、撮影リストの一覧の中から撮影リストが選択されたか否かを判断する（ステップＳ１４４）。そして、撮影リストが選択されると、システム制御部１０１は、選択された撮影リストのカット名の一覧を表示部１０４に表示する（ステップＳ１４５）。上記図７（Ｂ）は、上記図７（Ａ）で、撮影リスト”ビジネスショー９８”が選択された場合の撮影リスト”ビジネスショー９８”のカット名の表示例を示している。ここで、操作者のタッチパネル操作部１０７の操作でカット名の一覧の中からカット名が選択される。
【０１３６】
システム制御部１０１は、カット名の一覧の中からカット名が選択されたか否かを判断する（ステップＳ１４６）。システム制御部１０１は、カット名が選択されると撮影リスト撮影モード（記録モード）に移行し、撮影可能状態とする（ステップＳ１４７）。これにより、使用者はカット名に対応する被写体の取り忘れを防止できる。そして、操作部１０６のレリーズキー２１の操作に応じて撮影を行う（ステップＳ１４８）。
【０１３７】
撮影後、システム制御部１０１は、”ファイル名をカット名にするか否か”の選択を促すメッセージを表示部１０４に表示し、操作者のタッチパネル部１０７の操作で、”ファイル名をカット名にする”が選択されたか否かを判断する（ステップＳ１４９）。操作者のタッチパネル操作部１０７の操作で、”ファイル名をカット名にする”が選択された場合には、ステップＳ１５０に移行し、システム制御部１０１は、画像が複数あるか否かを判断する。この判断の結果、画像が複数ない場合にはステップＳ１５２に移行する一方、画像が複数ある場合には、ステップＳ１５１に移行して、ファイル名を連番処理してステップＳ１５２に移行する。具体的には、連番処理では、例えば、”写真１”が３枚ある場合には、”写真１〜１”、”写真１〜２”、”写真１〜３”のような処理を行う。
【０１３８】
さて、ステップＳ１５２では、選択したカット名を読み出して画像ファイルのファイル名をカット名を含むファイル名とし（ステップＳ１５２）、撮影した画像ファイルを記録部１０８にＥＸＩＦファイルとして格納する（ステップＳ１５３）。
【０１３９】
他方、ステップＳ１４９で、”ファイル名をカット名を含むファイル名にする”が選択されなっかた場合には、カット名を含まない通常のファイル名で撮影した画像ファイルをＥＸＩＦファイルとして格納する（ステップＳ１５３）。
【０１４０】
ここで、カット名を含むファイル名の具体例を説明する。例えば、カット名”ＲＩＣＯＨ”が選択され、撮影された画像が１枚の場合には、ファイル名を、”ＲＩＣＯＨ．ｊｐｇ”とする。また、例えば、カット名”ＣＡＭＯＮ”が選択され、撮影された画像が３枚の場合には、各ファイル名は、”ＣＡＭＯＮ０１．ｊｐｇ”、”ＣＡＭＯＮ０２．ｊｐｇ”、”ＣＡＭＯＮ０３．ｊｐｇ”と連番とする。
【０１４１】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０１４２】
以上説明したように、上記実施例３によれば、撮影リストのカット名の一覧を表示部１０４に表示し、表示されたカット名の中からカット名を選択し、その後撮影されて得られる画像データのファイル名の少なくとも一部にカット名を含むようにしたので、使用者は、撮影の段階では、撮影リストを使用して、必要なカットの取り忘れを防止でき、また、撮影後の段階では、どの画像がどのカット名に対応するかを間違えることを防止でき、使用者の使い勝手が良くなる。
【０１４３】
（実施例４）
実施例４を図２６および図２７を参照して説明する。図２６は実施例４におけるデジタルカメラ１００側の動作を説明するためのフローチャート、図２７は画像データに選択されたカット名を合成する場合を説明するための説明図を示す。実施例４では、撮影リストのカット名が選択された後に、撮影した画像データにカット名を合成する場合の動作を説明する。
【０１４４】
図２６において、まず、デジタルカメラ１００では、パーソナルコンピュータ２００と接続して撮影リストを読み込み、記録部１０８に格納する（ステップＳ１６１）。上記図２１は撮影リストの一例を示している。撮影リストには、記録すべき被記録対象のタイトルを示すカット名が含まれている。つづいて、システム制御部１０１は、操作部１０６のＪＯＢＮＡＶＩボタン２４が押されたか否かを判断し（ステップＳ１６２）、操作部１０６のＪＯＢＮＡＶＩボタン２４が押された場合には、撮影リストモードに入り、記録部１０８に格納されている撮影リストの撮影リスト名の一覧を表示部１０４に表示する（ステップＳ１６３）。
【０１４５】
図７の（Ａ）は、表示部１０４の撮影リスト名の一覧表示の表示例を示している。ここで、操作者のタッチパネル操作部１０７の操作で撮影リスト名の一覧の中から撮影リストが選択される。システム制御部１０１は、撮影リストの一覧の中から撮影リストが選択されたか否かを判断する（ステップＳ１６４）。そして、システム制御部１０１は、撮影リストが選択されると、選択された撮影リストのカット名の一覧を表示部１０４に表示する（ステップＳ１６５）。
【０１４６】
上記図７（Ｂ）は、上記図７（Ａ）で、撮影リスト”ビジネスショー９８”が選択された場合の撮影リスト”ビジネスショー９８”のカット名の表示例を示している。ここで、操作者のタッチパネル操作部１０７の操作でカット名の一覧の中からカット名が選択される。
【０１４７】
システム制御部１０１は、カット名の一覧の中からカット名が選択されたか否かを判断する（ステップＳ１６６）。システム制御部１０１は、カット名が選択されると撮影リスト撮影モード（記録モード）に移行し、撮影可能状態となる（ステップＳ１６７）。これにより、使用者はカット名の被写体の取り忘れを防止できる。そして、操作部１０６のレリーズキー２１の操作に応じて撮影を行う（ステップＳ１６８）。
【０１４８】
撮影後、システム制御部１０１は、カット名を撮影した画像に合成するか否かの選択を促すメッセージを表示部１０４に表示する。システム制御部１０１は、操作者の操作部１０６の操作で”カット名を撮影した画像に合成する”が選択されたか否かを判断する（ステップＳ１６９）。そして、操作者の操作部１０６の操作で、カット名を撮影した画像に合成するが選択された場合には、システム制御部１０１は、撮影した画像にカット名を合成し、合成画像の画像ファイルを作成する（ステップＳ１７０）。そして、この画像ファイルを記録部１０８にＥＸＩＦファイルとして格納する（ステップＳ１７１）。他方、ステップＳ１６９で、”カット名を撮影した画像に合成する”が選択されなかった場合には、撮影した画像のＥＸＩＦファイルを記録部１０８に格納する（ステップＳ１７１）。
【０１４９】
図２７は撮影した画像にカット名を合成した合成画像を説明するための図である。例えば、カット名として、”ＲＩＣＯＨ”が選択された後、図２７の（Ａ）に示す画像が撮影された場合に、カット名”ＲＩＣＯＨ”を図２７の（Ａ）に示す撮影画像に合成して、図２７の（Ｂ）に示すような合成画像を作成する。
【０１５０】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０１５１】
以上説明したように、上記実施例４によれば、撮影リストを表示部１０４に表示し、表示された撮影リストの中からカット名を選択し、その後撮影されて得られる画像データにカット名を合成することとしたので、使用者は、撮影の段階では撮影リストを使用して、必要なカットの取り忘れを防止でき、また、撮影後の段階では、どの画像がどのカット名に対応するかを間違えることを防止でき、使用者の使い勝手が良くなる。
【０１５２】
（実施例５）
実施例５を図２８および図２９を参照して説明する。図２８は実施例５におけるデジタルカメラ１００側の動作を説明するためのフローチャート、図２９は表示部１０４の表示例を示す。実施例５では、撮影リストを表示部１０４に表示し、ユーザが表示された撮影リストの中からカット名を選択し、選択されたカット名を見ながら撮影を行う場合の動作を説明する。
【０１５３】
図２８において、まず、デジタルカメラ１００では、パーソナルコンピュータ２００と接続して撮影リストを読み込み、記録部１０８に格納する（ステップＳ１８１）。上記図２１は撮影リストの一例を示している。撮影リストには、記録すべき被記録対象のタイトルを示すカット名が記載されている。つづいて、システム制御部１０１は、操作部１０６のＪＯＢＮＡＶＩボタン２４が押されたか否かを判断し（ステップＳ１８２）、操作部１０６のＪＯＢＮＡＶＩボタン２４が押された場合には、撮影リストモードに入り、記録部１０８に格納されている撮影リストの撮影リスト名の一覧を表示部１０４に表示する（ステップＳ１８３）。
【０１５４】
上記図７（Ａ）は表示部１０４に表示される撮影リスト名の一覧表示の表示例を示している。ここで、操作者のタッチパネル操作部１０７の操作で撮影リスト名の一覧の中から撮影リストが選択される。システム制御部１０１は、撮影リストの一覧の中から撮影リストが選択されたか否かを判断する（ステップＳ１８４）。そして、撮影リストが選択されると、選択された撮影リストのカット名の一覧を表示部１０４に表示する（ステップＳ１８５）。図７（Ｂ）は、図７（Ａ）で、撮影リスト”９８ビジネスショー”が選択された場合の撮影リスト”９８ビジネスショー”のカット名の表示例を示している。ここで、操作者のタッチパネル操作部１０７の操作でカット名の一覧の中からカット名が選択される。
【０１５５】
システム制御部１０１は、カット名の一覧の中からカット名が選択されたか否かを判断する（ステップＳ１８６）。カット名が選択されると撮影リスト撮影モード（記録モード）に入り、表示部１０４に被写体のモニタリング画像を表示する（ステップＳ１８７）。この場合、被写体のモニタリング画像と共に、表示部１０４の一部に選択されたカット名を併せて表示する。図２９は、図７（Ｂ）でカット名”入り口の写真”が選択された場合の画面の表示例を示している。図２９に示すように、表示部１０４には、被写体のモニタリング画像とカット名”入り口の写真”が表示されている。
【０１５６】
そして、操作部１０６のレリーズキー２１が押下されると、撮影を行い撮影した画像をＥＸＩＦ形式の画像ファイルとして記録部１０８に格納する（ステップＳ１８８）。そして、システム制御部１０１は、カット名の撮影が全て終了したか否かを判断し（ステップＳ１８９）、カット名を全て撮影した場合にはリターンする一方、カット名を全て撮影していない場合にはステップＳ１８５に戻り、カット名を全て撮影するまで同じ処理を繰り返す（ステップＳ１８５〜ステップＳ１８９）。
【０１５７】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０１５８】
以上説明したように、実施例５によれば、撮影リストを表示部１０４に表示し、ユーザが表示された撮影リストの中からカット名を選択し、選択されたカット名をモニタリング画像とともに表示することとしたので、使用者は、カット名を見ながら撮影を行うことができ、必要なカットの取り忘れを防止することが可能となり、使用者の使い勝手が良くなる。
【０１５９】
（実施例６）
実施例６を図３０を参照して説明する。図３０は実施例６におけるデジタルカメラ１００側の動作を説明するためのフローチャートを示す。実施例６では、撮影リストのカット名を表示部１０４に表示し、カット名が選択された場合に選択された後、撮影が行われた場合にカット名の横にチェックマークを入れ、さらに、カット名の撮影枚数を表示する場合の動作を説明する。
【０１６０】
図３０において、まず、デジタルカメラ１００では、パーソナルコンピュータ２００と接続して撮影リストを読み込み、記録部１０８に格納する（ステップＳ１９１）。撮影リストには、記録すべき被記録対象のタイトルを示すカット名が記載されている。つづいて、システム制御部１０１は、操作部１０６のＪＯＢＮＡＶＩボタン２４が押されたか否かを判断し（ステップＳ１９２）、操作部１０６のＪＯＢＮＡＶＩボタン２４が押された場合には、撮影リストモードに入り、記録部１０８に格納されている撮影リストの撮影リスト名の一覧を表示部１０４に表示する（ステップＳ１９３）。
【０１６１】
上記図７（Ａ）は表示部１０４に表示される撮影リスト名の一覧表示の表示例を示している。ここで、操作者のタッチパネル操作部１０７の操作で撮影リスト名の一覧の中から撮影リストが選択される。システム制御部１０１は、撮影リストの一覧の中から撮影リストが選択されたか否かを判断する（ステップＳ１９４）。そして、撮影リストが選択されると、選択された撮影リストのカット名の一覧を表示部１０４に表示する（ステップＳ１９５）。図７（Ｂ）は、図７（Ａ）で、撮影リスト”９８ビジネスショー”が選択された場合の撮影リスト”９８ビジネスショー”のカット名の表示例を示している。ここで、操作者のタッチパネル操作部１０７の操作でカット名の一覧の中からカット名が選択される。そして、システム制御部１０１は、カット名の一覧の中からカット名が選択されたか否かを判断する（ステップＳ１９６）。
【０１６２】
その後、撮影リスト撮影モード（記録モード）に入り、撮影可能状態となり（ステップＳ１９７）、表示部１０４にモニタリング画像を表示する。そして、操作部１０６のレリーズキー２１が押下されると、撮影を行い（ステップＳ１９８）、撮影した画像を撮影した画像をＥＸＩＦ形式の画像ファイルとして記録部１０８に格納する。カット名が選択されると、システム制御部１０１は、選択されたカット名にチェックを入れて、撮影済み枚数を表示させる（ステップＳ１９９）。
【０１６３】
そして、システム制御部１０１は、表示されたカット名の撮影が全て終了したか否かを判断し（ステップＳ２００）、表示されたカット名を全て撮影した場合にはリターンする一方、表示されたカット名を全て撮影していない場合にはステップＳ１９５に戻り、カット名を全て撮影するまで同じ処理を繰り返す（ステップＳ１９５〜ステップＳ２００）。
【０１６４】
図３１を参照して、実施例６における表示部１０４の具体的な表示例を説明する。上記図７（Ｂ）は撮影リストのカット名の選択画面を示している。上記図７（Ｂ）では、撮影リストのカット名の選択を促すメッセージ”撮影リストのカット名を選択して下さい。”と共に、撮影リスト”９８ビジネスショー”と、そのカット名の一覧”入り口の写真”、”キャモン”、”セロックス”、”ＮＣＣ”が表示されている。また、カット名の右横には各カット名の撮影済み枚数が表示される。同図において、ユーザにより、カット名が選択された後、撮影が行われると、図３１に示すように、選択されたカット名にチェックマーク（左の○の色を変える）を入れ、また、カット名の右横には各カット名の撮影済み枚数を表示する。図３１に示す例では、カット名として、”入り口の写真”が選択されて１枚撮影された場合を示している。システム制御部１０１は、タッチパネル操作部１０６の操作（タッチペン）でこのチェックマークが再度選択されると、チェックマークを消去する。
【０１６５】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０１６６】
以上説明したように、実施例６によれば、撮影リストのカット名を表示部１０４に表示し、カット名が選択されて撮影が行われた場合に、選択されたカット名にチェックマークおよび撮影枚数を入れることとしたので、使用者は、撮影リストを使用して、必要なカットの取り忘れを防止でき、使用者の使い勝手が良くなる。
【０１６７】
（実施例７）
実施例７を図３２を参照して説明する。図３２は実施例７におけるデジタルカメラ１００側の動作を説明するためのフローチャートを示す。上記図８は通信モードの選択画面を示しており、上記図９はＷｅｂモードの設定画面を示している。実施例８では、デジタルカメラ１００は、Ｗｅｂブラウザで、Ｗｅｂサーバー３００のホームページから撮影リストファイルを取り込み、取り込んだ撮影リストファイルに従って撮影を行う場合の動作例を説明する。
【０１６８】
図３２において、まず、デジタルカメラでは、Ｗｅｂモードであるか否かを判断し（ステップＳ２１１）、Ｗｅｂモードである場合には、ホームページからファイルを読み込むモードであるか否かを判断する（ステップＳ２１２）。ホームページからファイルを読み込むモードである場合には、ホームページ上の撮影リストが機種に応じたリストであるか否かを判断する（ステップＳ２１３）。具体的には、機種に応じた撮影リストファイルであるか否かは、例えば、撮影リストファイルの拡張子で判断する。機種に応じたリストである場合には、ステップＳ２１４に移行し、撮影リストとしてホームページ上の添付ファイルをダウンロードする。そして、撮影リストモードであるか否かを判断し（ステップＳ２１５）、撮影リストモードである場合には、撮影リストの内容（カット名、貼り付けサイズ等）を読み込む（ステップＳ２１６）。
【０１６９】
そして、撮影リストの指示に従って、撮影を行う（ステップＳ２１７）。そして、撮影が全て終了したか否かを判断し（ステップＳ２１８）、撮影が全て終了していない場合にはステップＳ２１４に移行して、撮影が全て終了するまで同じ処理を繰り返す（ステップＳ２１４〜Ｓ２１８）。
【０１７０】
以上説明したように、実施例７によれば、デジタルカメラ１００では、Ｗｅｂブラウザで、Ｗｅｂサーバーのホームページから撮影リストファイルを取り込み、取り込んだ撮影リストファイルに従って撮影を行うこととしたので、撮影リストを容易に取得して、撮影リストに従って撮影を行うことができ、必要なカットの取り忘れ等を防止することができ、指示者（撮影リストの作成者）の指示に従った撮影を行うことが可能となる。
【０１７１】
（実施例８）
実施例８を図３３を参照して説明する。図３３は実施例８におけるデジタルカメラ１００側の動作を説明するためのフローチャートを示す。実施例８では、デジタルカメラ１００はネットワークを介してＥメールで撮影リストファイルを受信し、撮影リストファイルに従って撮影を行う場合の動作例を説明する。
【０１７２】
図３３において、まず、デジタルカメラでは、Ｅ−ＭＡＩＬ（Ｅメール）を受信したか否かを判断し（ステップＳ２２１）、Ｅ−ＭＡＩＬを受信した場合には、ステップＳ２２２に移行し、受信したＥ−ＭＡＩＬの内容が撮影リストであるか否かを判断する。この判断の結果、受信したＥ−ＭＡＩＬの内容が撮影リストである場合には、自機の機種に対応した撮影リストであるか否かを判断し（ステップＳ２２３）、自機の機種に対応した撮影リストである場合には、撮影リストとして添付ファイルを読み込む（ステップＳ２２４）。そして、撮影リスト撮影モードであるか否かを判断する（ステップＳ２２５）。具体的には、機種に応じた撮影リストファイルであるか否かは、例えば、撮影リストファイルの拡張子で判断する。撮影リスト撮影モードである場合には、撮影リストの内容（カット名、貼り付けサイズ等）を読み込む（ステップＳ２２６）。
【０１７３】
そして、撮影リストの指示に従って、撮影を行う（ステップＳ２２７）。この後、撮影が全て終了したか否かを判断し（ステップＳ２２８）、撮影が全て終了していない場合にはステップＳ２２４に移行して、撮影が全て終了するまで同じ処理を繰り返す（ステップＳ２２４〜Ｓ２２８）。
【０１７４】
以上説明したように、実施例８によれば、デジタルカメラ１００では、Ｅメールで撮影リストを受信して、撮影リストに従って撮影を行うこととしたので、撮影リストを容易に取得して、撮影リストに従って撮影を行うことができ、必要なカットの取り忘れ等を防止することができ、指示者（撮影リストの作成者）の指示に従った撮影を行うことが可能となる。
【０１７５】
（実施例９）
実施例９を図３４を参照して説明する。図３４は実施例９におけるデジタルカメラ１００側の動作を説明するためのフローチャートを示している。実施例９では、撮影リストのカット名の一覧を表示し、表示されたカット名の一覧の中からカット名が選択されると記録モード（撮影リスト撮影モード）に移行し、レリーズキー２１が押下されると撮影を行い、撮影した画像データのＨＴＭＬファイルを自動で作成する場合の動作を説明する。
【０１７６】
図３４において、まず、デジタルカメラ１００では、パーソナルコンピュータ２００と接続して撮影リストを読み込み、記録部１０８に格納する（ステップＳ２３１）。図２１は、撮影リストの一例を示している。撮影リストには、記録すべき被記録対象のカット名が記載されている。つづいて、システム制御部１０１は、操作部１０６のＪＯＢＮＡＶＩボタン２４が押されたか否かを判断し（ステップＳ２３２）、操作部１０６のＪＯＢＮＡＶＩボタン２４が押された場合には、撮影リストモードに入り、記録部１０８に格納されている撮影リストの撮影リスト名の一覧を表示部１０４に表示する（ステップＳ２３３）。図７の（Ａ）は、表示部１０４に表示される撮影リスト名の一覧表示の表示例を示している。ここで、操作者のタッチパネル操作部１０７の操作で撮影リスト名の一覧の中から撮影リストが選択される。
【０１７７】
システム制御部１０１は、撮影リストの一覧の中から撮影リストが選択されたか否かを判断する（ステップＳ２３４）。そして、撮影リストが選択されると、選択された撮影リストのカット名の一覧を表示部１０４に表示する（ステップＳ２３５）。図７（Ｂ）は、図７（Ａ）で、撮影リスト”ビジネスショー９８”が選択された場合の撮影リスト”ビジネスショー９８”のカット名の表示例を示している。ここで、操作者のタッチパネル操作部１０７の操作でカット名の一覧の中からカット名が選択される。
【０１７８】
システム制御部１０１は、カット名の一覧の中からカット名が選択されたか否かを判断する（ステップＳ２３６）。システム制御部１０１は、カット名が選択されると撮影モードに移行し、撮影可能状態とする（ステップＳ２３７）。ここで、操作者はカット名に対応する被写体を選択し、撮影を行うことになる。
【０１７９】
つづいて、システム制御部１０１は、操作部１０６のレリーズキー２１が押下されると、被写体を撮影し（ステップＳ２３８）、撮影した画像データを記録部１０８にＥＸＩＦファイル（画像ファイル）として格納する（ステップＳ２３９）。
【０１８０】
そして、システム制御部１０１は、撮影した画像データをＨＴＭＬファイルに変換するＨＴＭＬファイルを作成し（ステップＳ２４０）、作成したＨＴＭＬファイルを記録部１０８に保存する（ステップＳ２４１）。この後、システム制御部１０１は、ユーザの操作部１０６の操作により、ＨＴＭＬファイルのＷｅｂサーバーへのアップロードの指示があるか否かを判断し（ステップＳ２４２）、ＨＴＭＬファイルのＷｅｂサーバーへのアップロードの指示がある場合には、ＨＴＭＬファイルをＷｅｂサーバーへアップロードする（ステップＳ２４３）。
【０１８１】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０１８２】
以上説明したように、上記動作例９によれば、撮影リストのカット名の一覧を表示し、表示されたカット名の一覧の中からカット名が選択されると記録モード（撮影リスト撮影モード）に移行し、レリーズキー２１が押下されると撮影を行い、撮影した画像データのＨＴＭＬファイルを自動で作成することとしたので、使用者は、撮影リストを使用して、撮影の段階では必要なカットの取り忘れを防止でき、また、撮影後の段階では、自動的にＨＴＭＬファイルを作成することができ、使用者の使い勝手が良くなる。
【０１８３】
「本実施の形態にかかるデジタルカメラの撮影リストの実施例」
デジタルカメラ１００の撮影リストの（実施例１）〜（実施例２０）を説明する。上記の説明では、撮影リストには、撮影リストのタイトル名と被記録対象のタイトルを示すカット名が含まれていたが、さらに、撮影リストに、カット名に対応させて、撮影者に撮影手順や作業指示を与えるための撮影指示情報（テキスト、音声、図面等）や、カット名に対応した被記録対象を記録する際の設定条件の自動設定や記録後に実行すべき処理の指示を与えるための自動処理指示情報（操作指示コマンド）を付加することにしても良い。
【０１８４】
（実施例１）
実施例１を図３５〜図３７を参照して説明する。図３５〜図３７は実施例１におけるデジタルカメラ１００側の動作を説明するためのフローチャートを示す。実施例１では、撮影リストのカット名を表示し、そして撮影リスト中のカット名を選択し、選択されたカット名に対応する撮影指示情報（撮影方法の指示や撮影後の処理の指示）の表示を行い、ユーザが表示される撮影方法に従って撮影し、また、表示される撮影後の処理の指示に従って処理を行う場合の動作を説明する。
【０１８５】
撮影前の撮影指示情報および撮影後の撮影指示情報を識別するために、カット名の後ろに識別子を付加する。識別子「Ａ」は、撮影前の撮影指示情報を示し、識別子「Ｂ」は、撮影後の撮影指示情報を示す。システム制御部１０１は、カット名に付加された識別子を判断し、識別子「Ａ」が付加されている場合には、撮影前に撮影指示情報の報知を行い、また、識別子「Ｂ」が付加されている場合には、撮影後に撮影後の撮影指示情報の報知を行う。
【０１８６】
例えば、図３６に示すような撮影リストの場合には、カット名として”バック１”が選択された場合には、撮影後に”撮影者の氏名をメモ情報として入力してください ”と表示部１０４に表示する。また、カット名として”バック２”が選択された場合には、撮影前に、”おしゃれな感じで撮影してください”を表示部１０４に表示する。
【０１８７】
図８９は、パーソナルコンピュータ２００の項目リストの一例を示している。図８９において、パーソナルコンピュータ２００では、カット名として、”商品名”の範囲を選択し、さらに、撮影指示情報として、”撮影指示（撮影前の指示である）”の範囲を選択する。そして、撮影リストのカット名と撮影指示情報の間に、上述した撮影前の撮影指示情報（撮影方法の指示）であることを示す識別子「Ａ」を挿入して撮影リストファイルを作成する。なお、撮影リストファイルを作成する場合には、上述したような、タイトル名やファイル名の設定も必要である。
【０１８８】
図３５において、まず、デジタルカメラ１００では、パーソナルコンピュータ２００と接続して撮影リストを読み込み、記録部１０８に格納する（ステップＳ３０１）。撮影リストには、記録すべき被記録対象のタイトルを示すカット名が含まれており、さらに、カット名に対応させて撮影指示情報（撮影方法の指示や撮影後の処理の指示）がテキスト文書で登録されている。
【０１８９】
つづいて、システム制御部１０１は、操作部１０６のＮＯＢＮＡＶＩボタンが押されたか否かを判断し（ステップＳ３０２）、操作部１０６のＮＯＢＮＡＶＩボタンが押された場合には、撮影リストモードに入り、記録部１０８に格納されている撮影リストの撮影リスト名の一覧を表示部１０４に表示する（ステップＳ３０３）。ここで、操作者のタッチパネル操作部１０７の操作で撮影リスト名の一覧の中から撮影リストが選択される。システム制御部１０１は、撮影リストの一覧の中から撮影リストが選択されたか否かを判断する（ステップＳ３０４）。
【０１９０】
そして、撮影リストが選択されると、システム制御部１０１は、選択された撮影リストのカット名の一覧を表示部１０４に表示する（ステップＳ３０５）。そして、システム制御部１０１は、カット名の一覧の中からカット名が選択されたか否かを判断する（ステップＳ３０６）。システム制御部１０１は、カット名が選択されると、撮影リスト撮影モード（記録モード）に移行し、撮影可能状態とする。そして、システム制御部１０１は、撮影リストに選択されたカット名に対応する撮影指示情報があるか否かを判断する（ステップＳ３０７）。
【０１９１】
システム制御部１０１は、撮影リストに選択されたカット名に対応する撮影指示情報があると判断した場合には、撮影指示情報として撮影方法の指示があるか否かを判断し（ステップＳ３０８）、撮影方法の指示でないと判断した場合には、ステップＳ３１０に移行する一方、撮影方法の指示であると判断した場合には、ステップＳ３０９に移行する。ステップＳ３０９では、システム制御部１０１は、選択されたカット名に対応する撮影方法の指示（撮影指示情報）を表示部１０４に表示する。これにより、ユーザーは、カット名に対応する被写体を選択し、さらに、表示される撮影方法の指示に従って撮影を行うことが可能となる。
【０１９２】
そして、システム制御部１０１は、操作部１０６のレリーズキー２１の押下に応じて撮影を行う（ステップＳ３１０）。ここでは、撮影ポイントが複数ある場合には、複数回の撮影が行われる。そして、システム制御部１０１は、撮影が終了したか否かを判断し（ステップＳ３１１）、撮影が終了した場合には、選択されたカット名に対応する撮影指示情報として撮影後の処理の指示があるか否かを判断し（ステップＳ３１２）、撮影後の処理の指示がないと判断した場合には、ステップＳ３１５に移行して、撮影した画像を画像ファイルとして記録部１０８に保存する。
【０１９３】
他方、ステップＳ３１２で、システム制御部１０１は、選択されたカット名に対応する撮影指示情報として撮影後の処理の指示があると判断した場合には、ステップＳ３１３に移行し、撮影後の処理の指示（撮影指示情報）を表示部１０４に表示する。これにより、ユーザは、撮影後の処理の指示に従った処理を行うことが可能となる。
【０１９４】
操作者は、指示される撮影後の処理を実行するための指示を操作部１０６を介してシステム制御部１０１に与え、システム制御部１０１は、指示される撮影後の処理を実行する（ステップＳ３１４）。ここで、撮影後の処理の指示としては、例えば、メモの記入等の指示がある。そして、指示通りに処理した画像を画像ファイルとして記録部１０８に保存する（ステップＳ３１５）。
【０１９５】
他方、ステップＳ３０７で、撮影リストに選択されたカット名に対応する撮影指示情報がないと判断した場合には、ステップＳ３１６に移行し、通常の撮影リストモードで撮影を行って、撮影した画像を画像ファイルとして記録部１０８に格納する（ステップＳ３１７）。
【０１９６】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０１９７】
図８９は、パーソナルコンピュータ２００の項目リストの一例を示している。図８９において、パーソナルコンピュータ２００では、カット名として、”商品名”の範囲を選択し、さらに、撮影指示情報として、”撮影指示（撮影前の指示である）”の範囲を選択する。そして、カット名と撮影指示情報の間に、上述した撮影前の撮影指示情報であることを示す識別子「Ａ」を挿入して撮影リストファイルを作成する。なお、撮影リストファイルを作成する場合には、上述したような、タイトル名やファイル名の設定も必要である。
【０１９８】
なお、撮影指示情報は、上述したテキスト文書に限らず、例えば、図面を使用することにしても良い。図３７は図面の撮影指示情報の一例を示しており、特に、撮影の方法（撮影のポイント）のガイダンス図面を示している。これによれば、使用者は、この図面の撮影の方法（撮影のポイント）の指示に従って被写体を選択して撮影することが可能となる。また、ここでは、撮影指示情報として、撮影後の処理の指示を示したが、撮影指示情報としては、撮影と同時に行う処理（例えば、測距処理）の指示でも良い。撮影と同時に行う処理の指示の場合は、撮影前に表示する。これにより、使用者は、撮影と同時に行う処理を実行するための指示をデジタルカメラに与えることが可能となる。
【０１９９】
以上説明したように、上記実施例１によれば、撮影リストのカット名を表示し、そして撮影リスト中のカット名を選択し、選択されたカット名に対応する撮影指示情報（撮影方法の指示や撮影後の処理の指示）の表示を行い、ユーザが表示される撮影方法に従って撮影し、また、表示される撮影後の処理の指示に従って処理を行うこととしたので、使用者は、表示される撮影指示情報に従って撮影や撮影後の処理を行うことができ、撮影リストの作成者（指示者）の指示に従った撮影や撮影後の処理を行うことが可能となる。
【０２００】
（実施例２）
実施例２を図３８を参照して説明する。図３８は実施例２におけるデジタルカメラ１００側の動作を説明するためのフローチャートを示す。実施例２では、撮影リストの選択されたカット名に対応する撮影指示情報（撮影方法の指示や撮影後の処理の指示）を音声で出力し、ユーザが音声で出力される撮影方法の指示に従って撮影し、また、音声で出力される撮影後の処理の指示に従って処理を行う場合の動作を説明する。
【０２０１】
図３８において、まず、デジタルカメラ１００では、パーソナルコンピュータ２００と接続して撮影リストを読み込み、記録部１０８に格納する（ステップＳ３２１）。撮影リストには、記録すべき被記録対象のカット名が含まれており、さらに、カット名に対応させて撮影指示情報（撮影方法の指示や撮影後の処理の指示）が音声情報で登録されている。
【０２０２】
つづいて、システム制御部１０１は、操作部１０６のＪＯＢＮＡＶＩボタン２４が押されたか否かを判断し（ステップＳ３２２）、操作部１０６のＪＯＢＮＡＶＩボタン２４が押された場合には、撮影リストモードに入り、記録部１０８に格納されている撮影リストの撮影リスト名の一覧を表示部１０４に表示する（ステップＳ３２３）。ここで、操作者のタッチパネル操作部１０７の操作で撮影リスト名の一覧の中から撮影リストが選択される。システム制御部１０１は、撮影リストの一覧の中から撮影リストが選択されたか否かを判断する（ステップＳ３２４）。
【０２０３】
そして、撮影リストが選択されると、選択された撮影リストのカット名の一覧を表示部１０４に表示する（ステップＳ３２５）。ここで、操作者のタッチパネル操作部１０７の操作でカット名の一覧の中からカット名が選択される。システム制御部１０１は、カット名の一覧の中からカット名が選択されたか否かを判断する（ステップＳ３２６）。システム制御部１０１は、カット名が選択されると撮影モードに入り、撮影可能状態とする。そして、システム制御部１０１は、撮影リストに選択されたカット名に対応する撮影指示情報があるか否かを判断する（ステップＳ３２７）。
【０２０４】
システム制御部１０１は、撮影リストに選択されたカット名に対応する撮影指示情報があると判断した場合には、撮影指示情報として撮影方法の指示があるか否かを判断し（ステップＳ３２８）、撮影方法の指示でないと判断した場合には、ステップＳ３３０に移行する一方、撮影方法の指示であると判断した場合には、ステップＳ３２９に移行する。ステップＳ１０９では、システム制御部１０１は、撮影リストの選択されたカット名に対応する撮影方法の指示（撮影指示情報）を音声データ記録・再生部１０５から音声で出力する（ステップＳ３２９）。これにより、ユーザーは、カット名に対応する被写体を選択し、撮影方法の指示に従って撮影を行うことが可能となる。
【０２０５】
そして、操作部１０６のレリーズキー２１の押下に応じて撮影を行う（ステップＳ３３０）。ここで、撮影ポイントが複数ある場合には、複数回の撮影が行われる。そして、システム制御部１０１は撮影が終了したか否かを判断し（ステップＳ３３１）、撮影が終了すると、選択されたカット名に対応する撮影指示情報として撮影後の処理の指示があるか否かを判断し（ステップＳ３３２）、撮影後の処理の指示がないと判断した場合には、ステップＳ３３５に移行して、撮影した画像を画像ファイルとして記録部１０８に保存する。
【０２０６】
他方、ステップＳ３３５で、システム制御部１０１は、選択されたカット名に対応する撮影指示情報として撮影後の処理の指示があると判断した場合には、ステップＳ３３３に移行し、撮影後の処理の指示（撮影指示情報）を音声記録・再生部から音声で出力する。これにより、ユーザは、撮影後の処理の指示に従った処理を行うことが可能となる。
【０２０７】
操作者は、指示される撮影後の処理を実行するための指示を操作部１０６を介してシステム制御部１０１に与え、システム制御部１０１は、指示される撮影後の処理を実行する（ステップＳ３３４）。ここで、撮影後の処理の指示としては、例えば、メモの記入等の指示がある。そして、指示通りに処理した画像を画像ファイルとして記録部１０８に保存する（ステップＳ３３５）。
【０２０８】
他方、ステップＳ３２７で、撮影リストに選択されたカット名に対応する撮影指示情報がないと判断した場合には、ステップＳ３３６に移行し、通常の撮影リストモードで撮影を行って（ステップＳ３３６）、撮影した画像を画像ファイルとして記録部１０８に格納する（ステップＳ３３７）。
【０２０９】
なお、ここでは、撮影指示情報として、撮影後の処理の指示を示したが、撮影指示情報としては、撮影と同時に行う処理（例えば、測距処理）の指示でも良い。撮影と同時に行う処理の指示の場合は、撮影前に音声で出力する。これにより、使用者は、撮影と同時に行う処理を実行するための指示をデジタルカメラに与えることが可能となる。
【０２１０】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０２１１】
以上説明したように、上記実施例２によれば、ユーザが撮影リストのカット名を選択し、撮影リストの選択されたカット名に対応する撮影指示情報（撮影方法の指示や撮影後の処理の指示）を音声で出力し、ユーザが音声で出力される撮影方法に従って撮影し、また、音声で出力される撮影後の処理の指示に従って処理を行うこととしたので、使用者は、音声で出力される撮影指示情報に従って撮影や撮影後の処理を行うことができ、撮影リストの作成者（指示者）の指示に従った撮影や撮影後の処理を行うことが可能となる。
【０２１２】
（実施例３）
実施例３を図３９を参照して説明する。図３９は、実施例３におけるデジタルカメラ１００側の動作を説明するためのフローチャートを示す。実施例３では、撮影リストの選択されたカット名に対応する撮影指示情報（撮影方法の指示や撮影後の処理の指示）を動画で再生し、ユーザが動画で再生される撮影方法の指示に従って撮影し、また、動画で再生される撮影後の処理の指示に従って処理を行う場合の動作を説明する。
【０２１３】
図３９において、まず、デジタルカメラ１００では、パーソナルコンピュータ２００と接続して撮影リストを読み込み、記録部１０８に格納する（ステップＳ３４１）。撮影リストには、タイトル名、記録すべき被記録対象のカット名、さらに、カット名に対応させて撮影指示情報（撮影方法の指示や撮影後の処理の指示）が動画で登録されている。
【０２１４】
つづいて、システム制御部１０１は、操作部１０６のＪＯＢＮＡＶＩボタン２４が押されたか否かを判断し（ステップＳ３４２）、操作部１０６のＪＯＢＮＡＶＩボタン２４が押された場合には、撮影リストモードに入り、記録部１０８に格納されている撮影リストの撮影リスト名の一覧を表示部１０４に表示する（ステップＳ３４３）。ユーザにより撮影リスト名の一覧の中から撮影リストが選択される。システム制御部１０１は、撮影リストの一覧の中から撮影リストが選択されたか否かを判断する（ステップＳ３４４）。
【０２１５】
そして、撮影リストが選択されると、選択された撮影リストのカット名の一覧を表示部１０４に表示する（ステップＳ３４５）。そして、ユーザのタッチパネル操作部１０７の操作によりカット名の一覧の中からカット名が選択される。システム制御部１０１は、カット名の一覧の中からカット名が選択されたか否かを判断する（ステップＳ３４６）。システム制御部１０１は、カット名が選択されると撮影リスト撮影モード（記録モード）に入り、撮影可能状態とする。そして、システム制御部１０１は、撮影リストに選択されたカット名に対応する撮影指示情報があるか否かを判断する（ステップＳ３４７）。
【０２１６】
システム制御部１０１は、撮影リストに選択されたカット名に対応する撮影指示情報があると判断した場合には、撮影指示情報として撮影方法の指示があるか否かを判断し（ステップＳ３４８）、撮影方法の指示でないと判断した場合には、ステップＳ３５０に移行する一方、撮影方法の指示であると判断した場合には、ステップＳ３４９に移行する。ステップＳ３４９では、システム制御部１０１は、撮影リストの選択されたカット名に対応する撮影方法の指示（撮影指示情報）を表示部１０４で動画で再生する。これにより、ユーザーは、カット名に対応する被写体を選択し、撮影方法の指示に従って撮影を行うことが可能となる。
【０２１７】
ステップＳ１３０では、操作部１０６のレリーズキー２１の押下に応じて撮影を行う。ここで、撮影ポイントが複数ある場合には、複数回の撮影が行われる。そして、システム制御部１０１は、撮影が終了したか否かを判断し（ステップＳ３５１）、撮影が終了した場合には、選択されたカット名に対応する撮影指示情報として撮影後の処理の指示があるか否かを判断し（ステップＳ３５２）、撮影後の処理の指示がないと判断した場合には、ステップＳ３５５に移行して、撮影した画像を画像ファイルとして記録部１０８に保存する。他方、ステップＳ１３２で、システム制御部１０１は、選択されたカット名に対応する撮影指示情報として撮影後の処理の指示があると判断した場合には、ステップＳ３５４に移行し、撮影後の処理の指示（撮影指示情報）を表示部１０４で動画で再生する。これにより、ユーザは、撮影後の処理の指示に従った処理を行うことが可能となる。
【０２１８】
操作者は、指示される撮影後の処理を実行するための指示を操作部１０６を介してシステム制御部１０１に与え、システム制御部１０１は、指示される撮影後の処理を実行する（ステップＳ３５４）。ここで、撮影後の処理の指示としては、例えば、メモの記入等の指示がある。そして、指示通りに処理した画像を画像ファイルとして記録部１０８に保存する（ステップＳ３５５）。
【０２１９】
他方、ステップＳ３４７で、撮影リストに選択されたカット名に対応する撮影指示情報がないと判断した場合には、ステップＳ３５６に移行し、通常の撮影リストモードで撮影を行って、撮影した画像を画像ファイルとして記録部１０８に格納する（ステップＳ３５７）。
【０２２０】
なお、ここでは、撮影指示情報として、撮影後の処理の指示を示したが、撮影指示情報としては、撮影と同時に行う処理（例えば、測距処理）の指示でも良い。撮影と同時に行う処理の指示の場合は、撮影前に動画で表示部１０４に出力する。これにより、使用者は、撮影と同時に行う処理を実行するための指示をデジタルカメラに与えることが可能となる。
【０２２１】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０２２２】
以上説明したように、上記実施例３によれば、ユーザが撮影リストのカット名を選択し、撮影リストの選択されたカット名に対応する撮影指示情報（撮影方法の指示や撮影後の処理の指示）を動画で出力し、ユーザが動画で出力される撮影方法の指示に従って撮影し、また、動画で出力される撮影後の処理の指示に従って処理を行うこととしたので、使用者は、動画で出力される撮影指示情報に従って撮影や撮影後の処理を行うことができ、撮影リストの作成者（指示者）の指示に従った撮影や撮影後の処理を行うことが可能となる。
【０２２３】
（実施例４）
実施例４を図４０を参照して説明する。図４０は実施例４におけるデジタルカメラ１００側の動作を説明するためのフローチャートを示す。実施例４では、撮影リストのカット名の一覧を表示し、カット名が選択された後に、記録モードに移行し、当該記録モードで記録した記録データを、撮影リストの選択されたカット名に対応する自動処理指示情報（記録後の指示）に従って自動的に処理する場合の実施例を説明する。
【０２２４】
図４０において、まず、デジタルカメラ１００では、パーソナルコンピュータ２００と接続して撮影リストを読み込み、記録部１０８に格納する（ステップＳ３６１）。撮影リストには、タイトル名、記録すべき被記録対象のカット名、および各カット名に関連づけて自動処理指示情報（記録後の指示）が登録されている。この自動処理指示情報（記録後の指示）には、例えば、図４１に示す操作指示コマンドが使用される。
【０２２５】
つづいて、システム制御部１０１は、操作部１０６のＪＯＢＮＡＶＩボタン２４が押されたか否かを判断し（ステップＳ３６２）、操作部１０６のＪＯＢＮＡＶＩボタン２４が押された場合には、撮影リストモードに入り、記録部１０８に格納されている撮影リストの撮影リスト名の一覧を表示部１０４に表示する（ステップＳ３６３）。ここで、操作者のタッチパネル操作部１０７の操作で撮影リスト名の一覧の中から撮影リストが選択される。システム制御部１０１は、撮影リストの一覧の中から撮影リストが選択されたか否かを判断する（ステップＳ３６４）。
【０２２６】
そして、撮影リストが選択されると、選択された撮影リストのカット名の一覧を表示部１０４に表示する（ステップＳ３６５）。ここで、操作者のタッチパネル操作部１０７の操作でカット名の一覧の中からカット名が選択される。システム制御部１０１は、カット名の一覧の中からカット名が選択されたか否かを判断する（ステップＳ３６６）。システム制御部１０１は、カット名が選択されると撮影リスト撮影モード（記録モード）に入り、撮影可能状態とする（ステップＳ３６７）。これにより、ユーザーは、カット名に対応する被写体を選択して撮影を行うことが可能となる。
【０２２７】
そして、システム制御部１０１は、操作部１０６のレリーズキー２１が押下されると撮影を行う（ステップＳ３６８）。つづいて、システム制御部１０１は、選択されたカット名に対応する自動処理指示情報（記録後の指示）があるか否かを判断し（ステップＳ３６９）、撮影リストに選択されたカット名に対応する自動処理指示情報（記録後の指示）があると判断した場合には、当該選択されたカット名に対応する自動処理指示情報（記録後の指示）に従って撮影した画像を処理する（ステップＳ３７０）。処理した画像を画像ファイルとして記録部１０８に保存する（ステップＳ３７１）。
【０２２８】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０２２９】
以上説明したように、上記実施例４によれば、撮影リストのカット名の一覧を表示し、カット名が選択された後に、記録モードに移行し、当該記録モードで記録した記録データを、撮影リストの選択されたカット名に対応する自動処理指示情報（記録後の指示）に従って処理することとしたので、使用者は、撮影リストを使用して、撮影の段階では必要なカットの取り忘れを防止でき、また、撮影後の段階では撮影後の処理を自動化することができ、使用者の使い勝手が良くなる。
【０２３０】
（実施例５）
実施例５を図４２を参照して説明する。図４２は実施例５におけるデジタルカメラ１００側の動作を説明するためのフローチャートを示す。実施例５では、撮影リストのカット名の一覧が表示され、撮影リストの選択したカット名に対応する自動処理指示情報（記録後の指示）がメール添付送信の場合には、メールに記録した記録データを添付して指定される送信先に送信する場合の動作を説明する。
【０２３１】
図４２において、まず、デジタルカメラ１００では、パーソナルコンピュータ２００と接続して撮影リストを読み込み、記録部１０８に格納する（ステップＳ３８１）。撮影リストには、記録すべき被記録対象のカット名が含まれており（図６参照）、さらに、各カット名に関連づけて自動処理指示情報（記録後の指示）が登録されている。この自動処理指示情報（記録後の指示）には、図４１に示す操作指示コマンドが使用される。図４３は撮影の後処理として画像をメールで送るコマンドの例を示す。
【０２３２】
つづいて、システム制御部１０１は、操作部１０６のＪＯＢＮＡＶＩボタン２４が押されたか否かを判断し（ステップＳ３８２）、操作部１０６のＪＯＢＮＡＶＩボタン２４が押された場合には、撮影リストモードに入り、記録部１０８に格納されている撮影リストの撮影リスト名の一覧を表示部１０４に表示する（ステップＳ３８３）。ここで、操作者のタッチパネル操作部１０７の操作で撮影リスト名の一覧の中から撮影リストが選択される。システム制御部１０１は、撮影リストの一覧の中から撮影リストが選択されたか否かを判断する（ステップＳ３８４）。
【０２３３】
そして、撮影リストが選択されると、選択された撮影リストのカット名の一覧を表示部１０４に表示する（ステップＳ３８５）。ここで、操作者のタッチパネル操作部１０７の操作でカット名の一覧の中からカット名が選択される。システム制御部１０１は、カット名の一覧の中からカット名が選択されたか否かを判断する（ステップＳ３８６）。システム制御部１０１は、カット名が選択されると撮影リストモードに入り、撮影可能状態とする（ステップＳ３８７）。これにより、ユーザーは、カット名に対応する被写体を選択して撮影を行うことが可能となる。
【０２３４】
そして、システム制御部１０１は、撮影リストの選択されたカット名に対応する記録後の指示を記録部１０８から読み出し（ステップＳ３８８）、自動処理指示情報（記録後の指示）がメール添付転送であるか否かを判断する（ステップＳ３８９）。
【０２３５】
システム制御部１０１は、自動処理指示情報（記録後の指示）がメール添付転送である場合には、記録モードが、静止画、動画、２値画、音声のいずれであるかを判断し（ステップＳ３９０〜Ｓ３９３）、記録した静止画、動画、２値画、および音声のいずれかのメール添付ファイルを作成する（ステップＳ３９４）。そして、通信モードに移行し、指定される送信先にメール添付ファイルを送信する（ステップＳ３９５）。他方、ステップＳ３８９で、自動処理指示情報（記録後の指示）がメール添付転送でないと判断した場合には、通常の撮影リストモードで撮影を行い（ステップＳ３９６）、撮影した画像のファイルを記録部１０８に記憶する（ステップＳ３９７）。
【０２３６】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０２３７】
以上説明したように、上記実施例５によれば、撮影リストのカット名の一覧が表示され、撮影リストの選択したカット名に対応する自動処理指示情報（記録後の指示）がメール添付送信の場合には、メールに記録した記録データを添付して指定される送信先に送信することとしたので、使用者は、撮影リストを使用して、撮影の段階では必要なカットの取り忘れを防止でき、また、撮影後の段階では撮影した画像等をメールに添付して送信先に自動的に転送することができ、使用者の使い勝手が良くなる。
【０２３８】
（実施例６）
実施例６を図４４を参照して説明する。図４４は実施例６におけるデジタルカメラ１００側の動作を説明するためのフローチャートを示す。実施例６では、撮影リストのカット名の一覧が表示され、撮影リストの選択したカット名に対応する自動処理指示情報（記録後の指示）がサムネール添付転送の場合には、撮影した画像のサムネール画像をメールに添付して指定される送信先に送信する場合の動作を説明する。
【０２３９】
図４４において、まず、デジタルカメラ１００では、パーソナルコンピュータ２００と接続して撮影リストを読み込み、記録部１０８に格納する（ステップＳ４０１）。撮影リストには、記録すべき被記録対象のカット名が含まれており、さらに、各カット名に関連づけて自動処理指示情報（記録後の指示）が登録されている。この自動処理指示情報（記録後の指示）には、図３２に示す操作指示コマンドが使用される。図４３は記録後の処理として画像をメールで送るコマンドの例を示す。
【０２４０】
つづいて、システム制御部１０１は、操作部１０６のＪＯＢＮＡＶＩボタン２４が押されたか否かを判断し（ステップＳ４０２）、操作部１０６のＪＯＢＮＡＶＩボタン２４が押された場合には、撮影リストモードに入り、記録部１０８に格納されている撮影リストの撮影リスト名の一覧を表示部１０４に表示する（ステップＳ４０３）。ここで、操作者のタッチパネル操作部１０７の操作で撮影リスト名の一覧の中から撮影リストが選択される。システム制御部１０１は、撮影リストの一覧の中から撮影リストが選択されたか否かを判断する（ステップＳ４０４）。
【０２４１】
そして、撮影リストが選択されると、選択された撮影リストのカット名の一覧を表示部１０４に表示する（ステップＳ４０５）。ここで、操作者のタッチパネル操作部１０７の操作でカット名の一覧の中からカット名が選択される。システム制御部１０１は、カット名の一覧の中からカット名が選択されたか否かを判断する（ステップＳ４０６）。システム制御部１０１は、カット名が選択されると撮影リスト撮影モードに入り、撮影可能状態とする（ステップＳ４０７）。これにより、ユーザーは、カット名に対応する被写体を選択して撮影を行うことが可能となる。
【０２４２】
この後、システム制御部１０１は、撮影リストの選択されたカット名に対応する自動処理指示情報（記録後の指示）を記録部１０８から読み出し（ステップＳ４０８）、記録後の指示がメール添付転送であるか否かを判断する（ステップＳ４０９）。
【０２４３】
つづいて、システム制御部１０１は、自動処理指示情報（記録後の指示）がメール添付転送である場合には、さらに、サムネール添付転送か否かを判断する（ステップＳ４１０）。記録後の指示がサムネール添付転送である場合には、システム制御部１０１は、撮影した画像データのサムネール画像を作成し、サムネール画像をメールに添付したメール添付ファイルを作成する（ステップＳ４１１）。その後、通信モードに移行し、指定される送信先にメール添付ファイルを送信する（ステップＳ４１２）。他方、ステップＳ４０９で記録後の指示がメール転送でないと判断した場合およびステップＳ４１０でサムネール添付転送でないと判断した場合には、ステップＳ４１３に移行し、通常の撮影リストモードで撮影を行い、撮影した画像を記録部１０８に画像ファイルとして格納する（ステップＳ４１４）。
【０２４４】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０２４５】
以上説明したように、上記実施例６によれば、撮影リストのカット名の一覧が表示され、撮影リストの選択したカット名に対応する自動処理指示情報（記録後の指示）がサムネール添付転送の場合には、撮影した画像のサムネール画像をメールに添付して指定される送信先に送信することとしたので、使用者は、撮影リストを使用して、撮影の段階では必要なカットの取り忘れを防止でき、また、撮影後の段階では撮影した画像のサムネール画像をメールに添付して送信先に自動的に転送することができ、使用者の使い勝手が良くなる。
【０２４６】
（実施例７）
実施例７を図４５を参照して説明する。図４５は実施例７におけるデジタルカメラ１００側の動作を説明するためのフローチャートを示す。実施例７では、撮影リストのカット名の一覧が表示され、撮影リストの選択したカット名に対応する自動処理指示情報（記録後の指示）が画像変倍送信である場合に、撮影した画像データを指定される大きさに変倍してメールに添付して、指定される送信先に送信する場合の動作を説明する。
【０２４７】
図４５において、まず、デジタルカメラ１００では、パーソナルコンピュータ２００と接続して撮影リストを読み込み、記録部１０８に格納する（ステップＳ５０１）。撮影リストには、記録すべき被記録対象のカット名が含まれており（図６参照）、さらに、各カット名に関連づけて自動処理指示情報（記録後の指示）が登録されている。この記録後の指示には、図４１に示す操作指示コマンドが使用される。
【０２４８】
つづいて、システム制御部１０１は、操作部１０６のＪＯＢＮＡＶＩボタン２４が押されたか否かを判断し（ステップＳ５０２）、操作部１０６のＮＯＢＮＡＶＩボタンが押された場合には、撮影リストモードに入り、記録部１０８に格納されている撮影リストの撮影リスト名の一覧を表示部１０４に表示する（ステップＳ５０３）。ここで、操作者のタッチパネル操作部１０７の操作で撮影リスト名の一覧の中から撮影リストが選択される。システム制御部１０１は、撮影リストの一覧の中から撮影リストが選択されたか否かを判断する（ステップＳ５０４）。
【０２４９】
そして、撮影リストが選択されると、システム制御部１０１は、選択された撮影リストのカット名の一覧を表示部１０４に表示する（ステップＳ５０５）。ここで、操作者のタッチパネル操作部１０７の操作でカット名の一覧の中からカット名が選択される。システム制御部１０１は、カット名の一覧の中からカット名が選択されたか否かを判断する（ステップＳ５０６）。システム制御部１０１は、カット名が選択されると撮影リスト撮影モードに入り、撮影可能状態とする（ステップＳ５０７）。これにより、ユーザーは、カット名に対応する被写体を選択して撮影を行うことが可能となる。
【０２５０】
この後、システム制御部１０１は、撮影リストの選択されたカット名に対応する自動処理指示情報（記録後の指示）を記録部１０８から読み出し（ステップＳ５０８）、自動処理指示情報（記録後の指示）が画像変倍送信であるか否かを判断する（ステップＳ５０９）。自動処理指示情報（記録後の指示）が画像変倍送信指示である場合には、撮影した画像をデータ記録再生部で指定された倍率で変倍し（ステップＳ５１０）、システム制御部１０１は変倍した画像をメールに添付してメール添付ファイルを作成する（ステップＳ５１１）。その後、通信モードに移行し、指定される送信先にメール添付ファイルを送信する（ステップＳ５１２）。他方、ステップＳ５０９で自動処理指示情報（記録後の指示）が画像変倍送信でないと判断した場合には、ステップＳ５１３に移行し、通常の撮影リストモードで撮影を行い、撮影した画像を記録部１０８に画像ファイルとして格納する（ステップＳ５１４）。
【０２５１】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０２５２】
以上説明したように、上記実施例７によれば、撮影リストのカット名の一覧が表示され、撮影リストの選択したカット名に対応する自動処理指示情報（記録後の指示）が画像変倍送信である場合に、撮影した画像データを指定される大きさに変倍してメールに添付して、指定される送信先に送信することとしたので、使用者は、撮影リストを使用して、撮影の段階では必要なカットの取り忘れを防止でき、また、撮影後の段階では撮影した画像を指定される倍率で変倍しメールに添付して送信先に自動的に転送することができ、使用者の使い勝手が良くなる。
【０２５３】
（実施例８）
実施例８を図４６を参照して説明する。図４６は実施例８におけるデジタルカメラ１００側の動作を説明するためのフローチャートを示す。実施例８では、撮影リストの選択されたカット名に対応する自動処理指示情報（記録後の指示）が、画像のホームページへのアップロードである場合に、撮影した画像のＨＴＭＬファイルを作成して、指定されるホームページにアップロードする場合の動作を説明する。
【０２５４】
図４６において、まず、デジタルカメラ１００では、パーソナルコンピュータ２００と接続して撮影リストを読み込み、記録部１０８に格納する（ステップＳ５２１）。撮影リストには、記録すべき被記録対象のカット名が含まれており（図６参照）、さらに、各カット名に関連づけて自動処理指示情報（記録後の指示）が登録されている。この記録後の指示には、上記図４１に示す操作指示コマンドが使用される。図４７は、記録後の指示として画像をＷｅｂサーバー３００にアップロードするコマンドの例を示す。
【０２５５】
つづいて、システム制御部１０１は、操作部１０６のＪＯＢＮＡＶＩボタン２４が押されたか否かを判断し（ステップＳ５２２）、操作部１０６のＮＯＢＮＡＶＩボタンが押された場合には、撮影リストモードに入り、記録部１０８に格納されている撮影リストの撮影リスト名の一覧を表示部１０４に表示する（ステップＳ５２３）。ここで、操作者のタッチパネル操作部１０７の操作で撮影リスト名の一覧の中から撮影リストが選択される。システム制御部１０１は、撮影リストの一覧の中から撮影リストが選択されたか否かを判断する（ステップＳ５２４）。
【０２５６】
そして、撮影リストが選択されると、選択された撮影リストのカット名の一覧を表示部１０４に表示する（ステップＳ５２５）。ここで、操作者のタッチパネル操作部１０７の操作でカット名の一覧の中からカット名が選択される。システム制御部１０１は、カット名の一覧の中からカット名が選択されたか否かを判断する（ステップＳ５２６）。システム制御部１０１は、カット名が選択されると撮影リスト撮影モードに入り、撮影可能状態とする（ステップＳ５２７）。これにより、ユーザーは、カット名に対応する被写体を選択して撮影を行うことが可能となる。
【０２５７】
そして、システム制御部１０１は、撮影リストの選択されたカット名に対応する自動処理指示情報（記録後の指示）を記録部１０８から読み出す（ステップＳ５２８）。そして、操作部１０６のレリーズキー２１の操作に応じて撮影を行う（ステップＳ５２９）。つづいて、システム制御部１０１は、読み出した自動処理指示情報（記録後の指示）がホームページへのアップロードであるか否かを判断し（ステップＳ５３０）、自動処理指示情報（記録後の指示）が画像のホームページへのアップロードである場合には、撮影画像をＨＴＭＬファイルにまとめてアップロード可能な形式にする（ステップＳ５３１）。そして、通信モードに移行して、ＨＴＭＬファイルを指定されるホームページにアップロードする（ステップＳ５３２）。
【０２５８】
他方、ステップＳ５３０で、自動処理指示情報（記録後の指示）が画像のホームページアップへのロードでない場合には、ステップＳ５３３に移行し、通常の撮影リストモードで撮影を行い、撮影した画像を記録部１０８に画像ファイルとして格納する（ステップＳ５３４）。
【０２５９】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０２６０】
以上説明したように、上記実施例８によれば、撮影リストの選択されたカット名に対応する自動処理指示情報（記録後の指示）が、画像のホームページへのアップロードである場合に、撮影した画像のＨＴＭＬファイルを作成して、指定されるホームページにアップロードすることとしたので、使用者は、撮影リストを使用して、撮影の段階では必要なカットの取り忘れを防止でき、また、撮影後の段階では撮影した画像をホームページに自動的にアップロードすることができ、使用者の使い勝手が良くなる。
【０２６１】
（実施例９）
実施例９を図４８を参照して説明する。図４８は実施例９におけるデジタルカメラ１００側の動作を説明するためのフローチャートを示す。実施例９では、撮影リストの選択されたカット名に対応する記録後の指示が、画像のホームページへのアップロードおよびそのホームページのＵＲＬの通知の場合に、撮影した画像を指定されるホームページにアップロードし、かつ、当該ホームページのＵＲＬをメールにて指定される宛先に送信する場合の動作を説明する。
【０２６２】
図４８において、まず、デジタルカメラ１００では、パーソナルコンピュータ２００と接続して撮影リストを読み込み、記録部１０８に格納する（ステップＳ５４１）。撮影リストには、記録すべき被記録対象のカット名が含まれており（図６参照）、さらに、各カット名に関連づけて自動処理指示情報（記録後の指示）が登録されている。この記録後の指示には、例えば、図４１に示す操作指示コマンドが使用される。図４７は記録後の指示として画像をＷｅｂサーバーにアップロードするコマンドの例を示す。
【０２６３】
つづいて、システム制御部１０１は、操作部１０６のＪＯＢＮＡＶＩボタン２４が押されたか否かを判断し（ステップＳ５４２）、操作部１０６のＪＯＢＮＡＶＩボタン２４が押された場合には、撮影リストモードに入り、記録部１０８に格納されている撮影リストの撮影リスト名の一覧を表示部１０４に表示する（ステップＳ５４３）。ここで、操作者のタッチパネル操作部１０７の操作で撮影リスト名の一覧の中から撮影リストが選択される。システム制御部１０１は、撮影リストの一覧の中から撮影リストが選択されたか否かを判断する（ステップＳ５４４）。
【０２６４】
そして、撮影リストが選択されると、選択された撮影リストのカット名の一覧を表示部１０４に表示する（ステップＳ５４５）。ここで、操作者のタッチパネル操作部１０７の操作でカット名の一覧の中からカット名が選択される。システム制御部１０１は、カット名の一覧の中からカット名が選択されたか否かを判断する（ステップＳ５４６）。システム制御部１０１は、カット名が選択されると撮影リスト撮影モードに入り、撮影可能状態とする（ステップＳ５４７）。これにより、ユーザーは、カット名に対応する被写体を選択して撮影を行うことが可能となる。
【０２６５】
システム制御部１０１は、撮影リストの選択されたカット名に対応する自動処理指示情報（記録後の指示）を記録部１０８から読み出す（ステップＳ５４８）。そして、操作部１０６のレリーズキー２１の操作に応じて撮影を行う（ステップＳ５４９）。つづいて、システム制御部１０１は、読み出した自動処理指示情報（記録後の指示）がホームページへのアップロードであるか否かを判断し（ステップＳ５５０）、読み出した自動処理指示情報（記録後の指示）がホームページへのアップロードである場合には、システム制御部１０１は、撮影画像をＨＴＭＬファイルにまとめてアップロード可能な形式にする（ステップＳ５５１）。
【０２６６】
つづいて、システム制御部１０１は、自動処理指示情報（記録後の指示）がメールによるＵＲＬ通知があるか否かを判断し（ステップＳ５５２）、自動処理指示情報（記録後の指示）にメールによるＵＲＬ通知がない場合にはステップＳ５５４に移行する一方、自動処理指示情報（記録後の指示）にメールによるＵＲＬ通知指示がある場合には、本文中にアップロード先のＵＲＬを挿入したメールファイルを作成して（ステップＳ５５３）、ステップＳ５５４に移行する。ステップＳ５５４では、ＨＴＭＬファイルを指定されるホームページにアップロードし、また、ステップＳ５５３でメールファイルを作成した場合には、指定される宛先にメールファイルを送信する。
【０２６７】
他方、ステップＳ５５０で、自動処理指示情報（記録後の指示）がホームページへのアップロードでない場合には、ステップＳ５５５に移行し、通常の撮影リストモードで撮影を行い、撮影した画像を記録部１０８に画像ファイルとして格納する（ステップＳ５５６）。
【０２６８】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０２６９】
以上説明したように、上記実施例９によれば、撮影リストを表示部１０４に表示し、表示された撮影リストの中からカット名を選択し、選択されたカット名に対応する自動処理指示情報（記録後の指示）が、画像のホームページへのアップロードおよびそのホームページのＵＲＬの通知の場合に、撮影した画像を指定されるホームページにアップロードし、かつ、当該ホームページのＵＲＬをメールにて指定される宛先に送信することとしたので、使用者は、撮影リストを使用して、撮影の段階では必要なカットの取り忘れを防止でき、また、撮影後の段階では撮影した画像をホームページに自動的にアップロードできるとともに、当該ホームページのＵＲＬをメールにて指定される宛先に自動的に送信することができ、使用者の使い勝手が良くなる。
【０２７０】
なお、実施例４〜実施例９では、撮影リストでは、カット名毎に自動処理情報（記録後（撮影後）の指示）を登録しているが、撮影リストで、カット名毎の指示ではなく、撮影リスト全体としての指示を与える形式にしても良い。例えば、全てのカット名の記録（撮影）が終了した場合に指示を与える形式にしても良い。例えば、上述の実施例８および実施例９では、撮影リストにより、撮影リストの全てのカット名の記録が終了した場合に、記録した画像を纏めてホームページにアップロードすることを指示することにしても良い。
【０２７１】
（実施例１０）
実施例１０を図４９を参照して説明する。図４９は実施例１０におけるデジタルカメラ１００側の動作を説明するためのフローチャートを示す。実施例１４では、撮影リストのカット名が選択され、選択されたカット名に対応する自動処理指示情報（記録後の指示）がメモ入力である場合には、撮影後、自動的にメモ入力モードに移行し、入力されるメモのファイルを撮影した画像データの画像ファイルの関連ファイルとして保存する場合の動作を説明する。
【０２７２】
図４９において、まず、デジタルカメラ１００では、パーソナルコンピュータ２００と接続して撮影リストを読み込み、記録部１０８に格納する（ステップＳ５６１）。撮影リストには、タイトル名、記録すべき被記録対象のカット名、および各カット名に関連づけて自動処理指示情報（記録後の指示）が登録されている。この自動処理指示情報（記録後の指示）には、図４１に示す操作指示コマンドが使用される。
【０２７３】
つづいて、システム制御部１０１は、操作部１０６のＪＯＢＮＡＶＩボタン２４が押されたか否かを判断し（ステップＳ５６２）、操作部１０６のＪＯＢＮＡＶＩボタン２４が押された場合には、撮影リストモードに入り、記録部１０８に格納されている撮影リストの撮影リスト名の一覧を表示部１０４に表示する（ステップＳ５６３）。ここで、操作者のタッチパネル操作部１０７の操作で撮影リスト名の一覧の中から撮影リストが選択される。システム制御部１０１は、撮影リストの一覧の中から撮影リストが選択されたか否かを判断する（ステップＳ５６４）。
【０２７４】
そして、撮影リストが選択されると、システム制御部１０１は、選択された撮影リストのカット名の一覧を表示部１０４に表示する（ステップＳ５６５）。ここで、操作者のタッチパネル操作部１０７の操作でカット名の一覧の中からカット名が選択される。システム制御部１０１は、カット名の一覧の中からカット名が選択されたか否かを判断する（ステップＳ５６６）。システム制御部１０１は、カット名が選択されると撮影リスト撮影モードに入り、撮影可能状態とする（ステップＳ５６７）。これにより、ユーザーは、カット名に対応する被写体を選択して撮影を行うことが可能となる。
【０２７５】
そして、撮影リストの選択されたカット名に対応する記録後の指示を記録部１０８から読み出し（ステップＳ５６８）、自動処理指示情報（記録後の指示）が、メモ入力の指示であるか否かを判断する（ステップＳ５６９）。選択されたカット名に対応する撮影後指示がメモ入力の指示である場合には、ステップＳ５７０に移行し、操作部１０６のレリーズキー２１の押下に応じて被写体を撮影する。撮影した被写体の画像データは記録部１０８に画像ファイルとして格納する（ステップＳ５７０）。
【０２７６】
この後、システム制御部１０１は、メモ入力モードに移行し（ステップＳ５７１）、タッチパネル操作部１０７上でソフトキーボード入力を選択するキーが選択されたか否かを判断し（ステップＳ５７２）、ソフトキーボード入力を選択するキーが選択された場合には、使用者により、ソフトウエアキーボードでテキスト文字が入力され（ステップＳ５７３）、入力されたテキスト文字を関連ファイルとして記録部１０８に保存する（ステップＳ５７４）。他方、ステップＳ５７２で、タッチパネル操作部１０７上でソフトキーボード入力を選択するキーが選択されなかった場合には、使用者により、タッチパネル操作部１０７上でタッチペンを使用して手書き文字が入力され（ステップＳ５７５）、入力された手書き文字を関連ファイルとして記録部１０８に保存する（ステップＳ５７４）。
【０２７７】
他方、ステップＳ５６９で、自動処理指示情報（撮影後の指示）がメモの入力指示でないと判断した場合には、ステップＳ２７６に移行し、通常撮影リストモードで撮影を行い、撮影した画像を記録部１０８にＥＸＩＦ形式の画像ファイルとして格納する（ステップＳ５７７）。
【０２７８】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０２７９】
以上説明したように、実施例１０によれば、撮影リストに撮影後にメモを入力する旨の指示がある場合には、撮影後にメモ入力モードを実行することとしたので、撮影した画像のメモ情報を入力することができ、撮影後、写真を間違えることを防止することが可能となり、操作者の使い勝手が良くなる。
【０２８０】
以上説明したように、実施例１０によれば、撮影リストのカット名が選択され、選択されたカット名に対応する自動処理指示情報（記録後の指示）がメモ入力である場合には、メモ入力モードになり、入力されるメモのファイルを撮影した画像ファイルの関連ファイルとして保存することとしたので、使用者は、撮影リストを使用して、撮影の段階では必要なカットの取り忘れを防止でき、また、撮影後の段階では、撮影に関係するメモを関連ファイルとして保存することができ、使用者の作業をスムーズに進行させることが可能となる。
【０２８１】
（実施例１１）
実施例１１を図５０を参照して説明する。図５０は実施例１１におけるデジタルカメラ１００側の動作を説明するためのフローチャートを示す。実施例１１では、撮影リストのカット名が選択され、選択されたカット名に対応する自動処理指示情報（記録後の指示）がメモ入力画像合成の指示である場合には、撮影後、メモ入力モードになり、入力されるメモ情報を、撮影した画像に合成して保存する場合の動作を説明する。
【０２８２】
図５０において、まず、デジタルカメラ１００では、パーソナルコンピュータ２００と接続して撮影リストを読み込み、記録部１０８に格納する（ステップＳ５８１）。撮影リストには、タイトル名、記録すべき被記録対象のカット名、および、各カット名に関連づけて自動処理指示情報（記録後の指示）が登録されている。
【０２８３】
つづいて、システム制御部１０１は、操作部１０６のＪＯＢＮＡＶＩボタン２４が押されたか否かを判断し（ステップＳ５８２）、操作部１０６のＪＯＢＮＡＶＩボタン２４が押された場合には、撮影リストモードに入り、記録部１０８に格納されている撮影リストの撮影リスト名の一覧を表示部１０４に表示する（ステップＳ５８３）。ここで、操作者のタッチパネル操作部１０７の操作で撮影リスト名の一覧の中から撮影リストが選択される。システム制御部１０１は、撮影リストの一覧の中から撮影リストが選択されたか否かを判断する（ステップＳ５８４）。
【０２８４】
そして、撮影リストが選択されると、選択された撮影リストのカット名の一覧を表示部１０４に表示する（ステップＳ５８５）。ここで、操作者のタッチパネル操作部１０７の操作でカット名の一覧の中からカット名が選択される。システム制御部１０１は、カット名の一覧の中からカット名が選択されたか否かを判断する（ステップＳ５８６）。システム制御部１０１は、カット名が選択されると撮影リスト撮影モードに入り、撮影可能状態とする（ステップＳ５８７）。そして、モニタリング画像を表示部１０４に表示する。これにより、ユーザは、カット名に対応する被写体を選択して撮影を行うことが可能となる。
【０２８５】
続いて、システム制御部１０１は、撮影リストの選択されたカット名に対応する自動処理指示情報（記録後の指示）を記録部１０８から読み出し（ステップＳ５８８）、自動処理指示情報（記録後の指示）が、メモ入力画像合成の指示であるか否かを判断する（ステップＳ５８９）。選択されたカット名に対応する記録後の指示がメモ入力画像合成の指示である場合には、ステップＳ５９０に移行し、操作部１０６のレリーズキー２１の操作に応じて、被写体を撮影する。この場合、表示部１０４には撮影された画像が表示される。
【０２８６】
この後、メモ入力モードに移行し（ステップＳ５９１）、タッチパネル操作部１０７上でソフトキーボード入力を選択するキーが選択されたか否かを判断し（ステップＳ５９２）、ソフトキーボード入力を選択するキーが選択された場合には、使用者により、ソフトキーボードでテキスト文字が入力され（ステップＳ５９３）、また、ステップＳ５９２で、タッチパネル操作部１０７上でソフトキーボード入力を選択するキーが選択されなかった場合には、使用者により、タッチパネル操作部１０７上でタッチペンを使用して手書き文字が入力される（ステップＳ５９６）。そして、入力されたメモ情報（テキスト文字または手書き文字）を、選択当該撮影した画像に重ねて表示し、さらに、タッチパネル操作部１０７の操作で、撮影した画像に対するメモ情報の重ね位置を指定する（ステップＳ５９４）。これにより、使用者は撮影画像を見ながらメモ情報の重ね合わせ位置を確認することができる。
【０２８７】
システム制御部１０１は、撮影した画像と重ね位置が指定されたメモ情報を合成して、合成画像を作成し、この合成画像を画像ファイルとして記録部１０８に保存する（ステップＳ５９５）。
【０２８８】
一方、ステップＳ５８９で、記録後の指示がメモ入力画像合成の指示でないと判断した場合には、ステップＳ５９７に移行し、通常の撮影リストモードで撮影を行い、撮影した画像を記録部１０８に画像ファイルとして格納する（ステップＳ５９８）。
【０２８９】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０２９０】
以上説明したように、実施例１１によれば、撮影リストのカット名が選択され、選択されたカット名に対応する自動処理指示情報（記録後の指示）がメモ入力の画像合成である場合には、撮影後、メモ入力モードになり、入力されるメモ情報を、撮影した画像に合成して保存することとしたので、使用者は、撮影の段階では撮影リストを使用して、必要なカットの取り忘れを防止でき、また、撮影後の段階では、撮影に関係するメモを、撮影した画像に合成して保存することができ、使用者の作業をスムーズに進行させることが可能となる。
【０２９１】
（実施例１２）
実施例１２を図５１を参照して説明する。図５１は実施例１２におけるデジタルカメラ１００側の動作を説明するためのフローチャートを示す。実施例１２では、撮影リストのカット名が選択され、選択されたカット名に対応する自動処理指示情報（記録後の指示）が、音声入力である場合には、撮影後、音声入力モードになり、入力される音声を撮影した画像ファイルの関連ファイルとして保存する場合の動作を説明する。
【０２９２】
図５１において、まず、デジタルカメラ１００では、パーソナルコンピュータ２００と接続して撮影リストを読み込み、記録部１０８に格納する（ステップＳ６０１）。撮影リストには、タイトル名、記録すべき被記録対象のカット名、および各カット名に関連づけて自動処理指示情報（記録後の指示）が登録されている。この自動処理指示情報（記録後の指示）には、図４１に示す操作指示コマンドが使用される。
【０２９３】
つづいて、システム制御部１０１は、操作部１０６のＪＯＢＮＡＶＩボタン２４が押されたか否かを判断し（ステップＳ６０２）、操作部１０６のＪＯＢＮＡＶＩボタン２４が押された場合には、撮影リストモードに入り、記録部１０８に格納されている撮影リストの撮影リスト名の一覧を表示部１０４に表示する（ステップＳ６０３）。ここで、操作者のタッチパネル操作部１０７の操作で撮影リスト名の一覧の中から撮影リストが選択される。システム制御部１０１は、撮影リストの一覧の中から撮影リストが選択されたか否かを判断する（ステップＳ６０４）。
【０２９４】
そして、撮影リストが選択されると、システム制御部１０１は、選択された撮影リストのカット名の一覧を表示部１０４に表示する（ステップＳ６０５）。ここで、操作者のタッチパネル操作部１０７の操作でカット名の一覧の中からカット名が選択される。システム制御部１０１は、カット名の一覧の中からカット名が選択されたか否かを判断する（ステップＳ６０６）。システム制御部１０１は、カット名が選択されると撮影リスト撮影モードに入り、撮影可能状態とする（ステップＳ６０７）。これにより、ユーザーは、カット名に対応する被写体を選択して撮影を行うことが可能となる。
【０２９５】
そして、システム制御部１０１は、撮影リストの選択されたカット名に対応する自動処理指示情報（記録後の指示）を記録部１０８から読み出し（ステップＳ６０８）、自動処理指示情報（記録後の指示）が、音声入力の指示であるか否かを判断する（ステップＳ６０９）。自動処理指示情報（記録後の指示）が音声入力の指示である場合には、ステップＳ６１０に移行する。ステップＳ６１０では、操作部１０６のレリーズキー２１の操作に応じて、被写体を撮影する。撮影した画像データは画像ファイルとして記録部１０８に格納する。その後、システム制御部１０１は、音声入力モードに移行し（ステップＳ６１１）、音声データ記録・再生部１０５を介して入力される音声の音声ファイルを撮影した画像の画像ファイルの関連ファイルとして記録部１０８に保存する（ステップＳ６１２）。
【０２９６】
他方、ステップＳ６０９で、自動処理指示情報（記録後の指示）が、音声の入力指示でないと判断した場合には、ステップＳ６１３に移行し、通常の撮影リストモードで撮影を行い、撮影した画像を記録部１０８に画像ファイルとして格納する（ステップＳ６１４）。
【０２９７】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０２９８】
以上説明したように、実施例１２によれば、撮影リストのカット名が選択され、選択されたカット名に対応する自動処理指示情報（記録後の指示）が音声入力である場合には、音声入力モードになり、入力される音声の音声ファイルを撮影した画像の画像ファイルの関連ファイルとして保存することとしたので、使用者は、撮影リストを使用して、撮影の段階では必要なカットの取り忘れを防止でき、また、撮影後の段階では、撮影に関係する音声を関連ファイルとして保存することができ、使用者の作業をスムーズに進行させることが可能となる。
【０２９９】
なお、実施例４〜実施例１２では、撮影リストに、カット名毎に自動処理情報（記録後（撮影後）の指示）を付加することとしているが、カット名毎の指示ではなく、撮影リスト全体としての指示を与える形式にしても良い。撮影リスト全体の自動処理指示情報を付加した場合について、（実施例１３）〜（実施例１８）を説明する。
【０３００】
（実施例１３）
実施例１３を図５２を参照して説明する。図５２は実施例１３におけるデジタルカメラ１００側の動作を説明するためのフローチャートを示す。実施例１３では、デジタルカメラで、撮影リストのカット名の撮影が全て終了した場合に、その旨をパーソナルコンピュータ２００に送信する場合の動作を説明する。
【０３０１】
まず、デジタルカメラは、パーソナルコンピュータ２００から転送されてくる撮影リストファイルを記録部１０８に格納しているものとする。そして、図５２において、システム制御部１０１は、操作部１０６のＪＯＢＮＡＶＩボタン２４が押下されると、撮影リストモードとなり、記録部１０８に格納されている撮影リストのカット名を読み出し、表示部１０４に表示する（ステップＳ６２１）。そして、システム制御部１０１は、撮影リストの自動処理指示情報（記録後の指示）を読み出し（ステップＳ６２２）、自動処理指示情報（記録後の指示）が撮影終了の自動報告指示であるか否かを判断する（ステップＳ６２３）。
【０３０２】
システム制御部１０１は、自動処理指示情報（記録後の指示）が、自動報告指示である場合には、ステップＳ６２４に移行する。ステップＳ６２４では、カット名が選択されて撮影が行われる。そして、システム制御部１０１は、撮影リストのカット名の撮影が全て終了したか否かを判断する（ステップＳ６２５）。撮影リストのカット名の撮影が全て終了していない場合には、ステップＳ６２４に戻る一方、撮影リストのカット名の撮影が全て終了した場合には、ステップＳ６２６に移行して、システム制御部１０１は、撮影リストのカット名の撮影が全て終了した旨を示す撮影終了メールファイルを作成する。
【０３０３】
そして、通信モードに移行し、パーソナルコンピュータ２００に撮影終了メールファイルを送信し、撮影終了報告を行う（ステップＳ６２７）。他方、ステップＳ６２８で、自動処理指示情報（記録後の指示）が撮影終了の自動報告でないと判断した場合には、通常の撮影リストモードで撮影を行い（ステップＳ６２８）、撮影した画像を記録部１０８に画像ファイルとして格納する（ステップＳ６２９）。
【０３０４】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０３０５】
以上説明したように、実施例１３によれば、デジタルカメラで、撮影リストのカット名に対応した撮影が全て終了した場合に、その旨をパーソナルコンピュータ２００に転送することとしたので、撮影リストの作業を終了したか否かを指示者が把握することが可能となる。
【０３０６】
なお、ここでは、撮影リストに、カット名の撮影が全て終了した場合に撮影終了の報告を指示する自動処理指示情報が含まれている場合に、撮影終了を報告することとしたが、撮影終了の報告を指示する自動処理指示情報の有無に拘わらず撮影終了の自動報告を行うことにしても良い。
【０３０７】
（実施例１４）
実施例１４を図５３を参照して説明する。図５３は実施例１４におけるデジタルカメラ１００側の動作を説明するためのフローチャートを示す。実施例１４では、デジタルカメラ１００で、撮影リストのカット名の撮影が自動報告ポイントまで終了した場合に、その旨をパーソナルコンピュータ２００に通知する場合の動作を説明する。
【０３０８】
まず、デジタルカメラ１００は、パーソナルコンピュータ２００から転送されてくる撮影リストファイルを記録部１０８に格納しているものとする。そして、図５３において、システム制御部１０１は、操作部１０６のＪＯＢＮＡＶＩボタン２４が押下されると、撮影リストモードとなり、記録部１０８に格納されている撮影リストのカット名を読み出し、表示部１０４に表示する（ステップＳ６３１）。そして、システム制御部１０１は、撮影リストの自動処理指示情報（記録後の指示）を読み出し（ステップＳ６３２）、記録後の指示が撮影終了の自動報告指示であるか否かを判断する（ステップＳ６３３）。
【０３０９】
システム制御部１０１は、自動処理指示情報（記録後の指示）が、自動報告指示である場合には、ステップＳ６３４に移行する。ステップＳ６３４では、カット名が選択されて撮影が行われる。そして、システム制御部１０１は、撮影リストのカット名の撮影が自動報告ポイントまで終了したか否かを判断する（ステップＳ６３５）。ここで、自動報告ポイントとしては、撮影リストの撮影が所定枚数終了した場合や、所定数のカット名の撮影が終了した場合などとすることができる。
【０３１０】
撮影リストのカット名の撮影が自動報告ポイントまで終了していない場合にはステップＳ６３４に戻る一方、撮影リストのカット名の撮影が自動報告終了ポイントまで終了した場合には、ステップＳ６３６に移行して、システム制御部１０１は、撮影リストのカット名の撮影が自動報告終了ポイントまで終了した旨を示す報告メールファイルを作成する（ステップＳ６３６）。つづいて、通信モードに移行し、パーソナルコンピュータ２００に報告メールファイルを送信する（ステップＳ６３７）。
【０３１１】
他方、ステップＳ６３３で、自動処理指示情報（記録後の指示）が撮影終了の自動報告指示でない場合には、ステップＳ６３８に移行して通常の撮影リストモードで撮影を行い、撮影した画像を記録部１０８に画像ファイルとして格納する（ステップＳ６３９）。
【０３１２】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０３１３】
以上説明したように、実施例１４によれば、デジタルカメラで、撮影リストのカット名の撮影が自動報告ポイントまで終了した場合に、その旨をパーソナルコンピュータ２００に転送することとしたので、撮影リストの作業の進行状況を指示者が把握することが可能となる。
【０３１４】
なお、ここでは、撮影リストに、カット名の撮影が自動報告ポイントまで終了した場合にその旨の報告を指示する自動処理指示情報が含まれている場合に、撮影終了を報告することとしたが、カット名の撮影が自動報告ポイントまで終了した場合にその旨の報告を指示する自動処理指示情報の有無に拘わらず報告を行うこととしても良い。
【０３１５】
（実施例１５）
実施例１５を図５４を参照して説明する。図５４は実施例１５におけるデジタルカメラ１００側の動作を説明するためのフローチャートである。実施例１５では、撮影リストに自動処理指示情報としてグループ化の指示がある場合に、撮影した画像をグループ化して保存する場合の動作を説明する。
【０３１６】
図５４において、まず、デジタルカメラ１００は、パーソナルコンピュータ２００から転送されてくる撮影リストファイルを記録部１０８に格納しているものとする。そして、システム制御部１０１は、操作部１０６のＪＯＢＮＡＶＩボタン２４が押下されると、撮影リストモードとなり、記録部１０８に格納されている撮影リストのカット名を読み出し、表示部１０４に表示する（ステップＳ６４１）。そして、システム制御部１０１は、撮影リストの自動処理指示情報（記録後の指示）を読み出し（ステップＳ６４２）、自動処理指示情報（記録後の指示）がグループ化の指示であるか否かを判断する（ステップＳ６４３）。撮影リストにグループ化の指示がある場合には、ステップＳ６４４に移行する。ステップＳ６４４では、カット名が選択された後、撮影が行われる。
【０３１７】
そして、システム制御部１０１は、撮影リスト上のカット名の撮影が全て終了したか否かを判断する（ステップＳ６４５）。撮影リスト上のカット名の撮影が全て終了していない場合には、ステップＳ６４４に戻る一方、撮影リスト上のカット名の撮影が全て終了した場合には、グループ化の処理を行う（ステップＳ６４６）。つづいて、システム制御部１０１は、同一フォルダに入れるか否かの選択を促すメッセージが表示部１０４に表示する。使用者の操作部１０６の操作で同一フォルダに入れるが選択された場合には（ステップＳ６４７）、撮影リストのフォルダを指定して、撮影リスト内の全カット名に対応する記録ファイルを登録する（ステップＳ６４８）。他方、ステップＳ６４７で使用者の操作部１０６の操作で同一のフォルダに入れるが選択されなかった場合には、撮影リストのフォルダの下層にカット名毎のフォルダを作成し（ステップＳ６４９）、対応するカット名のフォルダに画像ファイルを登録し（ステップＳ６５０）、すべてのカットのグループ保存が終了するまで同じ処理を繰り返す（ステップＳ６４９〜ステップＳ６５１）。
【０３１８】
他方、ステップＳ６４３で、撮影リストにグループ化の指示がない場合には、ステップＳ６５２に移行し、通常の撮影リストモードで撮影を行い、撮影した画像を記録部１０８に画像ファイルとして格納する（ステップＳ６５３）。
【０３１９】
図５５は、撮影済み撮影画像のフォルダ構成の一例を示す図である。同図では、撮影リストごとにフォルダが生成されて、その中に撮影済み撮影リストファイルと、撮影画像が登録されている例を示す。
【０３２０】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０３２１】
以上説明したように、実施例１５によれば、撮影リストにグループ化の指示がある場合には、撮影した画像ファイルをグループ化してフォルダに登録することとしたので、ファイル管理が容易となる。
【０３２２】
なお、ここでは、撮影リストにグループ化を指示する自動処理指示情報がある場合に、撮影した画像ファイルをグループ化してフォルダに登録することとしたが、グループ化を指示する自動処理指示情報の有無に拘わらず、撮影リストで撮影した画像ファイルをグループ化してフォルダに登録することにしても良い。
【０３２３】
（実施例１６）
実施例１６を図５６を参照して説明する。図５６は実施例１６におけるデジタルカメラ１００側の動作を説明するためのフローチャートを示す。実施例１６では、撮影リストにグループ化の指示がある場合には、撮影リストに従って記録した、静止画、動画、音声、二値化画像等を、静止画、動画、音声、二値化画像別にグループ化して保存する場合の動作を説明する。
【０３２４】
図５６において、まず、デジタルカメラ１００は、パーソナルコンピュータ２００から転送されてくる撮影リストファイルを記録部１０８に格納しているものとする。そして、システム制御部１０１は、操作部１０６のＪＯＢＮＡＶＩボタン２４が押下されると、撮影リストモードとなり、記録部１０８に格納されている撮影リストのカット名を読み出し、表示部１０４に表示する（ステップＳ６６１）。そして、システム制御部１０１は、撮影リストの自動処理指示情報（記録後の指示）を読み出し（ステップＳ６６２）、自動処理指示情報（記録後の指示）がグループ化の指示であるか否かを判断する（ステップＳ６６３）。撮影リストにグループ化の指示がある場合には、ステップＳ６６４に移行する。ステップＳ６６４では、カット名が選択された後、撮影が行われる。そして、システム制御部１０１は、撮影リスト上のカット名の撮影が全て終了したか否かを判断する（ステップＳ６６５）。
【０３２５】
撮影リスト上のカット名の撮影が全て終了していない場合には、ステップＳ６６４に戻る一方、撮影リスト上のカット名の撮影が全て終了した場合には、グループ化の処理を行う（ステップＳ６６６）。つづいて、システム制御部１０１は、同一のフォルダに入れるか否かの選択を促すメッセージが表示部１０４に表示する。使用者の操作部１０６の操作で同一グループに入れるが選択された場合には（ステップＳ６６７）、撮影リストのフォルダを指定して、撮影リスト内の全カット名に対応する記録ファイルを登録する（ステップＳ６６８）。
【０３２６】
他方、使用者の操作部１０６の操作で同一グループに入れるが選択されなかった場合には（ステップＳ６６７）、記録ファイルのモード（静止画、動画、音声、二値画）別に整理し（ステップＳ６６９）、撮影リストのフォルダの下層にモード（静止画、動画、音声、二値画）別のフォルダを作成して、フォルダ別に対応する記録ファイルを登録し（ステップＳ６７０）、グループ保存が終了するまで同じ処理を繰り返す（ステップＳ６７１）。
【０３２７】
また、ステップＳ６６３で、撮影リストにグループ化の指示がない場合には、ステップＳ６７２に移行し、通常の撮影リストモードで撮影を行い、撮影した画像を記録部１０８に画像ファイルとして格納する（ステップＳ６７３）。
【０３２８】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０３２９】
以上説明したように、実施例１６によれば、撮影リストにグループ化の指示がある場合には、撮影リストに従って記録した、静止画、動画、音声、二値化画像等を、静止画、動画、音声、二値化画像別にグループ化して保存することとしたので、ファイル管理が容易となる。
【０３３０】
（実施例１７）
実施例１７を図５７を参照して説明する。図５７は実施例１７におけるデジタルカメラ１００側の動作を説明するためのフローチャートを示す。実施例１７では、撮影リストの自動処理指示情報（記録後の指示）が複数枚の画像の組み合わせである場合には、所定枚数の撮影後、撮影リストの各カットの組み合わせ情報に応じて複数枚の画像を組み合わせて、１つの画像ファイルを作成する場合の動作を説明する。
【０３３１】
図５７において、まず、デジタルカメラ１００は、パーソナルコンピュータ２００から転送されてくる撮影リストを記録部１０８に格納しているものとする。そして、システム制御部１０１は、操作部１０６のＪＯＢＮＡＶＩボタン２４が押下されると、撮影リストモードとなり、記録部１０８に格納されている撮影リストのカット名を読み出し、表示部１０４に表示する（ステップＳ６８１）。そして、システム制御部１０１は、撮影リストの自動処理指示情報（記録後の指示）を読み出し（ステップＳ６８２）、自動処理指示情報（記録後の指示）が複数画像の組み合わせであるか否かを判断する（ステップＳ６８３）。この判断の結果、自動処理指示情報（記録後の指示）が複数画像の組み合わせである場合には、ステップＳ６８４に移行する。
【０３３２】
ステップＳ６８４では、カット名が選択されて撮影が行われる。システム制御部１０１は、所定枚数の撮影が終了したか否かを判断する（ステップＳ６８５）。所定枚数の撮影が終了していない場合には、ステップＳ６８４に戻る一方、所定枚数の撮影が終了した場合には、システム制御部１０１は、撮影リストから各カットの組み合わせ情報（画像の大きさや並べ順の情報）を読み込み（ステップＳ６８６）、各カットの組み合わせ情報に従って、撮影した複数枚の画像を合成し（ステップＳ６８７）、合成した画像を１つの画像ファイルとして記録部１０８に保存する（ステップＳ６８８）。
【０３３３】
他方、ステップＳ６８３で、自動処理指示情報（記録後の指示）が複数画像の組み合わせでない場合には、ステップＳ６８９に移行し、通常の撮影リストモードで撮影した画像を画像ファイルとして記録部１０８に格納する（ステップＳ６９０）。
【０３３４】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０３３５】
ここで、撮影リストで複数画像の合成を指示する自動処理指示情報（コマンド）の例を説明する。画像を合成する場合のコマンドの形態は、comp:｛(pair=a,…),(base=0/not base=1,2,3…),(size=w x h),(when not base, position=x,y)｝となる。
【０３３６】
pair：画像の組み合わせを示す。
アルファベットで,a,b,c…と表し，同一の場合に組み合わせ画像で有ることを示す。
base：1,0で表し，base=0が,合成されるベース画像を表す。
base=1が,合成する画像を表す。
なお、合成画像が複数ある場合は，数字の大きい方がより上位に上書きされる．
size：w x hで表し,w；横 x h；縦の画素数で表す。
サイズを変えない場合は省略可能である。（例；370x170）
position：ｘ，ｙ座標で表し,合成される画像を100分割したときの，合成する画像の左上角の位置座標を表す。
【０３３７】
例えば、図５８に示すような、リコーの画像にミノロタの画像を合成する場合の撮影リストの記述例を図５９に示す。図５８では、ベース画像は、撮影画像をそのままの画素数とし、合成画像は、３４０×１７０サイズで合成される。
【０３３８】
以上説明したように、上記実施例１７によれば、撮影リストの記録後の指示が、複数枚の画像の組み合わせである場合には、複数枚の画像を組み合わせて１つの画像ファイルを作成することとしたので、撮影後に、自動的に複数枚の画像を合成することができ、使用者の使い勝手が良くなる。
【０３３９】
（実施例１８）
実施例１８を図６０を参照して説明する。図６０は実施例１８におけるデジタルカメラ１００側の動作を説明するためのフローチャートを示す。実施例１８では、撮影リストの自動処理指示情報（記録後の指示）が複数画像の補正処理である場合には、撮影後、複数画像に対して補正処理を行う場合の動作を説明する。
【０３４０】
図６０において、まず、デジタルカメラ１００は、パーソナルコンピュータ２００から転送されてくる撮影リストを記録部１０８に格納しているものとする。そして、システム制御部１０１は、操作部１０６のＪＯＢＮＡＶＩボタン２４が押下されると、撮影リストモードとなり、記録部１０８に格納されている撮影リストのカット名を読み出し、表示部１０４に表示する（ステップＳ７０１）。そして、システム制御部１０１は、撮影リストの自動処理指示情報（記録後の指示）を読み出し（ステップＳ７０２）、自動処理指示情報（記録後の指示）が複数画像の補正処理の指示であるか否かを判断する（ステップＳ７０３）。この判断の結果、自動処理指示情報（記録後の指示）が複数画像の補正指示である場合には、ステップＳ７０４に移行する。
【０３４１】
ステップＳ７０４では、カット名が選択されて、撮影が行われる。つづいて、システム制御部１０１は、撮影リストの自動処理指示情報（記録後の指示）が、撮影中の補正指示である場合には（ステップＳ７０５）、撮影パラメータを補正（例えば、露出の調整）する（ステップＳ７０６）。そして、システム制御部１０１は、所定枚数の撮影が終了したか否かを判断し（ステップＳ７０７）、所定枚数の撮影が終了していない場合には、ステップＳ７０４に戻る一方、所定枚数の撮影が終了した場合には、撮影した複数の画像に対して、撮影終了後の補正処理（色補正、レンズの歪み補正等）を行う（ステップＳ７０８）。そして、補正処理された画像を記録部１０８に格納する（ステップＳ７０９）。
【０３４２】
他方、ステップＳ７０３で、撮影リストの記録後の指示が複数画像の補正処理でない場合には、ステップＳ７１０に移行し、通常の撮影リストモードで撮影し、撮影した画像を画像ファイルとして記録部１０８に格納する（ステップＳ７１１）。
【０３４３】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０３４４】
以上説明したように、上記実施例１８によれば、撮影リストの自動処理指示情報（記録後の指示）が複数画像の補正処理である場合には、撮影後、複数画像に対して同一の補正処理を自動的に行うことができ、使用者の使い勝手が良くなる。複数の画像に対して、同一の補正処理を行いたい場合に有用である。
【０３４５】
（実施例１９）
実施例１９を図６１を参照して説明する。図６１は実施例１９におけるデジタルカメラ１００側の動作を説明するためのフローチャートを示す。実施例１９では、撮影リストの選択されるカット名に対応する撮影条件指示に従って撮影を行う場合の動作を説明する。
【０３４６】
図６１において、まず、デジタルカメラ１００では、パーソナルコンピュータ２００と接続して撮影リストを読み込み、記録部１０８に格納する（ステップＳ７２１）。撮影リストには、タイトル名、記録すべき被記録対象のカット名および各カット名に関連づけて自動処理指示情報（撮影条件指示）が登録されている。
【０３４７】
つづいて、システム制御部１０１は、操作部１０６のＪＯＢＮＡＶＩボタン２４が押されたか否かを判断し（ステップＳ７２２）、操作部１０６のＪＯＢＮＡＶＩボタン２４が押された場合には、撮影リストモードに入り、記録部１０８に格納されている撮影リストの撮影リスト名の一覧を表示部１０４に表示する（ステップＳ７２３）。ここで、操作者のタッチパネル操作部１０７の操作で撮影リスト名の一覧の中から撮影リストが選択される。システム制御部１０１は、撮影リストの一覧の中から撮影リストが選択されたか否かを判断する（ステップＳ７２４）。そして、撮影リストが選択されると、選択された撮影リストのカット名の一覧を表示部１０４に表示する（ステップＳ７２５）。ここで、操作者のタッチパネル操作部１０７の操作でカット名の一覧の中からカット名が選択される。システム制御部１０１は、カット名の一覧の中からカット名が選択されたか否かを判断する（ステップＳ７２６）。システム制御部１０１は、カット名が選択されると撮影リスト撮影モードに入り、撮影可能状態とする（ステップＳ７２７）。これにより、ユーザーは、カット名に対応する被写体を選択して撮影を行うことが可能となる。
【０３４８】
そして、システム制御部１０１は、撮影リスト内に選択されたカット名に対応する自動処理指示情報（撮影条件指示）があるか否かを判別して（ステップＳ７２８）、自動処理指示情報（撮影条件指示）がある場合には、撮影条件を自動処理指示情報（当該撮影条件指示）に従って設定する（ステップＳ７２９）。そして、設定した撮影条件で撮影を実行する（ステップＳ７３０）。つづいて、撮影した画像を記録部１０８に格納する（ステップＳ７３１）。他方、ステップＳ７２８で撮影リスト内に選択されたカット名に対応する自動処理指示情報（撮影条件指示）がない場合には、ステップＳ７３２に移行して、通常の撮影リストモードの撮影を行い、撮影した画像を画像ファイルとして記録部１０８に格納する（ステップＳ７３３）。
【０３４９】
なお、撮影リストに含まれる自動処理指示情報（撮影条件指示）としては、記録モードの指示（音声、動画等）、日付、撮影時間、カメラの姿勢（方角、回転角度）、連写、絞り、シャッター速度、フラッシュＯＮ／ＯＦＦ、赤目防止ＯＮ／ＯＦＦ、白黒モード、セピアモード、文字原稿撮影モード（エッジを強調した文字をはっきりと、際立たせるモード）、画素数、圧縮率、オートフォーカス、マニュアルフォーカス、距離固定、手ぶれ補正ＯＮ／ＯＦＦ、ホワイトバランス設定、画像スタンプ合成、カット枚数、縦横サイズ、アスペクト比、露出モード、解像度、暗号化の有無、電子すかしの有無等がある。
【０３５０】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０３５１】
以上説明したように、上記実施例１９によれば、撮影リストを表示部１０４に表示し、表示された撮影リストの中からカット名を選択し、選択したカット名に対応した撮影条件指示に従って撮影を行うこととしたので、使用者は、撮影リストを使用して、撮影の段階では必要なカットの取り忘れを防止でき、また、設定される撮影条件指示で自動的に撮影を行うことができ、撮影リストの作成者（指示者）の指示に従った撮影を行うことが可能となる。
【０３５２】
（実施例２０）
実施例２０を図６２を参照して説明する。図６２は実施例２０におけるデジタルカメラ１００側の動作を説明するためのフローチャートを示す。実施例２０では、撮影リストでカット名を選択し、選択されたカット名に対応する被合成情報を撮影した画像に合成する場合の動作を説明する。
【０３５３】
図６２において、まず、デジタルカメラ１００では、パーソナルコンピュータ２００と接続して撮影リストを読み込み、記録部１０８に格納する（ステップＳ７４１）。撮影リストには、記録すべき被記録対象のカット名が含まれており（図６参照）、さらに、各カット名に関連づけて被合成情報（画像、テキスト文字、手書き文字等）が登録されている。
【０３５４】
つづいて、システム制御部１０１は、操作部１０６のＪＯＢＮＡＶＩボタン２４が押されたか否かを判断し（ステップＳ７４２）、操作部１０６のＪＯＢＮＡＶＩボタン２４が押された場合には、撮影リストモードに入り、記録部１０８に格納されている撮影リストの撮影リスト名の一覧を表示部１０４に表示する（ステップＳ７４３）。ここで、操作者のタッチパネル操作部１０７の操作で撮影リスト名の一覧の中から撮影リストが選択される。システム制御部１０１は、撮影リストの一覧の中から撮影リストが選択されたか否かを判断する（ステップＳ７４４）。
【０３５５】
そして、撮影リストが選択されると、選択された撮影リストのカット名の一覧を表示部１０４に表示する（ステップＳ７４５）。ここで、操作者のタッチパネル操作部１０７の操作でカット名の一覧の中からカット名が選択される。システム制御部１０１は、カット名の一覧の中からカット名が選択されたか否かを判断する（ステップＳ７４６）。システム制御部１０１は、カット名が選択されると撮影モードに入り、撮影可能状態とする（ステップＳ７４７）。そして、表示部１０４にモニタリング画像を表示する。これにより、ユーザは、カット名に対応する被写体を選択して撮影を行うことが可能となる。
【０３５６】
この後、システム制御部１０１は、撮影リストの選択されたカット名に対応する被合成情報があるか否かを判断し（ステップＳ７４８）、被合成情報がある場合には、レリーズキー２１の操作に応じて、撮影を行い、撮影した画像を表示部１０４に表示するとともに、選択されたカット名に対応する被合成情報を、当該撮影した画像に重ねて表示する（ステップＳ７４９）。そして、タッチパネル操作部１０７の操作で、撮影した画像に対する被合成情報の重ね位置を指定する（ステップＳ７５０）。これにより、使用者は撮影画像を見ながら被合成情報の重ね合わせ位置を確認することができる。
【０３５７】
システム制御部１０１は、撮影した画像と重ね位置が指定された被合成情報を合成して、合成画像を作成し、この合成画像を画像ファイルとして記録部１０８に保存する（ステップＳ７５１）。
【０３５８】
一方、ステップＳ７４８で、撮影リストの選択されたカット名に対応する被合成情報がない場合には、ステップＳ７５２に移行し、通常の撮影リストモードで撮影を行い、撮影した画像を記録部１０８に画像ファイルとして格納する（ステップＳ７５３）。
【０３５９】
なお、デジタルカメラ１００では、撮影リストと撮影リストを使用して記録した記録ファイルを、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０３６０】
以上説明したように、実施例２０によれば、撮影リストでカット名を選択し、選択されたカット名に対応する被合成情報を撮影した画像に合成することとしたので、使用者は、撮影の段階では撮影リストを使用して、必要なカットの取り忘れを防止でき、また、撮影後の段階では、撮影に関係する被合成情報を撮影した画像に合成して保存することができ、使用者の作業をスムーズに進行させることが可能となる。
【０３６１】
「本実施の形態にかかるデジタルカメラのブラウザ機能の実施例」
つぎに、デジタルカメラ１００のブラウザ機能を使用した場合の実施例１〜実施例３を説明する。デジタルカメラ１００では、ブラウザ機能を使用して、Ｗｅｂサーバーのホームページから撮影リストをダウンロードしたり、Ｗｅｂサーバーのホームページのｗｅｂ情報の取り込み等を行う。
【０３６２】
（実施例１）
実施例１を図６３〜図６５を参照して説明する。図６３は実施例１におけるデジタルカメラ１００側の動作を説明するためのフローチャートを示す。図６４および図６５は、実施例１における表示部１０４のＬＣＤの表示例を示す。実施例１では、Ｗｅｂサーバー３００から画像データを取り込む場合の動作を説明する。
【０３６３】
図６３において、まず、デジタルカメラ１００では、操作部１０６のモードダイヤルを”通信モード”に設定すると（ステップＳ１００１）、表示部１０４のＬＣＤには、選択メニューが表示される（ステップＳ１００２）。図８は、選択メニューの表示例を示している。
【０３６４】
そして、表示部１０４のＬＣＤで、「Ｗｅｂ」が選択された後、「ＯＫ／ＥＮＴＥＲ」が押下されると（ステップＳ１００３）、接続情報の設定・確認画面が表示される（ステップＳ１００４）。図９は、接続情報の設定・確認画面を示している。この接続情報の設定・確認画面で、接続情報の変更または確認が行われる（ステップＳ１００５）。そして、接続情報の設定・確認画面で、「接続」が選択されると（ステップＳ１００６）、インターネットに接続して、ブラウザ画面を表示する（ステップＳ１００７）。図６４は、ブラウザ画面の表示例を示している。そして、ブラウザ画面のアドレス情報入力エリアＡ１にＵＲＬアドレスを入力すると（ステップＳ１００８）、指定したＵＲＬアドレスのホームページがブラウザ画面に表示される（ステップＳ１００９）。図６５は、ブラウザ画面のホームページの画像の表示例を示している。このブラウザ画面では、上下、左右のスクロールバーＳＣ１，ＳＣ２をタッチペンでタッチして、画面表示を左右、上下に変更可能となっている。表示部１０４のＬＣＤは、ホームページの一部分が表示される。表示されていない部分を見る場合は、画面右側と下側のスクロールバーＳＣ１、ＳＣ２を使用して画面の表示を変更することができる。そして、操作部１０６のレリーズキー２１が押下されると（ステップＳ１０１０）、表示されている画面全体の画像データを記録部１０８に、撮像データと同様の所定のフォーマット形式（例えば、ＧＩＦ、ＴＩＦＦ、ＪＰＥＧ等のフォーマット形式）で記録する（ステップＳ１０１１）。
【０３６５】
具体的には、ＣＰＵ１２１は、Ｗｅｂサーバーからネットワーク４００を経由して、カードスロット部１１０の通信カードを介して取り込んだＷｅｂ情報を、フレームメモリ１１６内に表示用データとして書き込む。フレームメモリ１１２に書き込まれた表示用データは、ＩＰＰ１１５により、表示部１０４に表示される。そして、操作部１０６のレリーズキー２１が押下されると、ＩＰＰ１１５でフレームメモリ１１６内の表示用データの圧縮処理が行われた後、ＣＰＵ１２１により、撮影データのファイル形式（例えば、ＥＸＩＦ等のフォーマット形式）で記録部１０８に書き込まれる。すなわち、ブラウジングしたＷｅｂ情報を、撮像手段で取り込んだ撮像データ（例えば、ＧＩＦ、ＴＩＦＦ、ＪＰＥＧ等のフォーマット形式）と同じ画像データとして扱う。
【０３６６】
なお、Ｗｅｂ画像を記録する際に、操作部１０６のズームレバー２２によって、ブラウジング画像の取り込み範囲（ＬＣＤの表示範囲）を拡大または縮小して、拡大または縮小したブラウジング画像を取り込むことが可能となっている。すなわち、被写体の大きさを調整するためのカメラ部（光学系、撮像手段）のズーム機能に用いるズームレバー２２を、取り込むＷｅｂ情報の画面の大きさを調整するために用いる。具体的には、操作部１０６からズームレーバー２２の入力を検出すると、ＣＰＵ１１２は、フレームメモリ１１６内の表示データの拡大／縮小処理を行い、それに応じて表示部１０４の表示が変更（拡大／縮小）される。
【０３６７】
ここで、操作部１０６のズームレバー２２によって、ブラウジング画像の取り込み範囲（ＬＣＤの表示範囲）を拡大または縮小する場合を図６６〜図６８を参照して説明する。実際のホームページの画面は、図６６（Ａ）のようになっている。デジタルカメラ１００では、表示部１０４のＬＣＤ画面が小さいので、図６６（Ｂ）に示すように、実際の画面の１／４程度しか表示できない。そこで、図６７に示すように、ズームレバー２２を＜＜側に操作すると、画像を縮小して広範囲に細部まで表示する。他方、図６８に示すように、ズームレバー２２を＜＜側に操作すると、画像を縮小して広範囲に細部まで表示する。さらに、スクロールキー２７を用いて、範囲を画像を見たい表示まで移動させることができる。
【０３６８】
また、静止画を連写モード（シャッターを押している間撮影する）で撮影する機能を利用して、ブラウジングする画像をＬＣＤに表示される範囲で、Ｗｅｂ全体をオーバーラップさせながらスクロールさせて、Ｗｅｂページを複数の画像に分割して連続して取り込むことにしても良い。この際、取り込みのスクロールの仕方は例えば、時計回り、反時計回り、Ｎ型、逆Ｎ型等の指定を可能として、その都度撮影している領域をＬＣＤに表示する。
【０３６９】
また、ブラウジングする画像の特定のＵＲＬアドレスに定期的にアクセスして、そのデータの取り込みを行うことにしても良い。この場合、Ｗｅｂ情報のアクセスに時間を要する（つまり、時間間隔をアクセス時間以下には設定できない）ので、このアクセス時間をシャッター時間前に設定できるものとする。
【０３７０】
図６９は、Ｗｅｂキャプチャ条件設定画面を示している。同図に示すＷｅｂキャプチャ条件設定画面では、”ＵＲＬ”、”キャプチャ間隔”、”キャプチャ範囲”の設定を行う。まず、キャプチャ先のＵＲＬの設定を行う。つぎに、キャプチャ間隔の設定を行う。ここで、「０」は定期的にアクセスしないで１回限りの場合を示している。つづいて、キャプチャ範囲の設定を行う。画面全部を選択したい場合には、ＵＲＬにアクセスしたＷｅｂページ全体をキャプチャする。一部を選択した場合には、設定範囲ボタンを有効とする。範囲設定ボタンを押すと、ブラウザが立ち上がり、キャプチャーしたい範囲の部分を表示（拡大縮小を含めて）する。表示後、「登録」と押すと条件の設定が行われる。
【０３７１】
以上説明したように、上記実施例１によれば、ブラウジングで取り込んだＷｅｂ情報を、撮像手段で取り込んだ撮像データ（例えば、GIF、TIFF、JPEG等のフォーマット形式）と同じ画像データとして扱うこととしたので、ブラウジングしたホームページ等のＷｅｂ情報を、光学系、撮像手段で撮影したと同じ撮影データとして取り込むことができ、処理やデータ管理が容易になる。
【０３７２】
また、被写体の大きさを調整するためのカメラ部（光学系、撮像手段）のズーム機能に用いるズームレバーを、取り込むＷｅｂ情報の画面の大きさを調整するために用いることとしたので、ズームレバーを用いることでカメラでの撮影と同じ感覚で、取り込みデータのキャプチャ範囲を自由に設定することが可能となる。
【０３７３】
また、Ｗｅｂ情報の取り込みにシャッターを使うこととしたので、ブラウジングしたホームページ等のＷｅｂ情報をシャッターを押下して取り込むことができ、デジタルカメラの撮影と同じ感覚でデータの取り込みができ、ユーザーが使用し易いユーザインターフェースを提供することが可能となる。
【０３７４】
また、ブラウジングする画像をＬＣＤに表示させる範囲で、Ｗｅｂ情報全体をオーバーラップさせながらスクロールさせて、Ｗｅｂページを複数の画像に分割して連続して取り込むこととしたので、連写モードで撮影するカメラ機能の連写感覚で、Ｗｅｂページのデータ取り込みを容易にすることが可能となる。
【０３７５】
また、ブラウジングする画像の特定のＵＲＬに定期的にアクセスして、その画像データの取り込みを行うこととしたので、カメラのインターバル撮影感覚で、Ｗｅｂページのデータの定期的な取り込みを容易にすることが可能となる。
【０３７６】
また、Ｗｅｂサーバー３００から取り込んだ画像データと手書きメモ情報とを合成することとしたので、ブラウジングしたホームページ等のＷｅｂ情報上に手書きメモ情報を合成するができ、画像等に関連する情報等の合成が可能となり、使用者の意図の強調等が容易に実現できる。
【０３７７】
また、ブウジング画像の取り込みデータに音声メモ情報を追加することとしたので、カメラでの撮影感覚で取り込んだブラウジングしたホームページ等のＷｅｂ情報上に、容易に関連する音声メモを追加することが可能となる。
【０３７８】
［実施例２］
実施例２を図７０を参照して説明する。図７０は実施例２におけるデジタルカメラ１００側の動作を説明するためのフローチャートを示す。上記図３８〜図４１は、実施例２における表示部１０４のＬＣＤの表示例を示す。実施例２では、Ｗｅｂサーバー３００からＷｅｂ情報を取り込み、取り込んＷｅｂ情報の画像ファイルのヘッダー部にＵＲＬアドレスやメールアドレスを書き込む場合の動作を説明する。
【０３７９】
図７０において、まず、デジタルカメラ１００では、操作部１０６のモードダイヤルを”通信モード”に設定すると（ステップＳ１０１１）、表示部１０４のＬＣＤには、選択メニューが表示される（ステップＳ１０１２）。上記図８は、選択メニューの表示例を示している。
【０３８０】
そして、表示部１０４のＬＣＤで、「Ｗｅｂ」が選択された後、「ＯＫ／ＥＮＴＥＲ」が押下されると（ステップＳ１０１３）、接続情報の設定・確認画面が表示される（ステップＳ１０１４）。上記図９は、接続情報の設定・確認画面を示している。この接続情報の設定・確認画面で、接続情報の変更または確認が行われる（ステップＳ１０１５）。そして、接続情報の設定・確認画面で、「接続」が選択されると（ステップＳ１０１６）、インターネットに接続して、ブラウザ画面を表示する（ステップＳ１０１７）。上記図４０は、ブラウザ画面の表示例を示している。そして、ブラウザ画面のアドレス情報入力エリアＡ１にＵＲＬアドレスを入力すると（ステップＳ１０１８）、指定したＵＲＬアドレスのホームページがブラウザ画面に表示される（ステップＳ１０１９）。上記図４１は、ブラウザ画面のホームページの画像の表示例を示している。このブラウザ画面では、左右のスクロールバーＳＣ１，ＳＣ２をタッチペンでタッチして、画面表示を左右、上下に変更可能となっている。表示部１０４のＬＣＤは、ホームページの一部分が表示される。表示されていない部分を見る場合は、画面右側と下側のスクロールバーＳＣ１、ＳＣ２を使用して画面の表示を変更することができる。そして、操作部１０６のレリーズキー２１が押下されると（ステップＳ１０２０）、表示されている画面全体の画像データを記録部１０８に、撮像データと同様の所定のフォーマット形式（例えば、ＥＸＩＦ等のフォーマット形式）で、かつ、ファイルのヘッダー部にキャプチャした時のＵＲＬまたはメールアドレスを書き込んで記録部１０８に記録する（ステップＳ１０２１）。すなわち、ブラウジングしたＷｅｂ情報を、撮像手段で取り込んだ撮像データ（例えばＥＸＩＦ等のフォーマット形式）と同じ画像データとして扱う。
【０３８１】
なお、上記実施例２では、撮影した静止画をフォルダ管理する機能およびブラウジングするＵＲＬを解析（階層化）する機能を用いることにより、ブラウジングした画像の画像ファイルを、ＵＲＬの内容によって（例えば、ＵＲＬアドレス毎に）、フォルダを分類することにしても良い。
【０３８２】
また、再生した画像データの画像ファイルのヘッダー部にＵＲＬまたはメールアドレスが記録されている場合には、画像データがクリックされた場合に、ブラウザ画面またはメール送信画面を表示することにしても良い。これによれば、取り込んだＷｅｂ情報のＵＲＬまたは、その情報に添付されているメールアドレスがある場合には、画像をクリックするだけでＵＲＬがある場合には、Ｗｅｂブラウザを立ち上がり、また、メールアドレスがある場合には、メール送信画面を立ち上がることになる。また、メールアドレスが複数のメーリングリスト構造をしている場合には、自動的にアドレス帳の代わりとして、アドレスの選択、指定を可能とすることにしても良い。
【０３８３】
以上説明したように、上記実施例２によれば、取り込んだＷｅｂ情報のＵＲＬまたは、添付されているメールアドレスをその画像ファイル（例えば、ＥＸＩＦファイル）のヘッダ部に書き込むこととしたので、カメラでの撮影感覚で取り込んだブラウジングしたホームページ等のＷｅｂ情報のＵＲＬ等を容易に確認することができ、そのアクセスが可能になる。
【０３８４】
また、撮影した静止画をフォルダ管理する機能を利用して、ブラウジングするＵＲＬを解析する機能を有することによって、ブラウジングした画像の取り込みデータを、ＵＲＬの内容によって、フォルダに分類することとしたので、取り込んだホームページ等のＷｅｂ情報を例えばホームページ毎にフォルダに分類することが可能となる。
【０３８５】
また、取り込んだＷｅｂ情報のＵＲＬまたは、その情報に添付されているメールアドレスがある場合には、画像をクリックするだけでＵＲＬがある場合には、Ｗｅｂブラウザが立ち上がり、また、メールアドレスがある場合には、メール送信画面が立ち上がることとしたので、キャプチャ画像の中にＵＲＬまたはメールアドレスが記録されている場合には、画像をクリックするだけでブラウザ画面またはメール送信画面が立ち上げることができ、ユーザーインターフェースを向上させることが可能となる。
【０３８６】
［実施例３］
実施例３を図７１を参照して説明する。図７１は実施例３におけるデジタルカメラ１００側の動作を説明するためのフローチャートを示す。上記図６４および３８〜図４２は、実施例３０における表示部１０４のＬＣＤの表示例を示す。実施例６では、Ｗｅｂサーバー３００からＷｅｂ情報を取り込み、取り込んだＷｅｂ情報にメモ情報を合成する場合の動作を説明する。
【０３８７】
図７１において、まず、デジタルカメラ１００では、操作部１０６のモードダイヤルを”通信モード”に設定すると（ステップＳ１０３１）、表示部１０４のＬＣＤには、選択メニューが表示される（ステップＳ１０３２）。上記図８は、選択メニューの表示例を示している。
【０３８８】
そして、表示部１０４のＬＣＤで、「Ｗｅｂ」が選択された後、「ＯＫ／ＥＮＴＥＲ」が押下されると（ステップＳ１０３３）、接続情報の設定・確認画面が表示される（ステップＳ１０３４）。上記図９は、接続情報の設定・確認画面を示している。この接続情報の設定・確認画面で、接続情報の変更または確認が行われる（ステップＳ１０３５）。そして、接続情報の設定・確認画面で、「接続」が選択されると（ステップＳ１０３６）、インターネットに接続して、ブラウザ画面を表示する（ステップＳ１０３７）。図４０は、ブラウザ画面の表示例を示している。そして、ブラウザ画面のアドレス情報入力エリアＡ１にＵＲＬアドレスを入力すると（ステップＳ１０３８）、指定したＵＲＬアドレスのホームページがブラウザ画面に表示される（ステップＳ１０３９）。図４１は、ブラウザ画面のホームページの画像の表示例を示している。このブラウザ画面では、左右のスクロールバーＳＣ１，ＳＣ２をタッチペンでタッチして、画面表示を左右、上下に変更可能となっている。表示部１０４のＬＣＤは、ホームページの一部分が表示される。表示されていない部分を見る場合は、画面右側と下側のスクロールバーＳＣ１、ＳＣ２を使用して画面の表示を変更することができる。そして、操作部１０６のレリーズキー２１が押下されると（ステップＳ１０４０）、”メモ情報を合成するか否か”を選択するための不図示の選択画面が表示される（ステップＳ１０４１）。つづいて、この選択画面で、”メモ情報を合成するか否か”の選択が行われ（ステップＳ１０４２）、メモ情報を合成しないが選択された場合には、表示されている画面全体の画像データを記録部１０８に、撮像データと同様の所定のフォーマット形式（例えば、ＧＩＦ、ＴＩＦＦ、ＪＰＥＧ等のフォーマット形式）で記録する（ステップＳ１０４３）。
【０３８９】
他方、ステップＴ１０１２で、”メモ情報を合成する”が選択された場合には、画面上で合成位置を指定し（ステップＳ１０４４）、ソフトウエアキーボードでメモ情報（テキスト文字）を入力し（ステップＳ１０４５）、画面上の画像データの指定される合成位置に入力したメモ情報を合成して、記録部１０８に、撮像データと同様の所定のフォーマット形式（例えば、ＧＩＦ、ＴＩＦＦ、ＪＰＥＧ等のフォーマット形式）で記録する（ステップＳ１０４６）。図７２は、取り込んだ画像にメモ情報（テキスト文字）を合成した場合の表示部１０４の表示例を示している。
【０３９０】
なお、上記実施例３では、メモ情報としてソフトウエアキーボードで入力したテキスト文字を画像データの指定位置に合成することとしたが、予め記録部１０８に記憶された定型文等のメモ情報を画像データの指定位置に合成することとにしても良い。
【０３９１】
また、メモ情報として、指定位置を特定するための記号（例えば、丸印、星印、矢印等を、ＢＭＰフォーマットやテキスト文字の形態で）を予め記録部１０８に記憶しておき、取り込んだＷｅｂ情報の所定位置または指定される合成位置に合成することにしても良い。また、撮影した静止画に日付を入れる機能を利用して、ブラウジング画像の取り込み時に指定位置に日付けまたは日時を合成することにしても良い。
【０３９２】
以上説明したように、上記実施例３によれば、ブラウジングしたＷｅｂ情報上の位置を自由に指定し、当該指定された位置にテキスト文字によるメモ情報、もしくは予め記録部１０８に記憶された定型文等のメモ情報をＷｅｂ情報の指定された合成位置に合成することとしたので、必要な情報をＷｅｂ情報に合成することができ、使用者は意図の強調等が容易に実現できる。
【０３９３】
また、メモ情報として、指定位置を特定するための記号（例えば、丸印、星印、矢印等を、ＢＭＰフォーマットやテキスト文字の形態で）を予め記録部１０８に記憶しておき、取り込んだＷｅｂ情報の所定位置または指定される合成位置に合成することとしたので、メモ情報として位置を特定するための記号を合成することが可能となる。
【０３９４】
また、撮影した静止画に日付を入れる機能を利用して、ブラウジング画像の取り込み時に指定位置に取り込んだ日付を合成することとしたので、カメラでの撮影感覚で取り込んだブラウジングしたホームページ等のＷｅｂ情報に、容易に日付データを合成することが可能となる。
【０３９５】
「本実施の形態にかかるパーソナルコンピュータの実施例」
つぎに、パソコンで撮影リストを作成する場合、およびデジタルカメラでパーソナルコンピュータで作成した撮影リストを使用して撮影を行い、この撮影画像をパーソナルコンピュータで利用する場合の（実施例１）〜（実施例１１）を説明する。
【０３９６】
（実施例１）
実施例１を図７３を参照して説明する。図７３は実施例１におけるデジタルカメラ１００側の動作を説明するためのフローチャートを示す。実施例１では、パーソナルコンピュータ２００で、撮影リストフォーマットのＭＯＤＥＬを定義して、装置のモデルを記載した撮影リストをデジタルカメラ１００に転送し、デジタルカメラ１００が、撮影リストの機種と一致する場合に撮影リストに基づいて撮影を行う場合の動作を説明する。
【０３９７】
まず、パーソナルコンピュータ２００では、デジタルカメラの機種コードを含む撮影リストを作成する（具体的な撮影リストの作成方法については、実施例２２〜実施例５参照）。撮影リストには、記録すべき被記録対象のカット名が含まれており、さらに、各カット名に関連づけて撮影指示内容が登録されている。デジタルカメラ１００は、パーソナルコンピュータ２００と接続して撮影リストを読み込み、記録部１０８に格納する。
【０３９８】
そして、図７３において、システム制御部１０１は、記録部１０８から撮影リストを読み出して（ステップＳ２００１）、撮影指示内容を読み込む（ステップＳ２００２）。つづいて、システム制御部１０１は、機種名（モデル名）を撮影リスト内から読み込み（ステップＳ２００３）、自機の機種名と撮影リストの機種名が一致しているか否かを判断する（ステップＳ２００４）。この判断の結果、自機の機種名と撮影リストの機種名が一致していない場合にはリターンする一方、自機の機種名と撮影リストの機種名が一致している場合には、対応する撮影リストを読み込む（ステップＳ２００５）。つづいて、撮影リストに基づいて撮影が行われる（ステップＳ２００６）。
【０３９９】
以上説明したように、実施例１によれば、パーソナルコンピュータ２００では、撮影リストでデジタルカメラの機種名（ＭＯＤＥＬ）を定義して、機種名（ＭＯＤＥＬ）を記載した撮影リストをデジタルカメラ１００に転送する一方、デジタルカメラ１００は、自機の機種が撮影リストの機種と一致する場合に撮影リストに基づいて撮影を行うこととしたので、デジタルカメラでは、撮影リストに基づいて撮影を行って必要なカットの取り忘れ等を防止でき、指示者（撮影リストの作成者）の指示に従った撮影を行うことが可能となる。
【０４００】
なお、デジタルカメラ１００では、撮影リストと撮影リストを使用して記録した記録ファイル（例えば、撮影した画像の画像ファイル）を、パーソナルコンピュータ２００に転送する。これにより、撮影リストを作成したパーソナルコンピュータ２００の使用者は、撮影リストを使用して撮影した画像等を利用（報告書の作成等）することができ、撮影リストの作成者の使い勝手が良くなる。
【０４０１】
（実施例２）
実施例２を図７４を参照して説明する。図７４は実施例２におけるパーソナルコンピュータ２００側の動作を説明するためのフローチャートを示す。実施例２では、パーソナルコンピュータ２００で、デジタルカメラの機種に対応した撮影リストを作成して、デジタルカメラ１００に転送する場合の動作を説明する。
【０４０２】
図７４において、まず、パーソナルコンピュータ２００では、上述のデジタルカメラ用プログラムを起動させ、使用者の入力部２０１の操作で、撮影リストのパラメータとしてデジタルカメラの機種の指定を行う（ステップＳ２０１１）。つづいて、上述の機種テーブルを使用して、指定された機種に対応した撮影リストを作成する（ステップＳ２０１２）。なお、機種が指定された場合に、マクロプログラムを起動して、機種テーブルを使用して、指定された機種に対応する撮影リストを自動的に作成することにしても良い。上述の撮影リストには、記録すべき被記録対象のカット名と、各カット名に対応した撮影指示内容が記載される。
【０４０３】
つづいて、接続されたデジタルカメラ１００の機種名（機種コード）を読み込む（ステップＳ２０１３）。撮影リスト中で指定した機種と接続された機種の機種名が一致するか否かを判断する（ステップＳ２０１４）。
【０４０４】
この判断の結果、撮影リスト中で指定した機種と接続された機種の機種名が一致する場合には、作成した撮影リストをデジタルカメラ１００に転送する（ステップＳ２０１５）一方、撮影リスト中で指定した機種と接続された機種の機種名が一致しない場合には、表示部に撮影リスト転送エラーの表示を行う（ステップＳ２０１６）。
【０４０５】
以上説明したように、実施例２によれば、パーソナルコンピュータ２００で、デジタルカメラの機種に応じた撮影リストを作成して、デジタルカメラに転送することとしたので、接続されるデジタルカメラの機種に応じた撮影リストを作成して転送することができ、撮影リスト作成・転送の作業効率およびデジタルカメラ側の作業効率を向上させることが可能となり、使用者の使い勝手が良くなる。
【０４０６】
なお、ここでは、パーソナルコンピュータ２００は、接続されるデジタルカメラの機種コードを取得し、デジタルカメラの機種毎の使用可能な機能が登録された機種テーブルを使用して、接続されるデジタルカメラの機種に対応した撮影指示リストを作成することとしたが、接続されるデジタルカメラから機種コードおよび使用可能な機能の情報を取得し、接続されるデジタルカメラの機種に対応した撮影リストを作成することにしても良い。
【０４０７】
（実施例３）
実施例３を図７５を参照して説明する。図７５は実施例３におけるパーソナルコンピュータ側の動作を説明するためのフローチャートを示す。実施例３では、パーソナルコンピュータ２００で、デジタルカメラの機種に応じた撮影リストを作成して、デジタルカメラ１００に転送する場合の動作を説明する。
【０４０８】
図７５において、まず、パーソナルコンピュータ２００では、上述のデジタルカメラ用プログラムを起動させ、接続されるデジタルカメラ１００の機種名（機種コード）をデジタルカメラ１００から読み込む（ステップＳ２０２１）。そして、上述の機種テーブルを使用して、読み込んだ機種に対応した撮影リストを作成する（ステップＳ２０２２）。なお、マクロプログラムを起動して、機種テーブルを参照し、読み込んだ機種に対応した撮影リストを自動的に作成することにしても良い。上述の撮影リストには、記録すべき被記録対象のカット名と、各カット名に対応する撮影指示内容が記載される。そして、作成した撮影リストをデジタルカメラ１００に転送する（ステップＳ２０２３）。
【０４０９】
以上説明したように、実施例３によれば、パーソナルコンピュータ２００で、接続したデジタルカメラの機種を読み出し、当該読み出した機種に応じた撮影リストを作成して、デジタルカメラに転送することとしたので、接続されるデジタルカメラの機種に応じた撮影リストを作成して転送することができ、撮影リスト作成・転送の作業効率およびデジタルカメラ側の作業効率を向上させることが可能となり、使用者の使い勝手が良くなる。
【０４１０】
なお、ここでは、パーソナルコンピュータ２００は、接続されるデジタルカメラの機種コードを取得し、デジタルカメラの機種毎の使用可能な機能が登録された機種テーブルを使用して、接続されるデジタルカメラの機種に対応した撮影リストを作成することとしたが、接続されるデジタルカメラから機種コードおよび使用可能な機能の情報を取得し、接続されるデジタルカメラの機種に対応した撮影リストを作成することにしても良い。
【０４１１】
（実施例４）
実施例４を図７６を参照して説明する。図７６は実施例４におけるパーソナルコンピュータ側の動作を説明するためのフローチャートを示す。実施例４では、パーソナルコンピュータ２００で、接続されるデジタルカメラから機種名（モデル）等が記載されたファイルを読み出し、読み出したファイル中の機種名（モデル）に対応した撮影リストを作成して、デジタルカメラ１００に転送する場合の動作を説明する。
【０４１２】
図７６において、まず、パーソナルコンピュータ２００では、上述のデジタルカメラ用プログラムを起動させ、接続されるデジタルカメラ１００から、当該デジタルカメラの機種名（機種コード）が記載されたファイルを読み込む（ステップＳ２０３１）。つづいて、上述の機種テーブルを使用して、読み込んだファイル中の機種に対応した撮影リストを作成する（ステップＳ２０３２）。なお、マクロプログラムを起動して、機種テーブルを参照し、読み込んだ機種に対応した撮影リストを自動的に作成することにしても良い。上述の撮影リストには、記録すべき被記録対象のカット名と、各カット名に対応する撮影指示内容が記載される。そして、作成した撮影リストをデジタルカメラ１００に転送する（ステップＳ２０３３）。
【０４１３】
以上説明したように、実施例４によれば、パーソナルコンピュータ２００で、接続したデジタルカメラから、当該デジタルカメラの機種名が記載されたファイルを読み出し、当該読み出した機種に応じた撮影リストを作成して、デジタルカメラに転送することとしたので、接続されるデジタルカメラの機種に応じた撮影リストを作成して転送することができ、撮影リスト作成・転送の作業効率およびデジタルカメラ側の作業効率を向上させることが可能となり、使用者の使い勝手が良くなる。
【０４１４】
なお、ここでは、パーソナルコンピュータ２００は、接続されるデジタルカメラの機種コードを取得し、デジタルカメラの機種毎の使用可能な機能が登録された機種テーブルを使用して、接続されるデジタルカメラの機種に対応した撮影指示リストを作成することとしたが、接続されるデジタルカメラから機種コードおよび使用可能な機能の情報を取得し、接続されるデジタルカメラの機種に対応した撮影リストを作成することにしても良い。
【０４１５】
（実施例５）
実施例５を図７７を参照して説明する。図７７は実施例５におけるパーソナルコンピュータ側の動作を説明するためのフローチャートを示す。実施例５では、パーソナルコンピュータで、接続されるデジタルカメラの記録ファイルのヘッダーを読み出し、ヘッダーに格納されている機種コード（機種名）に応じた撮影リストを作成して、デジタルカメラに転送する場合の実施例を説明する。
【０４１６】
図７７において、まず、パーソナルコンピュータ２００では、上述のデジタルカメラ用プログラムを起動させ、接続されたデジタルカメラの記録部１０８またはカードスロット部１１０に格納されている記録ファイル（例えば、ＥＸＩＦ形式のファイル）のヘッダーを読み込む（ステップＳ２０４１）。ＥＸＩＦ形式のファイルではヘッダーに機種コード等の情報が格納されている。つづいて、上述の機種テーブルを使用して、読み込んだヘッダー内の機種コード（機種名）に対応した撮影リストを作成する（ステップＳ２０４２）。なお、マクロプログラムを起動して、機種テーブルを参照し、読み込んだ機種コードに対応した撮影リストを自動的に作成することにしても良い。上述の撮影リストには、記録すべき被記録対象のカット名と、各カット名に対応する撮影指示内容が記載される。そして、作成した撮影リストをデジタルカメラ１００に転送する（ステップＳ２０４３）。
【０４１７】
以上説明したように、実施例５によれば、パーソナルコンピュータ２００では、接続したデジタルカメラの記録ファイルのヘッダーを読み出し、当該読み出したヘッダー内の機種コード（機種）に応じた撮影リストを作成して、デジタルカメラに転送することとしたので、接続されるデジタルカメラの機種に応じた撮影リストを作成して転送することができ、撮影リスト作成・転送の作業効率およびデジタルカメラ側の作業効率を向上させることが可能となり、使用者の使い勝手が良くなる。
【０４１８】
なお、ここでは、パーソナルコンピュータ２００は、接続されるデジタルカメラの機種コードを取得し、デジタルカメラの機種毎の使用可能な機能が登録された機種テーブルを使用して、接続されるデジタルカメラの機種に対応した撮影指示リストを作成することとしたが、機種テーブルを使用しないで、接続されるデジタルカメラから機種コードおよび使用可能な機能の情報を取得し、当該使用可能な機能の情報に基づいて接続されるデジタルカメラの機種に対応した撮影リストを作成することにしても良い。
【０４１９】
（実施例６）
実施例６を図７８を参照して説明する。図７８は実施例６におけるパーソナルコンピュータ側の動作を説明するためのフローチャートを示す。実施例６では、パーソナルコンピュータで、予めテンプレートのマクロプログラムにカット名として取り出すセルの位置の情報を埋め込んでおき、マクロプログラムを駆動して、自動的に撮影リストを作成して、デジタルカメラに転送する場合の実施例を説明する。
【０４２０】
図７８において、まず、パーソナルコンピュータ２００では、撮影リスト書き出しマクロがスタートすると、帳票形式の画面を表示し、撮影リスト書き出しボタンが押下されたか否かを判断し（ステップＳ２０５１）、撮影リスト書き出しボタンが押下された場合には、選択されたセル内に記載された項目（カット名）をリストの形式に並べ（ステップＳ２０５２）、撮影リストファイルを作成する（ステップＳ２０５３）。図７９は帳票形式の画面の一例を示している。同図において、マクロプログラムには、カット名を取り出すセルの位置情報として、予めＢ３〜Ｂ７のセルの位置の情報が埋め込まれており、使用者の入力部２０１の操作で、Ｂ３〜Ｂ７のセルにカット名”カット１”、”カット２”、”カット３”、”カット４”、”カット５”が入力される。そして、撮影リスト書き出しボタンが押下されると、Ｂ３〜Ｂ７のセルのカット名”カット１”、”カット２”、”カット３”、”カット４”、”カット５”が読み出されて撮影リストファイルが作成される。
【０４２１】
つづいて、デジタルカメラが接続されているか否かを判断し（ステップＳ２０５４）、デジタルカメラが接続されている場合には、ステップＳ２０５５に移行して、デジタルカメラ１００に撮影リストファイルを転送する。
【０４２２】
以上説明したように、実施例６によれば、パーソナルコンピュータ２００では、予めテンプレートのマクロプログラムにカット名として取り出すセルの位置の情報が埋め込まれており、当該マクロを駆動して、自動的に撮影リストを作成して、デジタルカメラに転送することとしたので、撮影リスト作成・転送の作業効率およびデジタルカメラ側の作業効率を向上させることが可能となり、使用者の使い勝手が良くなる。
【０４２３】
（実施例７）
実施例７を図８０を参照して説明する。図８０は実施例７におけるパーソナルコンピュータ側およびデジタルカメラ側の動作を説明するためのフローチャートを示す。実施例７では、パーソナルコンピュータで、セルの位置を指定し、マクロを駆動して、自動的に撮影リストを作成して、デジタルカメラに転送する場合の実施例を説明する。
【０４２４】
図８０において、まず、パーソナルコンピュータ２００では、撮影リスト書き出しマクロがスタートすると、帳票形式の画面を表示部２０２に表示する。そして、帳票形式の画面で、セルにカット名を入力する。そして、撮影リスト書き出しボタンが押下されたか否かを判断し（ステップＳ２０６１）、撮影リスト書き出しボタンが押下された場合には、セルの位置を指定し、選択されたセル内に記載された項目をリストの形式に並べ（ステップＳ２０６２）、撮影リストファイルを作成する（ステップＳ２０６３）。つづいて、デジタルカメラが接続されているか否かを判断し（ステップＳ２０６４）、デジタルカメラが接続されている場合には、ステップＳ２０６５に移行して、デジタルカメラに撮影リストファイルを転送する。
【０４２５】
上記図７９は帳票形式の画面の一例を示している。同図において、使用者の入力部２０１の操作で、例えば、Ｂ３〜Ｂ７のセルにカット名”カット１”、”カット２”、”カット３”、”カット４”、”カット５”が入力される。そして、使用者の入力部２０１の操作で、Ｂ３〜Ｂ７のセルが選択され、撮影リスト書き出しボタンが押下されると、Ｂ３〜Ｂ７のセルのカット名”カット１”、”カット２”、”カット３”、”カット４”、および”カット５”を読み出して、”カット１”、”カット２”、”カット３”、”カット４”、および”カット５”をリスト形式に並べた撮影リストファイルを作成する。
【０４２６】
他方、デジタルカメラ１００では、パーソナルコンピュータ（ＰＣ）２００と接続されているか否かを判断する（ステップＳ２０７１）。パーソナルコンピュータ２００が接続されている場合には、ステップＳ２０７２に移行し、パーソナルコンピュータ２００から撮影リストが転送されてきたか否かを判断し、パーソナルコンピュータ２００から撮影リストが転送されてきた場合には、自機の機種に応じた撮影リストであるか否かを判断し（ステップＳ２０７３）、自機の機種に応じた撮影リストである場合には、撮影リストを読み込む（ステップＳ２０７４）。つづいて、撮影リスト撮影モードであるか否かを判断し（ステップＳ２０７５）、撮影リスト撮影モードである場合には、撮影リスト内のカット名に応じた撮影を行う（ステップＳ２０７６）。
【０４２７】
以上説明したように、実施例７によれば、パーソナルコンピュータ２００で、予使用者によって、カット名として取り出すセルの位置を指示し、マクロを駆動して、自動的に選択されたセルのカット名を読み出して撮影リストを作成して、デジタルカメラに転送することとしたので、撮影リスト作成・転送の作業効率およびデジタルカメラ側の作業効率を向上させることが可能となり、使用者の使い勝手が良くなる。
【０４２８】
（実施例８）
実施例８を図８１を参照して説明する。図８１は実施例８におけるパーソナルコンピュータ側およびデジタルカメラ側の動作を説明するためのフローチャートを示す。実施例８では、パーソナルコンピュータで、セルの位置を指定し、マクロを駆動して、撮影指示項目も含んだ撮影リストを自動的に作成して、デジタルカメラに転送する場合の実施例を説明する。
【０４２９】
まず、パーソナルコンピュータ２００では、撮影リスト書き出しマクロがスタートすると、帳票形式の画面を表示部２０２に表示し、撮影リスト書き出しボタンが押下されたか否かを判断し（ステップＳ２０８１）、撮影リスト書き出しボタンが押下された場合には、セルの位置を指定し、選択されたセル内に記載されたカット名および当該カット名に対応する撮影指示項目を読み込む（ステップＳ２０８２）。そして、カット名および当該カット名に対応する撮影指示項目を含んだ撮影リストファイルを作成する（ステップＳ２０８３）。
【０４３０】
図８２は帳票形式の画面の一例を示している。同図において、使用者の入力部２０１の操作で、Ｂ３〜Ｂ７のセルにカット名”カット１”、”カット２”、”カット３”、”カット４”、”カット５”が入力され、さらに、Ｃ３〜Ｃ７のセルに、撮影指示項目”Ａさんを撮影”、”Ｂさんを撮影”、”Ｃさんを撮影”、”Ｄさんを撮影”、”Ｅさんを撮影”が入力される。そして、使用者の入力部２０１の操作で、Ｂ３〜Ｂ７のセルが選択され、撮影リスト書き出しボタンが押下されると、Ｂ３〜Ｂ７のセルのカット名”カット１”、”カット２”、”カット３”、”カット４”、”カット５”と、当該カット名”カット１”、”カット２”、”カット３”、”カット４”、”カット５”に各々対応する撮影指示項目”Ａさんを撮影”、”Ｂさんを撮影”、”Ｃさんを撮影”、”Ｄさんを撮影”、”Ｅさんを撮影”が読み出され、これらカット名および撮影指示項目（撮影指示情報）を含む撮影リストファイルが作成される。
【０４３１】
つづいて、デジタルカメラ１００が接続されているか否かを判断し（ステップＳ２０８４）、デジタルカメラ１００が接続されていると判断した場合には、ステップＳ２０８５に移行して、デジタルカメラ１００に撮影リストファイルを転送する。
【０４３２】
他方、デジタルカメラ１００では、パーソナルコンピュータ（ＰＣ）と接続されているか否かを判断し（ステップＳ２０９１）、パーソナルコンピュータが接続されている場合には、ステップＳ２０９２に移行し、パーソナルコンピュータ２００から撮影リストが転送されてきたか否かを判断し、パーソナルコンピュータ２００から撮影リストが転送されてきた場合には、自機の機種に応じた撮影リストであるか否かを判断し（ステップＳ２０９３）、自機の機種に応じた撮影リストである場合には、撮影リスト内に記載された撮影指示項目を読み込む（ステップＳ２０９４）。つづいて、撮影リスト撮影モードであるか否かを判断し（ステップＳ２０９５）、撮影リスト撮影モードである場合には、撮影リスト内のカット名に応じた撮影を行う（ステップＳ２０９６）。
【０４３３】
以上説明したように、実施例８によれば、パーソナルコンピュータ２００で、予使用者によって、カット名として取り出すセルの位置を指示し、マクロを駆動して、自動的に撮影指示項目を含む撮影リストファイルを作成して、デジタルカメラに転送することとしたので、撮影リスト作成・転送の作業効率およびデジタルカメラ側の作業効率を向上させることが可能となり、使用者の使い勝手が良くなる。
【０４３４】
（実施例９）
実施例９を図８３を参照して説明する。図８３は実施例９におけるパーソナルコンピュータ側およびデジタルカメラ側の動作を説明するためのフローチャートを示す。実施例９では、パーソナルコンピュータで、カット名として取り出すセルの位置と、画像を貼り付けるセルの位置を指示し、カット名と画像を貼り付けるセルのサイズを読み出して、自動的に撮影リストを作成して、デジタルカメラに転送する場合の実施例を説明する。
【０４３５】
図８３において、まず、パーソナルコンピュータ２００では、撮影リスト書き出しマクロがスタートすると、帳票形式の画面を表示部２０２に表示し、撮影リスト書き出しボタンが押下されたか否かを判断し（ステップＳ２１０１）、撮影リスト書き出しボタンが押下された場合には、選択されたセルの位置に記載された項目（カット名）をリストの形式に並べる（ステップＳ２１０２）。そして、画像を貼り付けるセルの位置を指定し、指定されたセルのセルサイズを読み込んで、カット名と画像貼り付けサイズを含んだ撮影リストファイルを作成する（ステップＳ２１０３）。
【０４３６】
図８４は帳票形式の画面の一例を示している。同図において、使用者の入力部２０１の操作で、Ｂ４〜Ｂ７のセルにカット名”カット１”、”カット２”、”カット３”、”カット４”が入力される。そして、使用者の入力部２０１の操作で、撮影リスト書き出しボタンが押下され、カット名として取り出すＢ４〜Ｂ７のセルが選択されるとＢ４〜Ｂ７のセルのカット名”カット１”、”カット２”、”カット３”、”カット４”が読み出され、さらに、画像を貼り付けるセルＣ４〜Ｃ７が選択されると、セルＣ４〜Ｃ７のセルサイズを読み出し、カット名”カット１”、”カット２”、”カット３”、”カット４”に、”セルＣ４のセルサイズ”、セルＣ５のセルサイズ”、”セルＣ６のセルサイズ”、”セルＣ７のセルサイズ”を各々対応させた撮影リストファイルが作成される。
【０４３７】
つづいて、デジタルカメラが接続されているか否かを判断し（ステップＳ２１０４）、デジタルカメラが接続されていると判断した場合には、ステップＳ２１０５に移行して、デジタルカメラ１００にカット名および貼り付けサイズを含んだ撮影リストファイルを転送する。
【０４３８】
他方、デジタルカメラ１００では、パーソナルコンピュータ（ＰＣ）と接続されているか否かを判断し（ステップＳ２１１１）、パーソナルコンピュータが接続されている場合には、ステップＳ２１１２に移行し、パーソナルコンピュータ２００から撮影リストが転送されてきたか否かを判断し、パーソナルコンピュータ２００から撮影リストが転送されてきた場合には、自機の機種に応じた撮影リストであるか否かを判断し（ステップＳ２１１３）、自機の機種に応じた撮影リストである場合には、撮影リスト内に記載された撮影項目を読み込む（ステップＳ２１１４）。
【０４３９】
つづいて、撮影リスト撮影モードであるか否かを判断し（ステップＳ２１１５）、撮影リスト撮影モードである場合には、撮影リスト内の貼り付けサイズを読み込む（ステップＳ２１１６）。そして、貼り付けサイズに応じた画像の撮影を行う（ステップＳ２１１７）。具体的には、撮影した画像データを貼り付けサイズに応じた大きさに変倍する。撮影後、撮影が全て終了したか否かを判断し、撮影が全て終了していない場合にはステップＳ２１１６に移行して、撮影が全て終了するまで同じ処理を繰り返す（ステップＳ２１１８）。
【０４４０】
以上説明したように、実施例９によれば、パーソナルコンピュータ２００で、カット名として取り出すセルの位置と、画像を貼り付けるセルの位置を指定し、カット名と画像を貼り付けるセルのサイズを読み出して、自動的に撮影リストを作成して、デジタルカメラに転送することとしたので、撮影リスト作成・転送の作業効率およびデジタルカメラ側の作業効率を向上させることが可能となり、使用者の使い勝手が良くなる。
【０４４１】
（実施例１０）
実施例１０を図８５を参照して説明する。図８５は実施例１０におけるパーソナルコンピュータ側およびデジタルカメラ側の動作を説明するためのフローチャートを示す。実施例１０では、パーソナルコンピュータで、文書に予めダミーの画像を貼り付けておいて、その画像のサイズを読み出して、自動的に画像サイズを含んだ撮影リストを作成し、デジタルカメラに転送する場合の実施例を説明する。
【０４４２】
図８５において、まず、パーソナルコンピュータ２００では、撮影リスト書き出しマクロがスタートすると、帳票形式の画面を表示部２０２に表示し、画像を貼り付けたい位置にダミー画像を貼り付ける（ステップＳ２１２１）。つづいて、撮影リスト書き出しボタンが押下されたか否かを判断し（ステップＳ２１２２）、撮影リスト書き出しボタンが押下された場合には、選択されたセルの位置に記載されたカット名をリストの形式に並べる（ステップＳ２１２３）。そして、貼り付ける位置に入っているダミーの画像を読み込み、ダミー画像のサイズ（貼り付けサイズ）を計算し、カット名と当該カット名に対応するダミー画像のサイズ（貼り付けサイズ）を含んだ撮影リストファイルを作成する（ステップＳ２１２４）。
【０４４３】
図８６は帳票形式の画面の一例を示している。同図において、使用者の入力部２０１の操作で、例えば、Ｂ４〜Ｂ７のセルにカット名”カット１”、”カット２”、”カット３”、”カット４”が入力され、さらに、Ｃ４〜Ｃ７のセルに”ダミー画像１”、”ダミー画像２”、”ダミー画像３”、”ダミー画像４”を貼り付ける。そして、使用者の入力部２０１の操作で、撮影リスト書き出しボタンが押下され、カット名として取り出すＢ４〜Ｂ７のセルが選択されるとＢ４〜Ｂ７のセルのカット名”カット１”、”カット２”、”カット３”、”カット４”が読み出され、さらに、ダミー画像が貼り付けられたセルＣ４〜Ｃ７が選択されると、セルＣ４〜Ｃ７のセルに貼り付けられたダミー画像のサイズを各々計算し、カット名”カット１”、”カット２”、”カット３”、”カット４”に、”ダミー画像１のサイズ”、ダミー画像２のサイズ”、”ダミー画像３のサイズ”、”ダミー画像４のサイズ”を各々対応させた撮影リストファイルが作成される。
【０４４４】
つづいて、デジタルカメラが接続されているか否かを判断し（ステップＳ２１２５）、デジタルカメラが接続されていると判断した場合には、ステップＳ２１２６に移行して、カット名および貼り付けサイズを含んだ撮影リストファイルを転送する。
【０４４５】
他方、デジタルカメラ１００では、パーソナルコンピュータ（ＰＣ）と接続されているか否かを判断し（ステップＳ２１３１）、パーソナルコンピュータが接続されている場合には、ステップＳ２１３２に移行し、パーソナルコンピュータ２００から撮影リストが転送されてきたか否かを判断し、パーソナルコンピュータ２００から撮影リストが転送されてきた場合には、自機の機種に応じた撮影リストであるか否かを判断し（ステップＳ２１３３）、自機の機種に応じた撮影リストである場合には、撮影リスト内に記載された撮影項目を読み込む（ステップＳ２１３４）。
【０４４６】
つづいて、撮影リスト撮影モードであるか否かを判断し（ステップＳ２１３５）、撮影リスト撮影モードである場合には、撮影リスト内の貼り付けサイズを読み込む（ステップＳ２１３６）。そして、貼り付けサイズに応じた画像の撮影を行う（ステップＳ２１３７）。撮影後、撮影が全て終了したか否かを判断し（ステップＳ２１３８）、撮影が全て終了していない場合にはステップＳ２１３６に移行して、撮影が全て終了するまで同じ処理を繰り返す（ステップＳ２１３６〜Ｓ２１３８）。
【０４４７】
以上説明したように、実施例１０によれば、パーソナルコンピュータ２００では、画面内に予めダミーの画像を貼り付けておいて、そのダミー画像のサイズを読み出し、画像サイズを含んだ撮影リストファイルを作成して、デジタルカメラに転送することとしたので、撮影リスト作成・転送の作業効率およびデジタルカメラ側の作業効率を向上させることが可能となり、使用者の使い勝手が良くなる。
【０４４８】
（実施例１１）
実施例１１を図８７を参照して説明する。図８７は実施例１１におけるパーソナルコンピュータ２００側の動作を説明するためのフローチャートを示す。実施例１１では、パーソナルコンピュータで、デジタルカメラによって撮影リストに従って撮影した画像ファイルを取り込んで、撮影リストに撮影画像を貼り付ける動作を説明する。
【０４４９】
図８７において、まず、パーソナルコンピュータ２００では、撮影リスト読み込みモードが否かを判断し（ステップＳ２１４１）、撮影リスト読み込みモードである場合には、デジタルカメラと接続されているか否かを判断する（ステップＳ２１４２）。デジタルカメラと接続されていると判断した場合には、接続されるデジタルカメラ内の撮影済みの撮影リストを画像ファイルとともに読み込む（ステップＳ２１４３）。
【０４５０】
そして、読み込みが終了したか否かを判断し（ステップＳ２１４４）、読み込みが終了した場合には、セルの貼り付け位置に応じたサイズを読み込む（ステップＳ２１４５）。読み込んだ画像をセルのサイズに併せて画像サイズを変換する（ステップＳ２１４６）。そして、画像サイズの変換が終了したか否かを判断して（ステップＳ２１４７）、画像サイズの変換が終了した場合には、セルの指定位置に変換された画像を貼り付ける（ステップＳ２１４８）。
【０４５１】
上記図８４は帳票形式の画面を示しており、図８４において、画像を貼り付けるセルＣ４〜Ｃ７を選択し、当該セルＣ４〜Ｃ７のセルサイズを読み込み、デジタルカメラの撮影済み画像１〜４を当該セルサイズに変換し、図８８に示すように、セルＣ４〜Ｃ７に貼り付ける。
【０４５２】
以上説明したように、実施例１１によれば、パーソナルコンピュータ２００では、デジタルカメラによって撮影リストに従って撮影した画像ファイルを取り込んで、撮影リストに撮影画像を貼り付けることとしたので、撮影リストに従って撮影した画像の編集が容易となり、使用者の使い勝手が良くなる。
【０４５３】
本発明は上記した実施の形態に限定されるものではなく、発明の要旨を変更しない範囲で適宜変形して実行可能である。例えば、本実施の形態においては、本発明にかかる画像入力装置をデジタルカメラに適用した例を説明したが、本発明はこれに限られるものではなく、ＰＤＡ等の情報携帯入力装置等にも適用可能である。
【０４５４】
【発明の効果】
以上説明したように、請求項１にかかる発明によれば、撮影リスト入力手段は、少なくとも、記録すべき１または複数の被記録対象のタイトルを各々示すカット名を含む撮影リストの入力を受け付け、記憶手段は撮影リスト入力手段で入力された１または複数の撮影リストを記憶し、撮影リスト表示手段は、前記記憶手段に記憶されている１または複数の撮影リストの一覧を表示デバイスの表示画面に表示し、撮影リスト選択手段は、前記表示画面に表示された撮影リストの一覧の中から１の撮影リストの選択を受け付け、カット名表示手段は、記憶手段に記憶された１または複数の撮影リストのうち、前記撮影リスト選択手段で選択された撮影リストに含まれるカット名を表示デバイスの表示画面に表示させることとしたので、撮影リストのカット名を確認しながら撮影を行うことができ、必要なカットの取り忘れを防止することが可能となり、さらに複数の撮影リストの中から所望の撮影リストを選択することが可能となり、使用者の使い勝手が良くなる。
【０４５６】
また、請求項２にかかる発明によれば、請求項１にかかる発明において、撮影リストを情報処理装置から入力することとしたので、請求項１にかかる発明の効果に加えて、情報処理装置から撮影リストを入力することが可能となる。
【０４５７】
また、請求項３にかかる発明によれば、請求項１にかかる発明において、Ｗｅｂサーバーのホームページから撮影リストを入力することとしたので、請求項１にかかる発明の効果に加えて、Ｗｅｂサーバーのホームページから撮影リストを入力することが可能となる。
【０４５８】
また、請求項４にかかる発明によれば、請求項１にかかる発明において、カット名選択手段は表示画面に表示されたカット名の中から１のカット名を選択し、カット名選択手段により１のカット名が選択された場合に、記録モードに移行することとしたので、請求項１にかかる発明の効果に加えて、カット名を選択した後に撮影可能状態とすることができ、カット名と対応させた撮影が容易となる。
【０４５９】
また、請求項５にかかる発明によれば、請求項４にかかる発明において、被記録対象の静止画像、二値画像、および動画像、ならびに音声が記録可能であることとしたので、請求項１にかかる発明の効果に加えて、被写体の静止画像、二値画像、および動画像、ならびに音声等を記録することが可能となる。
【０４６０】
また、請求項６にかかる発明によれば、請求項５にかかる発明において、ＨＴＭＬファイル変換手段は、記録モードで記録した記録データをＨＴＭＬファイルに変換することとしたので、請求項５にかかる発明の効果に加えて、記録した記録データのＨＴＭＬファイルを作成することが可能となる。
【０４６１】
また、請求項７にかかる発明によれば、請求項６にかかる発明において、アップロード手段は、ＨＴＭＬファイル変換手段で変換されたＨＴＭＬファイルをＷｅｂサーバーのホームページにアップロードすることとしたので、請求項５にかかる発明の効果に加えて、記録データのＨＴＭＬファイルをＷｅｂサーバーにアップロードすることが可能となる。
【０４６２】
また、請求項８にかかる発明によれば、請求項５にかかる発明において、記録モードで記録した記録データの記録ファイルのパラメータ内にカット名選択手段で選択されたカット名を付加することとしたので、請求項５にかかる発明の効果に加えて、撮影した画像等とカット名とを対応させることができ、どの画像等がどのカット名に対応するかを間違えることを防止することが可能となる。
【０４６３】
また、請求項９にかかる発明によれば、請求項５にかかる発明において、記録モードで記録した記録データの記録ファイルを、カット名選択手段で選択されたカット名に関連づけて記憶することとしたので、請求項５にかかる発明の効果に加えて、撮影した画像等とカット名とを対応させることができ、どの画像等がどのカット名に対応するかを間違えることを防止することが可能となる。
【０４６４】
また、請求項１０にかかる発明によれば、請求項５にかかる発明において、記録ファイルのファイル名にカット名選択手段で選択されたカット名を含むようにしたので、請求項６にかかる発明において、撮影した画像等とカット名とを対応させることができ、どの画像等がどのカット名に対応するかを間違えることを防止することが可能となる。
【０４６５】
また、請求項１１にかかる発明によれば、請求項５にかかる発明において、記録モードで記録した画像データにカット名選択手段で選択されたカット名を合成することとしたので、請求項６にかかる発明において、撮影した画像等とカット名とを対応させることができ、どの画像等がどのカット名に対応するかを間違えることを防止することが可能となる。
【０４６６】
また、請求項１２にかかる発明によれば、請求項５にかかる発明において、カット名表示手段は、カット名選択手段で撮影リストのカット名が選択された後に、記録データの記録が行われた場合には、当該カット名に対応した記録が行われた旨を表示することとしたので、請求項１にかかる発明の効果に加えて、記録したカット名を使用者が視認することが可能となる。
【０４６７】
また、請求項１３にかかる発明によれば、請求項５にかかる発明において、カット名表示手段は、カット名毎に撮影済み枚数を表示デバイスの表示画面に表示することとしたので、カット名毎の撮影済み枚数を確認することが可能となる。
【０４６８】
また、請求項１４にかかる発明によれば、請求項１にかかる発明において、撮影リスト内のカット名の全ての撮影が終了した場合に、撮影リストの撮影が終了した旨を、指定される送信先に送信することとしたので、請求項１にかかる発明の効果に加えて、撮影リストの作業を終了したか否かを送信先（指示者）で把握することが可能となる。
【０４６９】
また、請求項１５にかかる発明によれば、請求項１にかかる発明において、カット名選択手段により１のカット名が選択された場合に、記録モードに移行し、被写体のモニタリング画像と共にカット名選択手段で選択されたカット名を表示デバイスの表示画面に表示することとしたので、請求項１にかかる発明の効果に加えて、被写体のモニタリング画像とカット名を見ながら撮影を行うことが可能となる。
【０４７０】
また、請求項１６にかかる発明によれば、請求項１にかかる発明において、記憶制御手段は、カット名選択手段によりカット名が選択された場合に、記録モードに移行して、所定キーの操作に応じて、被写体の静止画像、二値画像、および動画像、ならびに音声のうちのいずれかの記録データの記録を行い、記録ファイルとして憶手段に記録し、グループ化手段は、撮影リスト毎に記録ファイルをグループ化することとしたので、請求項１にかかる発明の効果に加えて、撮影リスト毎に、撮影した記録ファイルをグループ化することができ、撮影リスト毎のファイル管理が容易となる。
【０４７１】
また、請求項１７にかかる発明によれば、請求項１６にかかる発明において、グループ化手段は、撮影リスト毎に前記記録ファイルをフォルダに登録してグループ化することとしたので、請求項１６にかかる発明の効果に加えて、フォルダでファイル管理することが可能となる。
【０４７２】
また、請求項１８にかかる発明によれば、請求項１にかかる発明において、撮影リストは、さらに、各カット名に各々対応し、かつ使用者に指示を与えるための撮影指示情報を含み、カット名選択手段により１のカット名が選択された場合に、選択された撮影リストの対応する撮影指示情報の内容を報知することとしたので、請求項１にかかる発明の効果に加えて、撮影リストの作成者（指示者）の指示に従った撮影や撮影後の処理を行うことが可能となる。
【０４７３】
また、請求項１９にかかる発明によれば、請求項１８にかかる発明において、撮影指示情報の内容は、撮影の手順または撮影後の作業の指示とすることとしたので、請求項１８にかかる発明の効果に加えて、カット名に対応する撮影の手順等で撮影を行うことが可能となる。
【０４７４】
また、請求項２０にかかる発明によれば、請求項１８にかかる発明において、撮影指示情報の属性は、テキスト文書、図面、音声、および動画のいずれかとすることとしたので、請求項１８にかかる発明の効果に加えて、テキスト文書、図面、音声、および動画で撮影の指示等を受けることが可能となる。
【０４７５】
また、請求項２１にかかる発明によれば、請求項１にかかる発明において、撮影リストは、さらに、各カット名に各々対応し、かつ被記録対象を記録する際の設定条件の自動設定および／または記録後に実行すべき自動処理の指示を与えるための自動処理指示情報を含み、カット名選択手段によりカット名が選択された場合に、記録モードに移行して、カット名選択手段で選択されたカット名に対応する自動処理指示情報の内容に従って、被記録対象を記録する際の設定条件の自動設定および／または記録データの記録後に実行すべき自動処理を実行することとしたので、請求項１にかかる発明の効果に加えて、撮影リストの作成者の意図に従った、被記録対象を記録する際の設定条件の自動設定および／または記録後に実行すべき自動処理を行うことが可能となる。
【０４７６】
また、請求項２２にかかる発明によれば、請求項２１にかかる発明において、カット名選択手段で選択されたカット名に対応する自動処理指示情報の内容が、データ記録後のメール添付送信の指示である場合には、記録モードで記録した記録データをメールに添付して、通信手段を介して指定される送信先に送信することとしたので、請求項２１にかかる発明の効果に加えて、記録した記録データを自動的にメール添付送信することが可能となる。
【０４７７】
また、請求項２３にかかる発明によれば、請求項２１にかかる発明において、カット名選択手段で選択されたカット名に対応する自動処理指示情報の内容が、データ記録後のサムネール添付送信の指示である場合には、記録モードで記録した画像データに対応するサムネール画像をメールに添付して、通信手段を介して指定される送信先に送信することとしたので、請求項２１にかかる発明の効果に加えて、撮影した画像データのサムネール画像を自動的にメール添付転送することが可能となる。
【０４７８】
また、請求項２４にかかる発明によれば、請求項２１にかかる発明において、カット名選択手段で選択されたカット名に対応する自動処理指示情報の内容がデータ記録後の画像データの変倍メール添付送信の指示である場合には、記録モードで記録した画像データを指定される大きさに変倍してメールに添付して、通信手段を介して指定される送信先に送信することとしたので、請求項２１にかかる発明の効果に加えて、撮影した画像データを所望の大きさに変倍してメール添付送信することが可能となる。
【０４７９】
また、請求項２５にかかる発明によれば、請求項２１にかかる発明において、カット名選択手段で選択されたカット名に対応する自動処理指示情報の内容が、データ記録後のホームページへのアップロードの指示である場合には、記録モードで記録した画像データをＨＴＭＬファイルに変換して、通信手段を介して指定されるホームページにアップロードすることとしたので、請求項２１にかかる発明の効果に加えて、撮影した画像データを自動的にホームページにアップロードすることとが可能となる。
【０４８０】
また、請求項２６にかかる発明によれば、請求項２１にかかる発明において、カット名選択手段で選択されたカット名に対応する自動処理指示情報の内容が、データ記録後のホームページへのアップロードおよび当該ホームページのＵＲＬアドレスの通知の指示である場合には、記録モードで記録した画像データをＨＴＭＬファイルに変換し、通信手段を介して指定されるホームページにアップロードするとともに、アップロード先のホームページのＵＲＬアドレスを通信手段を介して指定される送信先に送信することとしたので、請求項２１にかかる発明の効果に加えて、撮影した画像データを自動的にホームページにアップロードできるとともに、アップロード先のホームページのＵＲＬアドレスを指定される送信先に自動的に送信することが可能となる。
【０４８１】
また、請求項２７にかかる発明によれば、請求項２１にかかる発明において、カット名選択手段で選択されたカット名に対応する自動処理指示情報の内容が、データ記録後のメモ情報の入力指示である場合には、記録モードでの記録後に、メモ入力モードに移行し、前記メモ入力手段から入力されるメモ情報のファイルを記録モードで記録した記録データの記録ファイルと関連づけて格納することとしたので、請求項２１にかかる発明の効果に加えて、撮影に関係するメモを関連ファイルとして保存することができ、使用者の作業をスムーズに進行させることが可能となる。
【０４８２】
また、請求項２８にかかる発明によれば、請求項２１にかかる発明において、カット名選択手段で選択されたカット名に対応する自動処理指示情報の内容が、記録後のメモ情報の入力指示である場合には、記録モードでの記録後に、メモ入力モードに移行し、前記メモ入力手段から入力されるメモ情報を、記録モードで記録した画像データと合成することとしたので、請求項２１にかかる発明の効果に加えて、撮影に関係するメモを撮影画像に合成することができ、使用者の作業をスムーズに進行させることが可能となる。
【０４８３】
また、請求項２９にかかる発明によれば、請求項２８にかかる発明において、メモ情報をテキスト文字または手書き文字とすることとしたので、請求項２８にかかる発明の効果に加えて、メモ情報をテキスト文字または手書き文字を入力することが可能となる。
【０４８４】
また、請求項３０にかかる発明によれば、請求項２８にかかる発明において、メモ情報の前記撮影された画像に対する合成位置を任意に設定可能とする。
【０４８５】
また、請求項３１にかかる発明によれば、請求項２１にかかる発明において、カット名選択手段で選択されたカット名に対応する自動処理指示情報の内容が、記録後の音声入力の指示である場合には、記録モードでの記録後に、音声入力モードに移行し、前記音声入力手段から入力される音声のファイルを記録モードで記録した画像データの記録ファイルと関連づけて格納することとしたので、請求項２１にかかる発明の効果に加えて、音声ファイルを画像ファイルと関連づけて格納することが可能となる。
【０４８６】
また、請求項３２にかかる発明によれば、請求項２１にかかる発明において、カット名選択手段で選択されたカット名に対応する自動処理指示情報の内容が、撮影画像に対する日付の合成の指示である場合には、記録モードで画像データを記録した後、当該画像データに日付を合成することとしたので、請求項２１にかかる発明の効果に加えて、画像データに日付を合成することが可能となる。
【０４８７】
また、請求項３３にかかる発明によれば、請求項２１にかかる発明において、カット名選択手段で選択されたカット名に対応する自動処理指示情報の内容が、撮影画像の解像度の設定指示である場合には、撮影する際の解像度を設定指示に応じて設定することとしたので、請求項２１にかかる発明の効果に加えて、解像度を自動設定することが可能となる。
【０４８８】
また、請求項３４にかかる発明によれば、請求項２１にかかる発明において、撮影リストは、記録すべき被記録対象の１または複数のカット名と、当該カット名に対応する被合成情報とを含み、選択手段により１のカット名が選択された場合に、記録モードに移行し、当該記録モードで撮影した画像に、撮影リストのカット名選択手段で選択されたカット名に対応する被合成情報を合成することとしたので、請求項２１にかかる発明の効果に加えて、撮影画像に関係する被合成情報を撮影した画像に合成して保存することが可能となる。
【０４８９】
また、請求項３５にかかる発明によれば、請求項３４にかかる発明において、被合成情報の撮影した画像に対する合成位置を任意に設定可能としたので、請求項３４にかかる発明の効果に加えて、撮影した画像に対して所望の位置に被合成情報を合成することが可能となる。
【０４９０】
また、請求項３６にかかる発明によれば、請求項１にかかる発明において、撮影リストは、記録後に実行すべき自動処理の指示を与えるための自動処理指示情報を含み、カット名選択手段によりカット名が選択された場合に、記録モードに移行して、所定キーの操作に応じて、カット名毎に撮影を行い、撮影した画像データを撮影リストの自動処理指示情報に従って処理することとしたので、請求項１にかかる発明の効果に加えて、カット名毎に撮影を行い、撮影した画像データを自動的に処理することが可能となる。
【０４９１】
また、請求項３７にかかる発明によれば、請求項３６にかかる発明において、自動処理指示情報が、複数画像の合成の指示である場合には、カット名毎に撮影した複数の画像を合成することとしたので、請求項３６にかかる発明の効果に加えて、カット名毎に撮影した複数の画像を合成することが可能となる。
【０４９２】
また、請求項３８にかかる発明によれば、請求項３６にかかる発明において、前記自動処理指示情報が、複数画像の補正指示である場合には、前記カット名毎に撮影した複数の画像を補正することとしたので、請求項３６にかかる発明の効果に加えて、カット名毎に撮影した複数の画像を補正することが可能となる。
【０４９３】
また、請求項３９にかかる発明によれば、請求項２１にかかる発明において、撮影リストは、さらに、機種名情報を含み、前記自動処理指示情報は前記機種に応じた内容であり、判断手段は、撮影リ入力手段により入力される前記撮影リストの機種名情報を読み出して、自機の機種名と前記撮影リストの機種名とが一致するか否かを判断し、判断手段により自機の機種名と前記撮影リストの機種名とが一致すると判断された場合に、撮影リストに基づいて撮影を行うこととしたので、請求項２１にかかる発明の効果に加えて、自機の機種に対応した撮影リストを使用して撮影することが可能となる。
【図面の簡単な説明】
【図１】本実施の形態にかかるデジタルカメラシステムの概略構成例を示す図である。
【図２】図１のデジタルカメラシステムの基本動作の概略を説明するためのフローチャートである。
【図３】項目リストの一例を示す図である。
【図４】項目リストの一例を示す図である。
【図５】図１のデジタルカメラの外観構成を示す図である。
【図６】図１のデジタルカメラの構成を示すブロック図である。
【図７】撮影リストモードの画面の表示例を示す図である。
【図８】通信モードの画面の表示例を示す図である。
【図９】通信モードの画面の表示例を示す図である。
【図１０】メモ入力モードの画面の表示例を示す図である。
【図１１】メモ入力モードの画面の表示例を示す図である。
【図１２】メモ入力モードの画面の表示例を示す図である。
【図１３】メモ入力モードの画面の表示例を示す図である。
【図１４】メモ入力モードの画面の表示例を示す図である。
【図１５】メモ入力モードの画面の表示例を示す図である。
【図１６】メモ入力モードの画面の表示例を示す図である。
【図１７】メモ入力モードの画面の表示例を示す図である。
【図１８】メモ入力モードの画面の表示例を示す図である。
【図１９】図１のパーソナルコンピュータの構成を示すブロック図である。
【図２０】デジタルカメラの記録動作の実施例１を説明するためのフローチャートである。
【図２１】撮影リストの一例を示す図である。
【図２２】画像ファイルのフォーマットの一例を示す図である。
【図２３】デジタルカメラの記録動作の実施例２を説明するためのフローチャートである。
【図２４】図２１の撮影リスト（未撮影）の撮影後の撮影リストのフォーマットの一例を示す図である。
【図２５】デジタルカメラの記録動作の実施例３を説明するためのフローチャートである。
【図２６】デジタルカメラの記録動作の実施例４を説明するためのフローチャートである。
【図２７】画像データに選択されたカット名を合成する場合を説明するための説明図である。
【図２８】デジタルカメラの記録動作の実施例５を説明するためのフローチャートである。
【図２９】デジタルカメラの表示部の表示例を示す図である。
【図３０】デジタルカメラの記録動作の実施例６を説明するためのフローチャートである。
【図３１】デジタルカメラの表示部の表示例を示す図である。
【図３２】デジタルカメラの記録動作の実施例７を説明するためのフローチャートである。
【図３３】デジタルカメラの記録動作の実施例８を説明するためのフローチャートである。
【図３４】デジタルカメラの記録動作の実施例９を説明するためのフローチャートである。
【図３５】デジタルカメラの撮影リストの実施例１を説明するためのフローチャートである。
【図３６】撮影指示情報を説明するための図である。
【図３７】撮影指示情報を説明するための図である。
【図３８】デジタルカメラの撮影リストの実施例２を説明するためのフローチャートである。
【図３９】デジタルカメラの撮影リストの実施例３を説明するためのフローチャートである。
【図４０】デジタルカメラの撮影リストの実施例４を説明するためのフローチャートである。
【図４１】操作指示コマンドの一例を示す図である。
【図４２】デジタルカメラの撮影リストの実施例５を説明するためのフローチャートである。
【図４３】撮影の後処理として画像をメールで送るコマンドの例を示す図である。
【図４４】デジタルカメラの撮影リストの実施例６を説明するためのフローチャートである。
【図４５】デジタルカメラの撮影リストの実施例７を説明するためのフローチャートである。
【図４６】デジタルカメラの撮影リストの実施例８を説明するためのフローチャートである。
【図４７】記録後の指示として、画像をＷｅｂサーバーにアップロードするコマンドの一例を示す図である。
【図４８】デジタルカメラの撮影リストの実施例９を説明するためのフローチャートである。
【図４９】デジタルカメラの撮影リストの実施例１０を説明するためのフローチャートである。
【図５０】デジタルカメラの撮影リストの実施例１１を説明するためのフローチャートである。
【図５１】デジタルカメラの撮影リストの実施例１２を説明するためのフローチャートである。
【図５２】デジタルカメラの撮影リストの実施例１３を説明するためのフローチャートである。
【図５３】デジタルカメラの撮影リストの実施例１４を説明するためのフローチャートである。
【図５４】デジタルカメラの撮影リストの実施例１５を説明するためのフローチャートである。
【図５５】撮影済み撮影画像のフォルダ構成の一例を示す図である。
【図５６】デジタルカメラの撮影リストの実施例１６を説明するためのフローチャートである。
【図５７】デジタルカメラの撮影リストの実施例１７を説明するためのフローチャートである。
【図５８】合成画像の一例を示す図である。
【図５９】撮影リストの記述例を示す図である。
【図６０】デジタルカメラの撮影リストの実施例１８を説明するためのフローチャートである。
【図６１】デジタルカメラの撮影リストの実施例１９を説明するためのフローチャートである。
【図６２】デジタルカメラの撮影リストの実施例２０を説明するためのフローチャートである。
【図６３】デジタルカメラのブラウザ機能の実施例１を説明するためのフローチャートである。
【図６４】ブラウザ画面の一例を示す図である。
【図６５】ブラウザ画面の一例を示す図である。
【図６６】ブラウジング画像の取り込み範囲を拡大または縮小する場合を説明するための図である。
【図６７】ブラウジング画像の取り込み範囲を拡大または縮小する場合を説明するための図である。
【図６８】ブラウジング画像の取り込み範囲を拡大または縮小する場合を説明するための図である。
【図６９】Ｗｅｂキャプチャー条件設定画面の一例を示す図である。
【図７０】デジタルカメラのブラウザ機能の実施例２を説明するためのフローチャートである。
【図７１】デジタルカメラのブラウザ機能の実施例３を説明するためのフローチャートである。
【図７２】ブラウザ画面の一例を示す図である。
【図７３】パーソナルコンピュータの実施例１を説明するためのフローチャートである。
【図７４】パーソナルコンピュータの実施例２を説明するためのフローチャートである。
【図７５】パーソナルコンピュータの実施例３を説明するためのフローチャートである。
【図７６】パーソナルコンピュータの実施例４を説明するためのフローチャートである。
【図７７】パーソナルコンピュータの実施例５を説明するためのフローチャートである。
【図７８】パーソナルコンピュータの実施例６を説明するためのフローチャートである。
【図７９】帳票形式の画面の一例を示す図である。
【図８０】パーソナルコンピュータの実施例７を説明するためのフローチャートである。
【図８１】パーソナルコンピュータの実施例８を説明するためのフローチャートである。
【図８２】帳票形式の画面の一例を示す図である。
【図８３】パーソナルコンピュータの実施例９を説明するためのフローチャートである。
【図８４】帳票形式の画面の一例を示す図である。
【図８５】パーソナルコンピュータの実施例１０を説明するためのフローチャートである。
【図８６】帳票形式の画面の一例を示す図である。
【図８７】パーソナルコンピュータの実施例１１を説明するためのフローチャートである。
【図８８】帳票形式の画面の一例を示す図である。
【図８９】項目リストの一例を示す図である。
【図９０】機種テーブルの一例を示す図である。
【符号の説明】
１００  デジタルカメラ
１０１  システム制御部
１０２  カメラ部
１０３  画像データ記録・再生部
１０４  表示部
１０５  音声データ記録・再生部
１０６  操作部
１０７  タッチパネル操作部
１０８  記録部
１０９  ＰＣ／ＩＦ部
１１０  カードスロット部
１１１  電源部
１１２  ＣＰＵ
１１３  ＦＬＡＳＨ＿ＲＯＭ
１１４  ＳＤ−ＲＡＭ
１１５  ＩＰＰ
１１６  フレームメモリ
２００  パーソナルコンピュータ
２０１  入力部
２０２  表示部
２０３  ＣＰＵ
２０４  データ通信部
２０５  記録媒体ドライブ装置
２０６  記録媒体
２０７  ＲＡＭ
３００  Ｗｅｂサーバー
４００  ネットワーク
【図１】
0004124402.tif 000002
【図２】
0004124402.tif 000003
【図３】
0004124402.tif 000004
【図４】
0004124402.tif 000005
【図５】
0004124402.tif 000006
【図６】
0004124402.tif 000007
【図７】
0004124402.tif 000008
【図８】
0004124402.tif 000009
【図９】
0004124402.tif 000010
【図１０】
0004124402.tif 000011
【図１１】
0004124402.tif 000012
【図１２】
0004124402.tif 000013
【図１３】
0004124402.tif 000014
【図１４】
0004124402.tif 000015
【図１５】
0004124402.tif 000016
【図１６】
0004124402.tif 000017
【図１７】
0004124402.tif 000018
【図１８】
0004124402.tif 000019
【図１９】
0004124402.tif 000020
【図２０】
0004124402.tif 000021
【図２１】
0004124402.tif 000022
【図２２】
0004124402.tif 000023
【図２３】
0004124402.tif 000024
【図２４】
0004124402.tif 000025
【図２５】
0004124402.tif 000026
【図２６】
0004124402.tif 000027
【図２７】
0004124402.tif 000028
【図２８】
0004124402.tif 000029
【図２９】
0004124402.tif 000030
【図３０】
0004124402.tif 000031
【図３１】
0004124402.tif 000032
【図３２】
0004124402.tif 000033
【図３３】
0004124402.tif 000034
【図３４】
0004124402.tif 000035
【図３５】
0004124402.tif 000036
【図３６】
0004124402.tif 000037
【図３７】
0004124402.tif 000038
【図３８】
0004124402.tif 000039
【図３９】
0004124402.tif 000040
【図４０】
0004124402.tif 000041
【図４１】
0004124402.tif 000042
【図４２】
0004124402.tif 000043
【図４３】
0004124402.tif 000044
【図４４】
0004124402.tif 000045
【図４５】
0004124402.tif 000046
【図４６】
0004124402.tif 000047
【図４７】
0004124402.tif 000048
【図４８】
0004124402.tif 000049
【図４９】
0004124402.tif 000050
【図５０】
0004124402.tif 000051
【図５１】
0004124402.tif 000052
【図５２】
0004124402.tif 000053
【図５３】
0004124402.tif 000054
【図５４】
0004124402.tif 000055
【図５５】
0004124402.tif 000056
【図５６】
0004124402.tif 000057
【図５７】
0004124402.tif 000058
【図５８】
0004124402.tif 000059
【図５９】
0004124402.tif 000060
【図６０】
0004124402.tif 000061
【図６１】
0004124402.tif 000062
【図６２】
0004124402.tif 000063
【図６３】
0004124402.tif 000064
【図６４】
0004124402.tif 000065
【図６５】
0004124402.tif 000066
【図６６】
0004124402.tif 000067
【図６７】
0004124402.tif 000068
【図６８】
0004124402.tif 000069
【図６９】
0004124402.tif 000070
【図７０】
0004124402.tif 000071
【図７１】
0004124402.tif 000072
【図７２】
0004124402.tif 000073
【図７３】
0004124402.tif 000074
【図７４】
0004124402.tif 000075
【図７５】
0004124402.tif 000076
【図７６】
0004124402.tif 000077
【図７７】
0004124402.tif 000078
【図７８】
0004124402.tif 000079
【図７９】
0004124402.tif 000080
【図８０】
0004124402.tif 000081
【図８１】
0004124402.tif 000082
【図８２】
0004124402.tif 000083
【図８３】
0004124402.tif 000084
【図８４】
0004124402.tif 000085
【図８５】
0004124402.tif 000086
【図８６】
0004124402.tif 000087
【図８７】
0004124402.tif 000088
【図８８】
0004124402.tif 000089
【図８９】
0004124402.tif 000090
【図９０】
0004124402.tif 000091